(57)【要約】本発明は、単一粒子分析器、分析器の使用方法、単一粒子または複合粒子（マルチプレキシング）に関するサンプルを分析するための分析器システム、分析器またはシステムの分析器システムの使用に基づいたビジネスを行う方法、および本発明の分析器および分析器システムで有用なパラメータを保存するための電子媒体を含む分析器および分析器システムを包含する。【特許請求の範囲】
【請求項１】
（ａ）複数のサンプルを自動的にサンプリングして、サンプル容器と第１取り調べ空間との間の流体通路を提供可能であるサンプリングシステムと、
（ｂ）単一粒子を検出可能である分析器とを備え、
該分析器は、（ｉ）電磁放射を発生する電磁放射源と、
（ｉｉ）電磁放射源から発生した電磁放射を受けるように位置決めされた第１取り調べ空間と、
（ｉｉｉ）電磁放射源から発生した電磁放射を受けるように位置決めされた第２取り調べ空間であって、
第２取り調べ空間は、第１取り調べ空間との流体通路中にあり、
粒子が第１取り調べ空間と第２取り調べ空間との間で移動可能なように、推進力が第１取り調べ空間と第２取り調べ空間との間に存在するようにした、第２取り調べ空間と、
（ｉｖ）第１取り調べ空間と動作可能に連結して、粒子の第１電磁放射特性を測定する第１電磁放射検出器と、
（ｖ）第２取り調べ空間と動作可能に連結して、粒子の第１電磁放射特性および粒子の第２電磁放射特性のうちの少なくとも１つを測定する第２電磁放射検出器とを備えるようにした、単一粒子分析器システム。
【請求項２】
サンプルのほぼ全てを回収可能である、第２取り調べ空間との流体通路におけるサンプル回収システムをさらに備える請求項１記載の分析器システム。
【請求項３】
サンプル調製システムをさらに備える請求項２記載の分析器システム。
【請求項４】
サンプル調製システムは、遠心分離、フィルタリング、クロマトグラフィ、細胞溶解、ｐＨの変更、バッファの追加、試薬の追加、加熱または冷却、光照射、ラベルの追加、ラベルの結合、結合していないラベルの分離、およびこれらの組合せからなるグループから選択されるサンプル調製を実施するようにした請求項３記載の分析器システム。
【請求項５】
第１および第２電磁放射特性を分析して、分析結果を報告するデータ分析システムをさらに備える請求項１記載の分析器システム。
【請求項６】
電磁放射源は、連続波電磁放射源である請求項１記載の分析器システム。
【請求項７】
連続波電磁放射源は、発光ダイオードおよび連続波レーザからなるグループから選択される請求項６記載の分析器システム。
【請求項８】
サンプリングシステムのサンプル残物は、約０．０２％未満である請求項１記載の分析器システム。
【請求項９】
第１および第２取り調べ空間は、それぞれ約０．０２ｐＬと約３００ｐＬの間の容積を有する請求項１記載の分析器システム。
【請求項１０】
第１取り調べ空間および第２取り調べ空間の少なくとも１つは、約０．０５ｐＬと約５０ｐＬの間の容積を有する請求項１記載の分析器システム。
【請求項１１】
第１取り調べ空間および第２取り調べ空間の少なくとも１つは、約０．１ｐＬと約２５ｐＬの間の容積を有する請求項１記載の分析器システム。
【請求項１２】
第１および第２取り調べ空間の少なくとも１つの容積は、調整可能である請求項１記載の分析器システム。
【請求項１３】
第１取り調べ空間および第２取り調べ空間のうちの少なくとも１つに動作可能に連結され、粒子の第１電磁放射特性および粒子の第２電磁放射特性のうちの少なくとも１つを測定する第３電磁放射検出器をさらに備える請求項１記載の分析器システム。
【請求項１４】
推進力は、圧力を含む請求項１記載の分析器システム。
【請求項１５】
圧力は、ポンプ、真空源、遠心分離機、およびこれらの組合せからなるグループから選択される供給源によって提供されるようにした請求項１３記載の分析器システム。
【請求項１６】
流体通路は、マイクロ流体素子内部の配管またはチャネルを含み、圧力は、ポンプまたは複数のポンプによって供給されるようにした請求項１４記載の分析器システム。
【請求項１７】
分析は、粒子の存在、不在および必要に応じて濃度を決定することと、存在、不在及び／又は濃度に基づいて、可能性ある診断、予後、治療状態または提案する治療を決定することを含む請求項５記載の分析器システム。
【請求項１８】
（ａ）サンプル容器と第１取り調べ空間との間の流体通路を提供するサンプリングシステムと、
（ｂ）前記第１取り調べ空間および第２取り調べ空間を含み、第２取り調べ空間は、第１取り調べ空間との流体通路中にあり、
粒子が第１取り調べ空間と第２取り調べ空間との間で移動可能なように、推進力が第１取り調べ空間と第２取り調べ空間との間に存在するようにした単一粒子分析器と、
（ｃ）第１及び／又は第２取り調べ空間に動作可能に連結され、もし存在していれば、粒子の検出可能な特性を検出するための検出器と、
、
（ｄ）サンプルが、サンプル容器から取り調べ部分へ移動して、分析器の他の構成要素と接触せずに、分析器内部の清浄なバッファとほぼ接触することなくサンプル容器に戻ることができるサンプル回収システムと、
（ｅ）検出器から入力を受けて、粒子の存在または不在を分析し、前記存在または不在に基づいて結果を報告するデータ分析器と、を備える分析器システム。
【請求項１９】
サンプル調製システムをさらに備える請求項１８記載の分析器システム。
【請求項２０】
（ａ）複数のサンプルを自動的にサンプリングして、サンプル容器と第１取り調べ空間との間の流体通路を提供するサンプリングシステムと、
（ｂ）単一分子を検出可能である分析器とを備え、
分析器は、（ｉ）電磁放射を発生するための電磁放射源と、
（ｉｉ）電磁放射源から発生した電磁放射を受けるように位置決めされた前記第１取り調べ空間と、
（ｉｉｉ）第１取り調べ空間と動作可能に連結して、粒子の第１電磁放射特性を測定する第１電磁放射検出器とを備えるようにした、単一粒子分析器システム。
【請求項２１】
第１サンプルと第２サンプルが分析器に導入される場合、第１サンプルと第２サンプルとの間で検体濃度で２０％未満の差を検出可能である分析器を含む分析器システムであって、
分析器に導入される第１サンプルおよび第２サンプルの体積が５μｌ未満であり、
検体は、第１および第２サンプル中で５０フェムトモル未満の濃度で存在している分析器システム。
【請求項２２】
電磁放射を発生するための、少なくとも１つの連続波電磁放射源と、
電磁放射源から発生した電磁放射を受けるように位置決めされ、約０．０２ｐＬと約３００ｐＬの間の容積を有する第１取り調べ空間と、
電磁放射源から発生した電磁放射を受けるように位置決めされ、約０．０２ｐＬと約３００ｐＬの間の容積を有し、第１取り調べ空間との流体通路中にある第２取り調べ空間と、を備え、
粒子が、少なくとも部分的に電気運動力を用いて第１取り調べ空間と第２取り調べ空間との間で移動可能なように、電位が第１取り調べ空間と第２取り調べ空間との間に存在しており、
第１取り調べ空間と動作可能に連結して、粒子の第１電磁放射特性を測定する第１電磁放射検出器と、
第２取り調べ空間と動作可能に連結して、粒子の第１電磁放射特性および粒子の第２電磁放射特性のうちの少なくとも１つを測定する第２電磁放射検出器と、を備える単一粒子分析器。
【請求項２３】
第１取り調べ空間および第２取り調べ空間のうちの少なくとも１つに動作可能に連結され、粒子の第１電磁放射特性および粒子の第２電磁放射特性のうちの少なくとも１つを測定する第３電磁放射検出器をさらに備える請求項２２記載の分析器。
【請求項２４】
連続波電磁放射源は、発光ダイオードおよび連続波レーザからなるグループから選択されるようにした請求項２２記載の分析器。
【請求項２５】
第１取り調べ空間および第２取り調べ空間の少なくとも１つは、約０．１ｐＬと約２５ｐＬの間の容積を有する請求項２２記載の分析器。
【請求項２６】
第１および第２取り調べ空間の少なくとも１つの容積は、調整可能である請求項２２記載の分析器。
【請求項２７】
第１取り調べ空間および第２取り調べ空間の少なくとも１つは、電磁放射源から受けた電磁放射ビームの断面積、および第１電磁放射検出器および第２電磁放射検出器の少なくとも１つの検出範囲のうち少なくとも１つによって規定されるようにした請求項２２記載の分析器。
【請求項２８】
検出範囲は、第１電磁放射検出器および第２電磁放射検出器の少なくとも１つに隣接して位置決めされた空間フィルタにおけるスリット幅により決定されるようにした請求項２７記載の分析器。
【請求項２９】
第１および第２取り調べ空間の少なくとも１つは、ガラス、石英、溶融シリカ、プラスチック、またはこれらの組合せからなるグループから選択される固体材料を備えたハウジングによって少なくとも部分的に規定されるようにした請求項２２記載の分析器。
【請求項３０】
第１取り調べ空間および第２取り調べ空間の少なくとも１つは、流体境界によって少なくとも部分的に規定されるようにした請求項２２記載の分析器。
【請求項３１】
第１電磁放射検出器および第２電磁放射検出器の少なくとも１つは、ＣＣＤカメラ、ビデオ入力モジュールカメラ、ストリークカメラ、ボロメータ、フォトダイオード、フォトダイオードアレイ、アバランシェフォトダイオード検出器、光電子増倍管検出器、およびこれらの組合せからなるグループから選択される請求項２２記載の分析器。
【請求項３２】
第１取り調べ空間と第２取り調べ空間の間で粒子の移動を促進するための、ポンプ、真空源および遠心分離機のうちの少なくとも１つをさらに備える請求項２２記載の分析器。
【請求項３３】
単一粒子分析器システムを用いて、個体から得られるサンプルでの粒子の存在または不在を決定することを含む分析方法であって、
該単一粒子分析器システムは、（ａ）複数のサンプルを自動的にサンプリングして、サンプル容器と第１取り調べ空間との間の流体通路を提供可能であるサンプリングシステムと、
（ｂ）単一粒子を検出可能である分析器と、を含み、
該分析器は、（ｉ）電磁放射を発生する電磁放射源と、
（ｉｉ）電磁放射源から発生した電磁放射を受けるように位置決めされた第１取り調べ空間と、
（ｉｉｉ）電磁放射源から発生した電磁放射を受けるように位置決めされた第２取り調べ空間と、を含み、
第２取り調べ空間は、第１取り調べ空間との流体通路中にあり、
粒子が第１取り調べ空間と第２取り調べ空間との間で移動可能なように、推進力が第１取り調べ空間と第２取り調べ空間との間に存在しており、
（ｉｖ）第１取り調べ空間と動作可能に連結して、粒子の第１電磁放射特性を測定する第１電磁放射検出器と、
（ｖ）第２取り調べ空間と動作可能に連結して、粒子の第１電磁放射特性および粒子の第２電磁放射特性のうちの少なくとも１つを測定する第２電磁放射検出器と、を含むようにした分析方法。
【請求項３４】
前記第１および第２電磁放射特性を分析して、前記分析結果を報告するデータ分析システムをさらに備える請求項３３記載の方法。
【請求項３５】
前記分析結果に基づいて、診断、予後、治療状態及び／又は治療方法を決定することをさらに含む請求項３４記載の方法。
【請求項３６】
前記サンプルのほぼ全てを回収可能である、第２取り調べ空間との流体通路におけるサンプル回収システムをさらに備える請求項３３記載の方法。
【請求項３７】
サンプル調製システムをさらに備える請求項３３記載の方法。
【請求項３８】
電磁放射源は、連続波電磁放射源である請求項３３記載の方法。
【請求項３９】
第１および第２取り調べ空間は、それぞれ約０．０２ｐＬと約３００ｐＬの間の容積を有する請求項３３記載の方法。
【請求項４０】
第１および第２取り調べ空間は、それぞれ約０．０５ｐＬと約５０ｐＬの間の容積を有する請求項３３記載の方法。
【請求項４１】
第１および第２取り調べ空間は、それぞれ約０．１ｐＬと約２５ｐＬの間の容積を有する請求項３３記載の方法。
【請求項４２】
第１および第２取り調べ空間の少なくとも１つの容積は、調整可能である請求項３３記載の方法。
【請求項４３】
推進力は、圧力を備える請求項３３記載の方法。
【請求項４４】
圧力は、ポンプ、真空源、遠心分離機またはこれらの組合せからなるグループから選択される供給源によって提供される請求項４３記載の方法。
【請求項４５】
個体は、動物または植物である請求項３３記載の方法。
【請求項４６】
個体は、動物である請求項４５記載の方法。
【請求項４７】
個体は、哺乳動物である請求項４６記載の方法。
【請求項４８】
個体は、人間である請求項４７記載の方法。
【請求項４９】
サンプル中の複数の粒子について分析を実施することを含む請求項３３記載の方法。
【請求項５０】
複数の粒子のそれぞれ検出された粒子は、ラベルを備え、
それぞれ検出された粒子は、ラベル識別、ラベル強度、移動度またはこれらの組合せからなるグループから選択された特性によって他と弁別されるようにした請求項４９記載の方法。
【請求項５１】
サンプルは、血液、血清、血漿、気管支肺胞洗浄液、尿、脳脊髄液、肋膜液、滑液、腹膜液、羊水、胃液、リンパ液、間質液、組織ホモジェネート、細胞抽出物、唾液、痰、大便、生理学分泌物、涙、粘液、汗、乳、精液、精漿、膣分泌物、潰瘍や他の表面の発疹、水疱、膿瘍からの液、良性、悪性および疑わしい組織の生体組織検査を含む組織抽出物、または、粒子を含むことがある他の何れかの身体要素なるグループから選択される、請求項３３記載の方法。
【請求項５２】
サンプルは、血液、血漿、血清からなるグループから選択される請求項５１記載の方法。
【請求項５３】
前記サンプル中の粒子をラベル付けすることをさらに含み、
前記サンプルを分析することは、前記ラベル付けした粒子の存在または不在を検出することを含むようにした、請求項５２記載の方法。
【請求項５４】
前記サンプルから結合していないラベルを除去することをさらに含む、請求項５３記載の方法。
【請求項５５】
前記個体から前記サンプルを入手することをさらに含む、請求項３３記載の方法。
【請求項５６】
粒子は、蛋白質、核酸、ナノ粒子、マイクロ粒子、デンドリマー、染色体、炭水化物、ウイルス、バクテリア、細胞、およびこれらの組合せからなるグループから選択される、請求項５３記載の方法。
【請求項５７】
粒子は、蛋白質、核酸、ウイルス、菌類、バクテリアおよびこれらの組合せからなるグループから選択される、請求項５３記載の方法。
【請求項５８】
粒子は、アミノ酸、ヌクレオチド、脂質、糖、微粒子毒素、ペプチド毒素、毒液、薬剤、およびこれらの組合せからなるグループから選択される、請求項５３記載の方法。
【請求項５９】
サンプルは、対象となる粒子に限定的である、蛍光ラベル付けした抗体と接触した血清サンプルであって、
前記分析は、ラベル付けした粒子の存在、不在及び／又は濃度を検出することを含むようにした、請求項５２記載の方法。
【請求項６０】
ラベル付けした粒子の存在、不在及び／又は濃度に基づいて、診断、予後、治療状態及び／又は治療方法を決定することをさらに含む請求項５９記載の方法。
【請求項６１】
前記診断、予後、治療状態及び／又は治療方法を個体に報告することをさらに含む請求項６０記載の方法。。
【請求項６２】
バイオマーカーは、ＴＲＥＭ−１である請求項６０記載の方法。
【請求項６３】
該方法は、１時間未満で完了するようにした請求項６２記載の方法。
【請求項６４】
診断、予後、治療状態及び／又は治療方法を決定することは、バイオマーカーパネルの存在、不在及び／又は濃度に基づくようにした、請求項６０記載の方法。
【請求項６５】
該方法は、２時間未満で実施されるようにした請求項５９記載の方法。
【請求項６６】
個体から得られたサンプル中の粒子の存在、不在及び／又は濃度に基づいて、診断、予後、治療状態及び／又は治療方法を決定することを含む分析方法であって、
前記存在、不在及び／又は濃度は、単一分子を決定可能な分析器を備えた分析器システムを用いて決定され、
前記分析器は、少なくとも１つの取り調べ空間を備えるようにした分析方法。
【請求項６７】
分析器は、少なくとも２つの取り調べ空間を備えるようにした請求項６６記載の方法。
【請求項６８】
該分析器システムは、放射を発生するための少なくとも１つの連続波電磁放射源を備えた、単一分子を決定可能な分析器を備え、
少なくとも１つの取り調べ空間は、前記放射を受けるように位置決めされている請求項６６記載の方法。
【請求項６９】
個体をスクリーニングして、ある状態の存在または不在を決定するための方法であって、
該状態についての１つ又はそれ以上のマーカーに関して個体からのサンプルを分析することを含み、
第１サンプルと第２サンプルが分析器に導入され、第１サンプルおよび第２サンプルの体積が約５μｌ未満であり、該１つ又はそれ以上のマーカーが第１および第２サンプル中で５０フェムトモル未満の濃度で存在している場合、第１サンプルと第２サンプルの間で、該１つ又はそれ以上のマーカー濃度の約２０％未満の差を検出可能な分析器を用いて分析するようにした方法。
【請求項７０】
分析結果を、マーカーに関する既知の値と比較することをさらに含む請求項６９記載の方法。
【請求項７１】
個体は喫煙者であり、癌は肺癌である請求項６９記載の方法。
【請求項７２】
粒子を検出するための方法であって、
粒子を、電気運動力によって、約０．０２ｐＬと約３００ｐＬの間の容積を有する第１取り調べ空間および約０．０２ｐＬと約３００ｐＬの間の容積を有する第２取り調べ空間へ移動することと、
該サンプルを、少なくとも１つの連続波電磁放射源に曝すことと、
粒子が、第１取り調べ空間内で連続波電磁放射と相互作用する際、第１取り調べ空間内で粒子の第１電磁放射特性を測定することと、
粒子が、第２取り調べ空間内で連続波電磁放射と相互作用する際、第２取り調べ空間内で粒子の第１電磁放射特性および第２電磁放射特性の少なくとも１つを測定することとを含む方法。
【請求項７３】
該粒子は、第１粒子であり、
該方法は、第２粒子を、第１取り調べ空間、第２取り調べ空間、第３取り調べ空間および第４取り調べ空間のうちの少なくとも２つに移動することと、
第２粒子が、第１取り調べ空間、第２取り調べ空間、第３取り調べ空間および第４取り調べ空間のうちの少なくとも１つの内部で連続波電磁放射と相互作用する際、第２粒子の第１電磁放射特性および第２粒子の第２電磁放射特性の少なくとも１つを測定することとを含む請求項７２記載の方法。
【請求項７４】
ディスプレイユニットを備えたユーザインタフェースを有する汎用コンピュータについての命令セットを収納するコンピュータ読み取り可能な保存媒体であって、
該命令セットは、
（ａ）２つの取り調べ空間を持つ単一粒子検出器を用いてサンプルの分析からの値を入力するためのロジックと、
（ｂ）前記ディスプレイユニットを用いて、入力値の結果を表示するための表示ルーチン、とを備えるようにした、コンピュータ読み取り可能な保存媒体。
【請求項７５】
該命令セットは、入力値とデータベースとを比較するための比較ルーチンをさらに備え、
表示ルーチンは、比較ルーチンの結果を表示するためのロジックをさらに備えるようにした、請求項７４記載のコンピュータ読み取り可能な保存媒体。
【請求項７６】
ディスプレイユニットを備えたユーザインタフェースを有する汎用コンピュータのための命令セットを備えたコンピュータ間のインターネット経由で伝搬する電子信号または搬送波であって、
該命令セットは、ディスプレイユニットを備えたユーザインタフェースを有する汎用コンピュータについての命令セットを収納するコンピュータ読み取り可能な保存媒体を備え、
該命令セットは、
（ａ）２つの取り調べ空間を持つ単一粒子検出器を用いてサンプルの分析からの値を入力するためのロジックと、
（ｂ）前記ディスプレイユニットを用いて、入力値の結果を表示するための表示ルーチン、とを備えるようにした、信号または搬送波。
【請求項７７】
該命令セットは、入力値とデータベースとを比較するための比較ルーチンをさらに備え、
表示ルーチンは、比較ルーチンの結果を表示するためのロジックをさらに備えるようにした、請求項７６記載の信号または搬送波。
。
【請求項７８】
サンプルの分析結果を得るために、２つの取り調べ空間を有し、単一粒子を検出可能な検出器の団体による使用と、
前記結果を報告することと、
結果の報告に関する団体への支払いとを備える、ビジネスを行う方法。
【請求項７９】
団体は、ＣＬＩＡ(Clinical Laboratory Improvement Amendments)研究所である、請求項７８記載の方法。
【請求項８０】
団体は、ＣＬＩＡ研究所ではない請求項７８記載の方法。
【発明の詳細な説明】
【技術分野】
【０００１】
（相互参照）
本願は、米国仮(Provisional)出願番号第６０／６１３８８１号（名称「連続波単一粒子検出器」、２００４年９月２８日出願）、米国仮出願番号第６０／６２４７８５号（名称「個別分子の検出用サンドイッチ分析検討」、２００４年１０月２７日出願）および、米国仮出願番号第６０／６３６１５８号（名称「個別の分子、粒子またはセルの検出方法」、２００４年１２月１３日出願）の利益を主張するものであり、これらの全ては参照により全体としてここに組み込まれる。
【背景技術】
【０００２】
生物医学的研究、医用診断、予後(prognosis)、監視および治療選択、バイオテロ(bioterrorism)検出、および少ない量および検体(analyte)濃度の複合サンプルの分析を必要とする他の分野での進歩は、次第に減少する濃度でサンプル中の粒子を高感度で検出可能なサンプル分析システムの発展をもたらした。米国特許第４７９３７０５号、第５２０９８３４号は、著しく高感度の検出を達成した従前のシステムを記載している。
【発明の開示】
【発明が解決しようとする課題】
【０００３】
本発明は、この分野での更なる発展を提供するものである。
【課題を解決するための手段】
【０００４】
（発明の要旨）
一態様において、本発明は、単一粒子分析器システムを提供する。幾つかの実施形態では、該システムは、複数のサンプルを自動的にサンプリングして、サンプル容器と第１取り調べ(interrogation)空間との間の流体通路を提供可能であるサンプリングシステムと、単一粒子を検出可能である分析器とを含み、
分析器は、電磁放射を発生する電磁放射源を含んでおり、
第１取り調べ空間は、電磁放射源から発生した電磁放射を受けるように位置決めされ、
第２取り調べ空間は、電磁放射源から発生した電磁放射を受けるように位置決めされ、
第２取り調べ空間は、第１取り調べ空間との流体通路中にあり、
粒子が第１取り調べ空間と第２取り調べ空間との間で移動可能なように、推進力(motive force)が第１取り調べ空間と第２取り調べ空間との間に存在しており、
第１取り調べ空間と動作可能に連結して、粒子の第１電磁放射特性を測定する第１電磁放射検出器と、
第２取り調べ空間と動作可能に連結して、粒子の第１電磁放射特性および粒子の第２電磁放射特性のうちの少なくとも１つを測定する第２電磁放射検出器と、を含む。
【０００５】
幾つかの実施形態では、電磁放射源は、発光ダイオードまたは連続波レーザなどの連続波(continuous wave)電磁放射源である。更なる実施形態では、分析器システムは、サンプリングシステムを含み、サンプリングシステムのサンプルキャリーオーバー(carryover)は、約０．０２％未満である。
【０００６】
幾つかの実施形態では、第１および第２取り調べ空間は、それぞれ約０．０２ｐＬと約３００ｐＬの間、または約０．０５ｐＬと約５０ｐＬの間、または約０．１ｐＬと約２５ｐＬの間の容積を有する。幾つかの実施形態では、第１および第２取り調べ空間の少なくとも１つの容積は調整可能である。
【０００７】
幾つかの実施形態では、本発明の分析器システムは、第１取り調べ空間および第２取り調べ空間のうちの少なくとも１つに動作可能に連結され、粒子の第１電磁放射特性および粒子の第２電磁放射特性のうちの少なくとも１つを測定する第３電磁放射検出器をさらに含む。
【０００８】
幾つかの実施形態では、分析器のための推進力は、例えば、ポンプ、真空源、遠心分離機(centrifuge)またはこれらの組合せによって提供される圧力である。
【０００９】
本発明の分析器システムの幾つかにおいて、流体通路は、マイクロ流体(microfluidic)素子内部の配管またはチャネルを含み、圧力はポンプまたは複数のポンプによって供給される。
【００１０】
幾つかの実施形態では、本発明の分析器システムは、サンプルのほぼ全てを回収可能である、第２取り調べ空間との流体通路におけるサンプル回収(recovery)システム、及び／又はサンプル調製(preparation)システム、及び／又は、粒子の第１および第２電磁放射特性を分析して、分析結果を報告するデータ分析システムをさらに含む。
【００１１】
サンプル調製システムを含む実施形態では、該サンプル調製システムは、遠心分離、フィルタリング、クロマトグラフィを用いて、サンプル調製、例えば、細胞溶解(cell lysis)、ｐＨの変更、バッファの追加、試薬の追加、加熱または冷却、光照射、ラベルの追加、ラベルの結合、結合していないラベルの分離、またはこれらの組合せを実施できる。
【００１２】
データ分析システムを含む実施形態では、分析は、粒子の存在、不在および必要に応じて濃度を決定することと、存在、不在及び／又は濃度に基づいて、可能性ある診断、予後、治療状態または提案する治療を決定することを含む。
【００１３】
一実施形態では、本発明は、サンプル容器と第１取り調べ空間との間の流体通路を提供するサンプリングシステムと、
第１取り調べ空間および第２取り調べ空間を含み、第２取り調べ空間は、第１取り調べ空間との流体通路中にあるようにした単一粒子分析器とを含み、
粒子が第１取り調べ空間と第２取り調べ空間との間で移動可能なように、推進力(motive force)が第１取り調べ空間と第２取り調べ空間との間に存在しており、
第１及び／又は第２取り調べ空間に動作可能に連結され、もし存在していれば、粒子の検出可能な特性を検出するための検出器と、
サンプルが、サンプル容器から取り調べ部分へ移動して、分析器の他の構成要素と接触せずに、分析器内部の清浄なバッファとほぼ接触することなくサンプル容器に戻ることができるサンプル回収システムと、
検出器から入力を受けて、粒子の存在または不在を分析し、前記存在または不在に基づいて結果を報告するデータ分析器と、を含む分析器システムを提供する。該システムは、サンプル調製システムをさらに含んでもよい。
【００１４】
他の実施形態では、本発明は、複数のサンプルを自動的にサンプリングして、サンプル容器と第１取り調べ空間との間の流体通路を提供するサンプリングシステムと、
電磁放射を発生するための電磁放射源を含み、単一分子を検出可能である分析器と、
第１取り調べ空間は、電磁放射源から発生した電磁放射を受けるように位置決めされ、
第１取り調べ空間と動作可能に連結して、粒子の第１電磁放射特性を測定する第１電磁放射検出器とを含む単一粒子分析器システムを提供する。
【００１５】
他の実施形態では、本発明は、分析器に導入される第１サンプルと第２サンプルとの間で検体濃度で２０％未満の差を検出可能である分析器を含み、分析器に導入される第１サンプルおよび第２サンプルの体積が５μｌ未満であり、検体は、５フェムトモル未満の濃度で存在している分析器システムを提供する。
【００１６】
幾つかの実施形態では、該システムは、複数のサンプルを自動的にサンプリングして、サンプル容器と分析器との間の流体通路を提供可能であるサンプリングシステムをさらに含む。
【００１７】
他の態様において、本発明は、単一粒子分析器を提供する。幾つかの実施形態では、本発明は、電磁放射を発生するための、少なくとも１つの連続波電磁放射源と、
電磁放射源から発生した電磁放射を受けるように位置決めされ、約０．０２ｐＬと約３００ｐＬの間の容積を有する第１取り調べ空間と、
電磁放射源から発生した電磁放射を受けるように位置決めされ、約０．０２ｐＬと約３００ｐＬの間の容積を有する第２取り調べ空間と、を含み、
第２取り調べ空間は、第１取り調べ空間との流体通路中にあり、
粒子が、少なくとも部分的に電気運動(electro-kinetic)力を用いて第１取り調べ空間と第２取り調べ空間との間で移動可能なように、電位(electric potential)が第１取り調べ空間と第２取り調べ空間との間に存在しており、
第１取り調べ空間と動作可能に連結して、粒子の第１電磁放射特性を測定する第１電磁放射検出器と、
第２取り調べ空間と動作可能に連結して、粒子の第１電磁放射特性および粒子の第２電磁放射特性のうちの少なくとも１つを測定する第２電磁放射検出器と、を含む単一粒子分析器を提供する。
【００１８】
幾つかの実施形態では、連続波電磁放射源は、発光ダイオードおよび連続波レーザからなるグループから選択される。
【００１９】
幾つかの実施形態では、第１取り調べ空間および第２取り調べ空間の少なくとも１つは、約０．１ｐＬと約２５ｐＬの間の容積を有する。
【００２０】
幾つかの実施形態では、第１および第２取り調べ空間の少なくとも１つの容積は、調整可能である。
【００２１】
幾つかの実施形態では、第１取り調べ空間および第２取り調べ空間の少なくとも１つは、電磁放射源から受けた電磁放射ビームの断面積、および第１電磁放射検出器および第２電磁放射検出器の少なくとも１つの検出範囲のうち少なくとも１つによって規定される。
【００２２】
後者の実施形態の幾つかでは、検出範囲は、第１電磁放射検出器および第２電磁放射検出器の少なくとも１つに隣接して位置決めされた空間フィルタにおけるスリット幅により決定される。
【００２３】
幾つかの実施形態では、第１および第２取り調べ空間の少なくとも１つは、ガラス、石英(quartz)、溶融シリカ、プラスチック、またはこれらの組合せからなるグループから選択される固体(solid)材料を備えたハウジングによって少なくとも部分的に規定される。
【００２４】
幾つかの実施形態では、第１取り調べ空間および第２取り調べ空間の少なくとも１つは、流体境界によって少なくとも部分的に規定される。
【００２５】
幾つかの実施形態では、該分析器は、第１取り調べ空間および第２取り調べ空間のうちの少なくとも１つに動作可能に連結され、粒子の第１電磁放射特性および粒子の第２電磁放射特性のうちの少なくとも１つを測定する第３電磁放射検出器をさらに含む。
【００２６】
本発明の分析器の幾つかの実施形態では、第１電磁放射検出器および第２電磁放射検出器の少なくとも１つは、ＣＣＤカメラ、ビデオ入力モジュールカメラ、ストリーク(streak)カメラ、ボロメータ(bolometer)、フォトダイオード、フォトダイオードアレイ、アバランシェフォトダイオード検出器、光電子増倍管検出器、およびこれらの組合せからなるグループから選択される。
【００２７】
幾つかの実施形態では、該分析器は、第１取り調べ空間と第２取り調べ空間の間で粒子の移動を促進するための、ポンプ、真空源および遠心分離機のうちの少なくとも１つをさらに含む。
【００２８】
他の態様において、本発明は、分析方法を提供する。一実施形態では、本発明は、単一粒子分析器システムを用いて、個体から得られるサンプルでの粒子の存在または不在を決定することを含み、
【００２９】
該単一粒子分析器システムは、（ａ）複数のサンプルを自動的にサンプリングして、サンプル容器と第１取り調べ空間との間の流体通路を提供可能であるサンプリングシステムと、（ｂ）単一粒子を検出可能である分析器と、を含み、
該分析器は、（ｉ）電磁放射を発生する電磁放射源と、
（ｉｉ）電磁放射源から発生した電磁放射を受けるように位置決めされた第１取り調べ空間と、
（ｉｉｉ）電磁放射源から発生した電磁放射を受けるように位置決めされた第２取り調べ空間と、を含み、
第２取り調べ空間は、第１取り調べ空間との流体通路中にあり、
粒子が第１取り調べ空間と第２取り調べ空間との間で移動可能なように、推進力(motive force)が第１取り調べ空間と第２取り調べ空間との間に存在しており、
（ｉｖ）第１取り調べ空間と動作可能に連結して、粒子の第１電磁放射特性を測定する第１電磁放射検出器と、
（ｖ）第２取り調べ空間と動作可能に連結して、粒子の第１電磁放射特性および粒子の第２電磁放射特性のうちの少なくとも１つを測定する第２電磁放射検出器と、を含むようにした分析方法を提供する。
【００３０】
本発明の方法の幾つかの実施形態では、該分析器は、前記第１および第２電磁放射特性を分析して、前記分析結果を報告するデータ分析システムをさらに含む。これらの実施形態の幾つかでは、該分析器は、前記分析結果に基づいて、診断、予後、治療状態及び／又は治療方法を決定することを含む。
【００３１】
本発明の方法の幾つかの実施形態では、該分析器は、前記サンプルのほぼ全てを回収可能である、第２取り調べ空間との流体通路におけるサンプル回収システム、及び／又はサンプル調製システムをさらに備える。
【００３２】
本発明の方法の幾つかの実施形態では、電磁放射源は、連続波電磁放射源である。
【００３３】
本発明の方法の幾つかの実施形態では、第１および第２取り調べ空間は、それぞれ約０．０２ｐＬと約３００ｐＬの間、または約０．０５ｐＬと約５０ｐＬの間、または約０．１ｐＬと約２５ｐＬの間の容積を有する。
【００３４】
本発明の方法の幾つかの実施形態では、第１および第２取り調べ空間の少なくとも１つの容積は調整可能である。
【００３５】
本発明の方法の幾つかの実施形態では、推進力は圧力を備える。これらの実施形態の幾つかは、圧力は、ポンプ、真空源、遠心分離機またはこれらの組合せからなるグループから選択される供給源によって提供される。
【００３６】
本発明の方法の幾つかの実施形態では、個体は、動物または植物、例えば、動物、哺乳動物、人間である。
【００３７】
幾つかの実施形態では、本発明の方法は、サンプル中の複数の粒子について分析を実施することを含む。これらの実施携帯の幾つかでは、複数の粒子のそれぞれ検出された粒子は、ラベルを備え、それぞれ検出された粒子は、ラベル識別(identity)、ラベル強度、移動度(mobility)またはこれらの組合せからなるグループから選択された特性によって他と弁別される。 
【００３８】
本発明の方法の幾つかの実施形態では、サンプルは、血液、血清(serum)、血漿(plasma)、気管支肺胞洗浄(bronchoalveolar lavage)液、尿(urine)、脳脊髄(cerebrospinal)液、肋膜(pleural)液、滑液(synovial fluid)、腹膜(peritoneal)液、羊水(amniotic fluid)、胃液(gastric fluid)、リンパ(lymph)液、間質(interstitial)液、組織ホモジェネート(homogenate)、細胞抽出物、唾液(saliva)、痰(sputum)、大便(stool)、生理学分泌物(secretions)、涙、粘液(mucus)、汗、乳、精液(semen)、精漿(seminal fluid)、膣(vaginal)分泌物、潰瘍(ulcers)や他の表面の発疹、水疱(blisters)、膿瘍(abscesses)からの液、良性、悪性および疑わしい組織の生体組織検査(biopsies)を含む組織抽出物、または、粒子を含むことがある他の何れかの身体要素なるグループから選択される。
【００３９】
幾つかの実施形態では、サンプルは、血液、血漿、血清からなるグループから選択される。
【００４０】
これらの実施形態の幾つかは、該方法は、前記サンプル中の粒子をラベリングすることをさらに備え、前記サンプルを分析することは、前記ラベリングした粒子の存在または不在を検出することを備え、必要に応じて、前記サンプルから結合していないラベルを除去することを含み、及び／又は前記個体から前記サンプルを入手すること、及び／又は、蛋白質、核酸、ナノ粒子(nanosphere)、マイクロ粒子(microsphere)、デンドリマー(dendrimer)、染色体(chromosome)、炭水化物(carbohydrate)、ウイルス、バクテリア、細胞、およびこれらの組合せからなるグループから選択された粒子を分析すること、例えば、蛋白質、核酸、ウイルス、バクテリアおよびこれらの組合せからなるグループから選択することを含む。
【００４１】
幾つかの実施形態では、粒子は、アミノ酸、ヌクレオチド(nucleotide)、脂質(lipid)、糖、微粒子毒素、ペプチド毒素、毒液(venom)、薬剤(drug)、およびこれらの組合せからなるグループから選択される。
【００４２】
本発明の方法の幾つかの実施形態では、サンプルは、対象となる粒子に限定的である、蛍光ラベル付けした抗体(antibody)と接触した血清サンプルであって、前記分析は、ラベル付けした粒子の存在、不在及び／又は濃度を検出することを備える。これらの実施形態の幾つかは、該方法は、ラベル付けした粒子の存在、不在及び／又は濃度に基づいて、診断、予後、治療状態及び／又は治療方法を決定することをさらに含む。
【００４３】
該方法は、前記診断、予後、治療状態及び／又は治療方法を個体に報告することをさらに含む。幾つかの実施形態では、バイオマーカー(biomarker)は、ＴＲＥＭ−１である。幾つかの実施形態では、該方法は１時間未満で完了する。幾つかの実施形態では、診断、予後、治療状態及び／又は治療方法を決定することは、バイオマーカーパネルの存在、不在及び／又は濃度に基づいている。幾つかの実施形態では、該方法は２時間未満で実施される。
【００４４】
一実施形態では、本発明は、個体から得られたサンプル中の粒子の存在、不在及び／又は濃度に基づいて、診断、予後、治療状態及び／又は治療方法を決定することを含み、前記存在、不在及び／又は濃度は、単一分子を決定可能な分析器を備えた分析器システムを用いて決定され、前記分析器は、少なくとも１つの取り調べ空間を備える。
【００４５】
これらの実施形態の幾つかは、該分析器は、少なくとも２つの取り調べ空間を備える。幾つかの実施形態では、該分析器システムは、放射を発生するための少なくとも１つの連続波電磁放射源を備えた、単一分子を決定可能な分析器を備え、少なくとも１つの取り調べ空間は、前記放射を受けるように位置決めされる。
【００４６】
他の実施形態では、本発明は、個体をスクリーニングして、癌(cancer)の存在または不在を決定するための方法を提供するものであり、該方法は、１つ又はそれ以上の癌マーカーに関して個体からのサンプルを分析することを含み、各マーカーが１ピコモル未満の濃度で存在し、サンプルのサイズが約５μｌである場合、１つのサンプルから他のサンプルまで、１つ又はそれ以上のマーカー濃度の約２０％未満の変化を検出可能な分析器を用いる。
【００４７】
幾つかの実施形態では、該方法は、前記分析結果を、マーカーに関する既知の値と比較することをさらに含む。幾つかの実施形態では、個体は、喫煙者であり、癌は肺癌である。
【００４８】
他の実施形態では、本発明は、粒子を検出するための方法を提供するものであり、該方法は、粒子を、電気運動力によって、約０．０２ｐＬと約３００ｐＬの間の容積を有する第１取り調べ空間および約０．０２ｐＬと約３００ｐＬの間の容積を有する第２取り調べ空間へ移動することと、
該サンプルを、少なくとも１つの連続波電磁放射源に曝すことと、
粒子が、第１取り調べ空間内で連続波電磁放射と相互作用する際、第１取り調べ空間内で粒子の第１電磁放射特性を測定することと、
粒子が、第２取り調べ空間内で連続波電磁放射と相互作用する際、第２取り調べ空間内で粒子の第１電磁放射特性および第２電磁放射特性の少なくとも１つを測定することとを含む。
【００４９】
幾つかの実施形態では、該粒子は、第１粒子であり、該方法は、第２粒子を、第１取り調べ空間、第２取り調べ空間、第３取り調べ空間および第４取り調べ空間のうちの少なくとも２つに移動することと、
第２粒子が、第１取り調べ空間、第２取り調べ空間、第３取り調べ空間および第４取り調べ空間のうちの少なくとも１つの内部で連続波電磁放射と相互作用する際、第２粒子の第１電磁放射特性および第２粒子の第２電磁放射特性の少なくとも１つを測定することとを含む。
【００５０】
更なる態様において、本発明は、ディスプレイユニットを備えたユーザインタフェースを有する汎用コンピュータについての命令セットを収納するコンピュータ読み取り可能な保存媒体を提供するものであり、該命令セットは、
（ａ）２つの取り調べ空間を持つ単一粒子検出器を用いてサンプルの分析からの値を入力するためのロジック(logic)と、
（ｂ）前記ディスプレイユニットを用いて、入力値の結果を表示するための表示ルーチン、とを備える。
【００５１】
幾つかの実施形態では、該命令セットは、入力値とデータベースとを比較するための比較ルーチンをさらに備え、表示ルーチンは、比較ルーチンの結果を表示するためのロジックをさらに備える。
【００５２】
さらに他の態様において、本発明は、ディスプレイユニットを備えたユーザインタフェースを有する汎用コンピュータのための命令セットを備えたコンピュータ間のインターネット経由で伝搬する電子信号または搬送波を提供するものであり、
該命令セットは、ディスプレイユニットを備えたユーザインタフェースを有する汎用コンピュータについての命令セットを収納するコンピュータ読み取り可能な保存媒体を備え、該命令セットは、
（ａ）２つの取り調べ空間を持つ単一粒子検出器を用いてサンプルの分析からの値を入力するためのロジックと、
（ｂ）前記ディスプレイユニットを用いて、入力値の結果を表示するための表示ルーチン、とを備える。
【００５３】
幾つかの実施形態では、該命令セットは、入力値とデータベースとを比較するための比較ルーチンをさらに備え、表示ルーチンは、比較ルーチンの結果を表示するためのロジックをさらに備える。
【００５４】
さらに他の態様において、本発明は、ビジネスを行う方法を提供するものであり、該方法は、サンプルの分析結果を得るために、２つの取り調べ空間を有し、単一粒子を検出可能な検出器の団体(entity)による使用と、前記結果を報告することと、結果の報告に関する団体への支払いとを備える。
【００５５】
幾つかの実施形態では、該団体は、ＣＬＩＡ(Clinical Laboratory Improvement Amendments)研究所である。幾つかの実施形態では、該団体は、ＣＬＩＡ研究所ではない。
【００５６】
さらに他の態様において、本発明は、連続波照射源と、２つ又はそれ以上の別個のｐＬサイズの取り調べ空間と、単一粒子を含む、検出すべき粒子の電気運動輸送とを組み合わせた装置を提供する。
【００５７】
一態様において、本発明は、単一粒子分析器を提供するものであり、該分析器は、
電磁放射を発生するための少なくとも１つの連続波電磁放射源と、
約０．０２ｐＬと約３００ｐＬの間の容積を有し、電磁放射源から発生した電磁放射を受けるように位置決めされた第１取り調べ空間と、
約０．０２ｐＬと約３００ｐＬの間の容積を有し、電磁放射源から発生した電磁放射を受けるように位置決めされた第２取り調べ空間とを備え、
第２取り調べ空間は、第１取り調べ空間との流体通路中にあり、
粒子が、少なくとも部分的に電気運動力を用いて第１取り調べ空間と第２取り調べ空間との間で移動可能なように、電位が第１取り調べ空間と第２取り調べ空間との間に存在しており、
第１取り調べ空間と動作可能に連結して、粒子の第１電磁放射特性を測定する第１電磁放射検出器と、
第２取り調べ空間と動作可能に連結して、粒子の第１電磁放射特性および粒子の第２電磁放射特性のうちの少なくとも１つを測定する第２電磁放射検出器と、を備える。
【００５８】
本発明の他の態様によれば、該分析器は、第１取り調べ空間および第２取り調べ空間のうちの少なくとも１つに動作可能に連結され、粒子の第１電磁放射特性および粒子の第２電磁放射特性のうちの少なくとも１つを測定する第３電磁放射検出器をさらに備える。一態様において、連続波電磁放射源は、発光ダイオードおよび連続波レーザからなるグループから選択される。
【００５９】
本発明のさらに他の態様によれば、第１電磁放射特性および第２電磁放射特性のうちの少なくとも１つは、放射波長、放射強度、バースト(burst)サイズ、バースト期間、蛍光の偏光、およびこれらの組合せからなるグループから選択される。
【００６０】
本発明の他の態様において、第１取り調べ空間および第２取り調べ空間のうちの少なくとも１つは、約０．０５ｐＬと約５０ｐＬの間、好ましくは、約０．１０ｐＬと約２５ｐＬの間の容積を有する。一態様において、第１および第２取り調べ空間の少なくとも１つの容積は調整可能である。１つの代替において、第１取り調べ空間および第２取り調べ空間のうちの少なくとも１つは、電磁放射源から受けた電磁放射ビームの断面積、および第１電磁放射検出器および第２電磁放射検出器の少なくとも１つの検出範囲のうち少なくとも１つによって規定される。一態様において、検出範囲は、第１電磁放射検出器および第２電磁放射検出器の少なくとも１つに隣接して位置決めされた空間フィルタにおけるスリット幅により決定される。
【００６１】
他の代替において、第１および第２取り調べ空間の少なくとも１つは、ガラス、石英(quartz)、溶融シリカ、プラスチック、またはこれらの組合せからなるグループから選択される材料を備えた固体(solid)ハウジングによって少なくとも部分的に規定される。
【００６２】
さらに他の代替において、第１取り調べ空間および第２取り調べ空間の少なくとも１つは、流体境界によって少なくとも部分的に規定される。
【００６３】
本発明の他の態様において、第１電磁放射検出器および第２電磁放射検出器の少なくとも１つは、電荷結合素子（ＣＣＤ）カメラ、ビデオ入力モジュールカメラ、ストリーク(streak)カメラ、ボロメータ(bolometer)、フォトダイオード、フォトダイオードアレイ、アバランシェフォトダイオード検出器、光電子増倍管検出器、およびこれらの組合せからなるグループから選択される。
【００６４】
さらに他の態様において、該分析器は、第１取り調べ空間と第２取り調べ空間の間で粒子の移動を促進するための、ポンプ、真空源および遠心分離機のうちの少なくとも１つをさらに備える。
【００６５】
さらに他の態様において、本発明は、粒子を検出する方法を提供するものであり、該方法は、電気運動力によって、粒子を、約０．０２ｐＬと約３００ｐＬの間の容積を有する第１取り調べ空間および、約０．０２ｐＬと約３００ｐＬの間の容積を有する第２取り調べ空間の中へ移動することと、
該サンプルを、少なくとも１つの連続波電磁放射源に曝すことと、
粒子が、第１取り調べ空間内で連続波電磁放射と相互作用する際、第１取り調べ空間内で粒子の第１電磁放射特性を測定することと、
粒子が、第２取り調べ空間内で連続波電磁放射と相互作用する際、第２取り調べ空間内で粒子の第１電磁放射特性および粒子の第２電磁放射特性の少なくとも１つを測定することとを含む。
【００６６】
本発明の更なる態様によれば、第２取り調べ空間は、複数の取り調べ空間を備える。
【００６７】
本発明のさらに他の態様によれば、該粒子は、第１粒子であり、該方法は、第２粒子を、第１取り調べ空間、第２取り調べ空間、第３取り調べ空間および第４取り調べ空間のうちの少なくとも２つに移動することと、
第２粒子が、第１取り調べ空間、第２取り調べ空間、第３取り調べ空間および第４取り調べ空間のうちの少なくとも１つの内部で連続波電磁放射と相互作用する際、第２粒子の第１電磁放射特性および第２粒子の第２電磁放射特性の少なくとも１つを測定することとをさらに含む。
【００６８】
本発明のさらに他の態様によれば、該方法は、第１取り調べ空間を第２取り調べ空間に連結することと、粒子移動に先だって流体を導入することとをさらに備える。
【００６９】
本発明の他の態様において、該方法は、粒子を、蛋白質、核酸、ナノ粒子(nanosphere)、マイクロ粒子(microsphere)、デンドリマー(dendrimer)、染色体(chromosome)、炭水化物(carbohydrate)、ウイルス、バクテリア、細胞、およびこれらの組合せからなるグループから選択することをさらに備える。
【００７０】
一態様において、粒子の組合せは、蛋白質、核酸、ウイルス、およびバクテリアからなるグループから選択される。
【００７１】
代替として、該方法は、粒子を、アミノ酸、ヌクレオチド(nucleotide)、脂質(lipid)、糖、微粒子毒素、ペプチド毒素、毒液(venom)、薬剤(drug)、およびこれらの組合せからなるグループから選択することをさらに備える。
【００７２】
本発明のさらに他の態様において、第１電磁放射特性および第２電磁放射特性のうちの少なくとも１つは、粒子の内的(intrinsic)パラメータおよび粒子の外的パラメータの１つによって作成される。
【００７３】
一態様において、該方法は、外的パラメータを付与するために、少なくとも１つのラベルを用いて粒子にマーキングすることをさらに備える。
【００７４】
更なる態様において、ラベルは、電磁放射を発生し、染料(dye)タグ、光散乱タグ、およびこれらの組合せからなるグループから選択される。
【００７５】
本発明の更なる態様において、粒子は、第１粒子であり、ラベルは、第１ラベルであり、第１粒子および第１ラベルは、複数の粒子および複数のラベルの混合物の中に含有されており、該方法は、
（ａ）複数の粒子の第１粒子から、複数のラベルの少なくとも１つの結合していないラベルを分離すること、または複数のラベルの少なくとも１つの結合していないラベルを検出不能にすることと、
（ｂ）薬剤と、複数の粒子の第１粒子とを相互作用させて、第１粒子に結合された第１ラベルを遊離させることと、
（ｃ）第１ラベルが第１粒子から遊離した後、第１ラベルを検出し、これにより第１粒子を間接的に検出することと、さらに備える。
【００７６】
本発明の一態様において、第１粒子から遊離した第１ラベルは、粒子である。他の態様において、粒子は、少なくとも２つの弁別可能なラベルでマーキングされる。１つの代替において、粒子は、共有(covalent)結合、イオン結合、疎水性結合、親和性(affinity)結合、水素結合、ファン・デル・ワールス力、配位複合体形成(coordination complex formation)、およびこれらの組合せからなるグループから選択される特定および不特定の相互作用の少なくとも１つを用いて、直接にラベル付けされる。
【００７７】
他の代替において、粒子は、特定の複合体を形成するため、少なくとも１つの結合パートナーとの培養(incubation)を用いて、間接的にラベル付けされ、結合パートナーは少なくとも１つのラベルを備えるものである。
【００７８】
一態様において、少なくとも１つの結合パートナーとの培養を用いて、粒子を間接的にラベル付けするステップは、共有(covalent)結合、イオン結合、疎水性結合、親和性(affinity)結合、水素結合、ファン・デル・ワールス力、配位複合体形成(coordination complex formation)、およびこれらの組合せからなるグループから選択される特定および不特定の相互作用の少なくとも１つを備える。
【００７９】
１つの代替において、粒子は、第１取り調べ空間および第２取り調べ空間のうちの少なくとも１つの内部で結合パートナーと培養される。他の代替において、粒子は、粒子移動に先立って結合パートナーと培養される。
【００８０】
さらに他の態様において、結合パートナーは、ポリヌクレオチド／ポリヌクレオチド相互作用、ポリヌクレオチド／ポリペプチド相互作用、ポリペプチド／ポリペプチド相互作用、およびこれらの組合せからなるグループから選択される。
【００８１】
一態様において、少なくとも１つの結合パートナーとの前記培養は、粒子を第１結合パートナーと培養することと、粒子を第２結合パートナーと培養することとを備え、第１結合パートナーおよび第２結合パートナーのうちの少なくとも１つは、少なくとも１つのラベルを備える。
【００８２】
本発明のさらに他の態様において、粒子を、第１取り調べ空間および第２取り調べ空間の中に移動することは、粒子を、毛細管ゲル電気泳動、ミセル電気運動クロマトグラフィー、等速回転電気泳動、磁界、およびこれらの組合せからなるグループから選択される分離機構に曝すことを備える。
【００８３】
１つの代替において、該方法は、第２粒子を、第１粒子の方向とはほぼ反対方向に移動することをさらに備える。
【００８４】
一態様において、粒子を、第１取り調べ空間および第２取り調べ空間の中に移動することは、電気運動力と、圧力勾配、重力、表面張力、遠心力、およびこれらの組合せからなるグループから選択される少なくとも１つの追加した力との組合せによって、粒子を移動することを備える。
【００８５】
本発明の他の態様において、粒子の移動度(mobility)は、電気運動力と、内的および外的パラメータの少なくとも１つを含む粒子の物理パラメータとの相互作用によって決定される。
【００８６】
一態様において、該方法は、外的パラメータを提供するため、少なくとも１つのラベルを用いて粒子をマーキングすることをさらに備える。
【００８７】
一態様において、ラベルは、粒子の移動度に影響を与えることが可能であり、電荷(charge)タグ、質量タグ、電荷／質量タグ、磁気タグ、およびこれらの組合せからなるグループから選択される。
【００８８】
更なる態様において、粒子は、少なくとも２つの弁別可能なラベルを用いてマーキングされる。
【００８９】
１つの代替において、粒子は、共有(covalent)結合、イオン結合、疎水性結合、親和性(affinity)結合、水素結合、ファン・デル・ワールス力、配位複合体形成(coordination complex formation)、およびこれらの組合せからなるグループから選択される特定および不特定の相互作用の少なくとも１つを用いて、直接にラベル付けされる。
【００９０】
他の代替において、粒子は、特定の複合体を形成するため、少なくとも１つの結合パートナーとの培養(incubation)を用いて、間接的にラベル付けされ、結合パートナーは少なくとも１つのラベルを備えるものである。
【００９１】
一態様において、少なくとも１つの結合パートナーとの培養を用いて、粒子を間接的にラベル付けすることは、共有(covalent)結合、イオン結合、疎水性結合、親和性(affinity)結合、水素結合、ファン・デル・ワールス力、配位複合体形成(coordination complex formation)、およびこれらの組合せからなるグループから選択される特定および不特定の相互作用の少なくとも１つを備える。
【００９２】
１つの代替において、粒子は、第１取り調べ空間および第２取り調べ空間のうちの少なくとも１つの内部で結合パートナーと培養される。他の代替において、粒子は、粒子移動に先立って結合パートナーと培養される。
【００９３】
さらに他の態様において、結合パートナーは、ポリヌクレオチド／ポリヌクレオチド相互作用、ポリヌクレオチド／ポリペプチド相互作用、ポリペプチド／ポリペプチド相互作用、およびこれらの組合せからなるグループから選択される。
【００９４】
一態様において、少なくとも１つの結合パートナーとの前記培養は、粒子を第１結合パートナーと培養することと、粒子を第２結合パートナーと培養することとを備え、第１結合パートナーおよび第２結合パートナーのうちの少なくとも１つは、少なくとも１つのラベルを備える。
【００９５】
本発明の更なる態様において、別々の結合パートナーの混合物は、粒子と培養される。
【００９６】
さらに他の態様において、粒子は、複数の粒子および複数のラベルの混合物中の第１粒子であり、第１粒子は、複数のラベルの第１ラベルを用いてラベル付けされ、第１ラベルを用いてラベル付けされた第１粒子は、複数の粒子のラベル付けされていない粒子および複数のラベルの結合していないラベルから弁別される。
【００９７】
さらに他の態様において、第１粒子は、複数のラベルの第２ラベルを用いてラベル付けされ、第１粒子は、第１ラベルの電磁特性および第２ラベルの電磁特性との比率を測定することによって、複数の粒子のラベル付けされていない粒子および複数のラベルの結合していないラベルから弁別される。
【００９８】
本発明の他態様において、少なくとも第１および第２粒子が検出され、該方法は、少なくとも第１および第２粒子を計数することをさらに備える。
【００９９】
１つの代替において、少なくとも第１および第２粒子を計数することは、サンプルの濃度と既知の濃度を有する外部粒子標準とを比較することによって、サンプル内の粒子の濃度を決定することを備える。
【０１００】
他の代替において、少なくとも第１および第２粒子を計数することは、サンプルの濃度と既知の濃度を有する内部粒子標準とを比較することによって、サンプル内の粒子の濃度を決定することを備える。
【０１０１】
さらに他の代替において、少なくとも第１および第２粒子を計数することは、外部粒子標準を使用せず、内部粒子標準を使用しないで、粒子の濃度を決定することを備える。
【０１０２】
本発明の他の態様において、第１および第２粒子は、複数の粒子および複数のラベルの混合物中にある第１および第２粒子であり、第１粒子は、これに付着した複数のラベルの第１ラベルを有し、第２粒子は、これに付着した複数のラベルの第２ラベルを有し、第１および第２ラベルは、それぞれ異なる所定の範囲を有し、さらに、第１粒子は、結合していないラベルによって生成される特性信号によって、複数のラベルの結合していないラベルから弁別され、第１粒子は、第１および第２ラベルの異なる範囲によって、第２粒子から弁別される。
【０１０３】
本発明の他の態様において、第１および第２粒子は、複数の粒子および複数のラベルの混合物中にある第１および第２粒子であり、第１粒子は、第１ラベルおよび、第１ラベルと弁別可能な第２ラベルを用いてラベル付けされ、第２粒子は、第１ラベルにほぼ類似した第３ラベルを用いてラベル付けされ、第１粒子は、第２粒子から、第２ラベルにほぼ類似した複数のラベルのあるラベルのみを用いてラベル付けされた複数の粒子の中の粒子から、複数の粒子のラベル付けされていない粒子から、そして、複数のラベルの結合していないラベルから、弁別される。
【０１０４】
１つの代替において、第１および第３ラベルは、電磁放射を発生し、第２および第４ラベルは移動度に影響を与え、第１粒子は、第２粒子から、移動度に影響を与えるラベルを用いてのみラベル付けされた複数の粒子の中の粒子から、複数の粒子のラベル付けされていない粒子から、そして、複数のラベルの中の結合していないラベルから、弁別される。
【０１０５】
他の代替として、第２粒子は、第２ラベルにほぼ類似した第４ラベルを用いてラベル付けされ、第１ラベルの電磁特性および第２ラベルの電磁特性との比率は、第３ラベルの電磁特性および第４ラベルの電磁特性との比率と異なり、第１粒子は、第１粒子および第２粒子のラベル比率間の差を測定することによって、第２粒子から弁別される。
【０１０６】
他の態様において、第１ラベル、第２ラベル、第３ラベルおよび第４ラベルの電磁特性は、波長である。
【０１０７】
さらに他の代替において、第２粒子は、第２ラベルにほぼ類似した第４ラベルを用いてラベル付けされ、第１ラベルおよび第２ラベルによって発生する電磁強度の合計は、第３ラベルおよび第４ラベルによって発生する電磁強度の合計と異なり、第１粒子は、第１および第２ラベルの強度の合計と第３および第４ラベルの強度の合計との間の差を測定することによって、第２粒子から弁別される。
【０１０８】
さらに他の態様において、第１粒子は、第１ラベルを用いてラベル付けされ、第２粒子は、第２ラベルを用いてラベル付けされ、第１粒子および第２粒子は、第１粒子の電磁特性と第２粒子の電磁特性との間の差を測定することによって、弁別される。
【０１０９】
一態様において、第１粒子および第２粒子の電磁特性は、波長である。
【０１１０】
１つの代替において、粒子は、固有に検出可能な特性を有する第１粒子であり、ラベルは、移動度に影響を与える第１ラベルであり、固有に検出可能な特性を有する第２粒子は、移動度に影響を与える第２ラベルを用いてラベル付けされ、第１および第２粒子は、第１および第２粒子の間の移動度の差を測定することによって、弁別される。
【０１１１】
他の代替において、粒子は、固有に検出可能な特性を有する第１粒子であり、ラベルは、移動度に影響を与える第１ラベルであり、固有に検出可能な特性を有する第２粒子はラベル付けされず、第１および第２粒子は、第１および第２粒子の間の移動度の差を測定することによって、弁別される。
【０１１２】
本発明の他の態様において、該方法は、第１取り調べ空間内で測定された粒子の電磁特性と、第２取り調べ空間内で測定された粒子の電磁特性とを比較することをさらに備える。
【０１１３】
一態様において、比較するステップは、測定した粒子の電磁特性の少なくとも１つと背景電磁放射との間の統計的分析によって弁別することを備える。
【０１１４】
更なる態様において、比較するステップは、測定した粒子の電磁特性の相互相関をとって、粒子の速度を決定することを備える。
【０１１５】
（参照による組み込み）
本明細書で言及した全ての刊行物および特許出願は、個々の刊行物または特許出願が参照により組み込まれるように具体的かつ個別に指示されたのと同程度に、参照によりここに組み込まれる。
【発明を実施するための最良の形態】
【０１１６】
本発明は、極めて低い濃度で、粒子の超高感度の検出、定量化および弁別のための分析器および分析器システム、ならびに該分析器および分析器システムを用いる方法を提供する。
【０１１７】
本発明の分析器システムの一実施形態を、図１に示す。図示したシステムは、複数のサンプルを自動的にサンプリング可能であり、サンプル容器と第１取り調べ空間との間の流体通路を提供するサンプリングシステムと、任意であるサンプル調製システムと、単一粒子を検出可能な分析器とを含み、分析器は、電磁（ＥＭ）放射源からの電磁放射を受けるように位置決めされ、電磁放射検出器を分離するように動作的に連結され、サンプルが通過する第１取り調べ空間および第２取り調べ空間を収容するものであり、そして、データ分析及び報告システムを含む。
【０１１８】
分析器は、小型で、耐久性があり、単一粒子、個々の粒子との相互作用、および単一粒子または粒子複合体を要するイベントの検出に関して正確である。
【０１１９】
分析器、分析器システムおよび関連した方法は、データ相互相関等を用いて、単一粒子についての特性速度、例えば、電気泳動速度を発生し決定するように使用することができ、単一粒子の速度を決定し、分析ノイズを最小化し、これらの速度、例えば、電気泳動速度、及び／又は電磁放射に基づいて粒子間を弁別する。
【０１２０】
分析器、分析器システムおよび関連した方法は、多数の粒子を含むサンプル中での少なくとも１つの粒子を弁別する能力を提供する。
【０１２１】
さらに、分析器、分析器システムおよび関連した方法は、多重ターゲット粒子または、単一サンプル中での１つ又はそれ以上のターゲット粒子の多重の識別可能な特性についての改善した検出を提供する。
【０１２２】
下記の実施形態は、例として、粒子検出の一手段として電磁放射を使用している。単一粒子検出の分野では、光学ベースの検出システム（即ち、レーザ誘起蛍光）は、一般に利用可能であり、当業者に周知である。しかしながら、粒子検出の他の方法、例えば、化学ルミネセンスまたは放射能タグなどの使用は、電磁放射をサンプルに供給する必要がなく、検出のみであるが、本発明の範囲内であると理解される。
【０１２３】
（装置／システム）
一態様において、本発明は、サンプル中の個々の粒子を検出可能である分析器を提供するものであり、粒子は、推進力(motive force)によって分析器の中を移動する。
【０１２４】
幾つかの実施形態では、分析器は、ＥＭ放射源として連続波（ＣＷ）レーザを使用する単一粒子検出機器を備え、２つの流体連結された取り調べ空間を含み、圧力が、サンプルを取り調べ空間の中で移動させるために用いられる。
【０１２５】
幾つかの実施形態では、分析器は、ＥＭ放射源として連続波（ＣＷ）レーザを使用する単一粒子検出機器を備え、２つの流体連結された取り調べ空間を含み、電気運動(electro-kinetic)力が、サンプルを取り調べ空間の中で移動させるために用いられる。
【０１２６】
他の態様において、本発明は、分析器システムを提供する。幾つかの実施形態では、該システムは、単一粒子（例えば、単一分子）を検出可能な分析器を含み、該検出機器は、サンプルを分析器に導入するためのサンプリングシステムと流体連結された１つの取り調べ空間を含み、電磁放射を発生するための電磁放射源を含み、取り調べ空間は、電磁放射源から発生するＥＭ放射を受けるように位置決めされており、第１取り調べ空間と動作可能に連結して、粒子（例えば、分子）の第１電磁放射特性を測定する第１電磁放射検出器を含む。
【０１２７】
幾つかの実施形態では、該システムは、単一粒子（例えば、単一分子）を検出可能な分析器を含み、該検出機器は、流体連結された２つの取り調べ空間と、サンプルを分析器に導入するためのサンプリングシステムとを含み、電磁放射を発生するための電磁放射源を含む。
【０１２８】
好ましい実施形態では、サンプリングシステムは、人間のオペレータからの介入なしで、複数のサンプルをサンプリング可能な自動サンプリングシステムである。
【０１２９】
幾つかの実施形態では、該システムは、サンプル回収機構を含み、分析後に、サンプルの一部またはほぼ全てが回収することができる。
【０１３０】
幾つかの実施形態では、該システムは、サンプル調製機構を提供し、サンプルは、単一粒子分析器による分析用に部分的または全て調製される。
【０１３１】
幾つかの実施形態では、該システムは、分析を制御し、及び／又は生データを分析するためのコンピュータを提供し、更なる実施形態では、この分析結果を報告するための報告装置を提供する。
【０１３２】
（サンプルおよび粒子）
本発明は、幅広いサンプルおよびサンプル内に含まれる粒子について、高い感度で、丈夫で、再現性のある分析のための分析器および分析器システムを提供する。本発明は、粒子の存在、不在及び／又は濃度の検出方法を提供する。
【０１３３】
（サンプル）
処理して又は処理しないで、システムの取り調べ空間を移動可能であり、システムの検出器により検出可能な粒子を含みまたは含み得る何れのサンプルは、本発明の単一粒子分析器または分析器システムによって、分析することができる。
【０１３４】
これらは、以下に限定されないが、工業的応用からのサンプル、環境サンプル、農業サンプル、バイオテロサンプル、医療のスクリーニング、診断、予後、治療のためのサンプル、臨床または前臨床トライアルなど、生物医学または他の研究からのサンプルなどである。
【０１３５】
サンプルは、体外または体内のソースからでもよく、これらの組合せでもよい。システムは、生物医学研究、診断または治療のための臨床サンプルの分析にとって、特に有用である。
【０１３６】
分析評価は、例えば、下記実施形態で記載したように、生物学的サンプル、例えば、生物学的流体において、本発明の方法を用いて実行することができる。
【０１３７】
こうした流体は、以下に限定されないが、気管支肺胞洗浄(bronchoalveolar lavage)液（ＢＡＬ）、血液、血清(serum)、血漿(plasma)、尿(urine)、脳脊髄(cerebrospinal)液、肋膜(pleural)液、滑液(synovial fluid)、腹膜(peritoneal)液、羊水(amniotic fluid)、胃液(gastric fluid)、リンパ(lymph)液、間質(interstitial)液、組織ホモジェネート(homogenate)、細胞抽出物、唾液(saliva)、痰(sputum)、大便(stool)、生理学分泌物(secretions)、涙、粘液(mucus)、汗、乳、精液(semen)、精漿(seminal fluid)、膣(vaginal)分泌物、潰瘍(ulcers)や他の表面の発疹、水疱(blisters)、膿瘍(abscesses)からの液、良性、悪性および疑わしい組織の生体組織検査(biopsies)を含む組織抽出物、または、対象となるターゲット粒子を含むことがある他の何れかの身体要素などである。他の同様な標本、例えば、細胞、組織培養、または培養液も対象である。
【０１３８】
幾つかの実施形態では、サンプルは、血液サンプルである。幾つかの実施形態では、サンプルは、血清または血漿サンプルである。幾つかの実施形態では、サンプルは、気管支肺胞洗浄液（ＢＡＬ）サンプルである。幾つかの実施形態では、サンプル、例えば、血液、血清または血漿サンプルは、追加の処理なしで本発明の方法で使用される。他の実施形態では、ここで説明するように、サンプルは、例えば、対象となる１つ又はそれ以上の粒子にラベル付けするために処理される。処理は、本発明の分析器システムへのサンプル導入前に行ってもよく、サンプルをシステムに導入した後に行ってもよい。
【０１３９】
（分析用の粒子）
本発明の分析器および分析器システムを用いた、少なくとも１つの単一粒子を検出するための方法も提供される。この単一粒子分析器の特定の特徴は、幅広い範囲の粒子を検出する能力である。分析器によって検出可能な粒子は、以下に限定されないが、分子、超分子(supramolecular)複合体、オルガネラ(organelles)、ビーズ、分子の会合(associations)、超分子複合体の会合、有機体(organism)である。
【０１４０】
本発明の分析器および関連した方法を用いて検出可能な分子の粒子の例は、蛋白質などのバイオポリマー、核酸、炭水化物(carbohydrate)、有機および無機の小粒子化学物体などである。
【０１４１】
後者の例は、以下に限定されないが、抗自己免疫欠損症候群物質、抗体、抗癌物質、抗生物質、抗ウイルス物質、酵素、酵素抑制剤、神経毒、筋弛緩物質および抗パーキンソン物質、抗痙攣および筋収縮物質、縮瞳および抗コリン作用物質、免疫抑制物質（例えば、シクロスポリン(cyclosporine)）、抗緑内障溶質、抗寄生生物及び／又は抗原生動物溶質、抗高血圧物質、鎮痛薬、解熱剤、抗炎症剤（例えば、非ステロイド消炎性薬剤）、局部麻酔薬、眼科、プロスタグランジン類、抗うつ剤、抗精神病物質、鎮吐剤、造影剤、特定ターゲット剤、神経伝達物質、蛋白質、細胞応答調整剤、などである。
【０１４２】
同様に、検出可能な化学物質は、アミノ酸、ヌクレオチド、脂質、糖、薬剤、毒素、毒液、基質、ファルマコフォア、およびこれらの組合せなどの微粒子を含む、
【０１４３】
蛋白質は、幅広い治療学および診断学で対象となり、例えば、細胞群、血液型、病原体、病原体への免疫応答、免疫複合体、糖類、レクチン、自然発生レセプタなどの検出などである。
【０１４４】
検出可能な粒子の他の例は、ナノ粒子(nanosphere)、マイクロ粒子(microsphere)、デンドリマー(dendrimer)、染色体(chromosome)、オルガネラ、ミセル、キャリア粒子などである。オルガネラの例は、細胞核、ミトコンドリア、リボソーム、エンドソームなどの亜細胞粒子などである。
【０１４５】
有機体の例は、ウイルス、バクテリア、真菌細胞、動物細胞、植物細胞、真核生物細胞、原核生物細胞、古代バクテリア(archeobacter)細胞、およびこれらの組合せ、などである。
【０１４６】
粒子の複合体からなる粒子には、ラベルが結合した有機体、２つ又はそれ以上の核酸の複合体、１つ又はそれ以上の抗体または抗体フラグメントと結合したターゲット粒子の複合体、などである。
【０１４７】
２つ又はそれ以上のタイプの単一粒子が検出される複合体は、蛋白質、レセプタ、ＤＮＡ、ＲＮＡ、ＰＮＡ、ＬＮＡ、炭水化物、オルガネラ、ウイルス、細胞、バクテリア、真菌、これらのフラグメント、およびこれらの組合せから選択される粒子などである。
【０１４８】
これらおよび他の粒子を検出するために、ここで提供される多数の実施例の観点から、当業者は、本発明の分析器および関連した方法をどのように適合させるかについて認識するであろう。
【０１４９】
一実施形態では、分析器および関連した方法によって検出可能な化学物質は、合成または天然のホルモン、天然薬剤、合成薬剤、汚染物質、アレルゲン、影響粒子、成長因子、ケモカイン、サイトカイン、リンフォカイン、アミノ酸、オリゴペプチド、化学中間物質、ヌクレオチド、オリゴヌクレオチドなどである。
【０１５０】
特に対象となるものは、ウイルス、原核生物および真核細胞、例えば、真菌、動物、哺乳類などの単細胞および多細胞有機体細胞、これらのフラグメントを含む微生物および細胞である。
【０１５１】
本発明の方法は、病原体(pathogen)を検出するためにも使用できる。対象となる病原体は、以下に限定されないが、ヘルペスウイルス、ポックスウイルス、トガウイルス、フラビウイルス、ピコルナウイルス、オルトミクソウイルス、パラミクソウイルス、ラブドウイルス、コロナウイルス、アレナウイルス、レトロウイルスなどのウイルスである。
【０１５２】
これらはまた、以下に限定されないが、大腸菌、緑膿菌、エンテロバクタ・クローエカ(Enterobacter cloacae)、黄色ブドウ球菌、大便連鎖球菌、肺炎桿菌、ネズミチフス菌、表皮ブドウ球菌、セラチア−マルセスセンス、ウシ結核菌、メチシリン耐性黄色ブドウ球菌、尋常変形菌などのバクテリアを含む。
【０１５３】
こうした病原体の例は、上述のものに限定されないが、当業者は、どの特定種の微生物および寄生生物が、本発明の所定の設定または応用に特に重要であるかを知ることになろう。
【０１５４】
更なる例は、ここに提供される。さらに、これらの有機体および関連した病気の網羅的でないリストが、例えば、ウォリア(Warinner)に付与された米国特許第５７９５１５８号において見つけることができ、これは参照によりここに全体として組み込まれる。
【０１５５】
臨床上対象となる他の粒子は、炎症用（例えば、文献Lucey et al. (1996) Clin Microbiol. Rev. 9:532-62）、癌用（例えば、Sidransky (2002) Nat. Rev. Cancer 2: 210-219; Etzioni et al. (2003) Nat. Rev. Cancer 3:243- 52）またはアルツハイマー病用（例えば、Golde (2003) J. Clin. Invest. 111 :11-18）のバイオマーカーである。
【０１５６】
一実施形態では、幾つかの粒子のタイプが、同じサンプル中で検出し、弁別可能であるる。本発明の応用に特に対象となる粒子の組合せの例は、感染物質／その抗体、感染物質／核酸／毒素、癌細胞／異常(dysregulated)蛋白質、ｍＲＮＡ／対応する蛋白質転写産物、遺伝子（ＤＮＡ）／メッセージ（ＲＮＡ）、遺伝子（ＤＮＡ）／蛋白質、ウイルス／毒素、バクテリア／毒素、酵素／基質、酵素／生成物、などである。
【０１５７】
幾つかの実施形態では、粒子パネル(panel)は、その存在、不在及び／又は濃度は、ある条件または一群の条件に関連しているものであり、本発明のシステムによって分析可能である。
【０１５８】
ここで説明した方法は、複合粒子を含むサンプル中で、少なくとも１つの粒子を単独で弁別可能とするものである。粒子の増幅は必要でない。複合粒子は、微粒子、核酸（例えば、単鎖の、二重鎖のＤＮＡ、ＲＮＡ、およびこれらのハイブリッド）、蛋白質（例えば、ペプチド、ポリペプチド、蛋白質類）、有機および無機の分子（例えば、代謝産物、サイトカイン、ホルモン、神経伝達物質など）、有機体（例えば、ウイルス、細胞）などである。
【０１５９】
これに関して、複合粒子を含むサンプルは、複数の微粒子、複数の核酸粒子、複数の蛋白質粒子、複数の有機及び／又は無機分子の粒子、複数の細胞及び／又はウイルス、またはこれらの種々の組合せなどである。
【０１６０】
こうして、サンプル中の、（ｉ）核酸、微粒子、有機および無機の分子、または蛋白質、（ｉｉ）核酸と微粒子、（ｉｉｉ）核酸と蛋白質、（ｉｖ）蛋白質と微粒子、（ｖ）核酸と有機および無機の分子、（ｖｉ）核酸、微粒子、蛋白質および上記の組合せを含む任意の粒子が、細胞／ウイルスと弁別可能である。
【０１６１】
さらに上記粒子に加えて、複合体を含む粒子は、例えば、ラベルとハイブリッド化(hybridized)した核酸、抗体−抗原複合体、リガンド−レセプタ複合体、酵素−基質複合体、蛋白質−核酸複合体であり、これらの方法を用いて弁別可能である。
【０１６２】
（単一粒子分析器）
図３に示すように、本発明の一実施形態の分析器は、全体を参照符号１０で示している。分析器１０は、２つの連続波電磁放射源１２と、ミラー１４と、レンズ１６と、毛細管(capillary)フローセル１８と、２つの顕微鏡対物レンズ２０と、２つのアパーチャ２２と、２つの検出器レンズ２４と、２つの検出器フィルタ２６と、２つのシングルフォトン検出器２８と、検出器と動作可能に接続されたプロセッサ３０とを含む。
【０１６３】
動作の際、電磁放射源１２は、これらのビーム３２，３４がミラー１４の前側表面３６で反射するように整列している。レンズ１６は、ビーム３２，３４を、毛細管フローセル１８における２つの別個の取り調べ(interrogation)空間（例えば、図４に示すような取り調べ空間３８，４０）の中に集束させる。顕微鏡対物レンズ２０は、サンプル粒子からの光を集めて、ビーム３２，３４の像をアパーチャ２２上に形成する。
【０１６４】
アパーチャ２２は、毛細管フローセル１８の壁からの散乱を阻止する。検出器レンズ２４は、アパーチャ２２を通過した光を集めて、検出器フィルタ２６を通過した後、光を検出器２８の有効エリア上に結像する。検出器フィルタ２６は、ノイズ信号（例えば、散乱光、周囲光）を最小化し、粒子からの光信号を最大化するのを促進する。プロセッサ３０は、ここで説明する方法に従って、粒子からの光信号を処理する。一実施形態では、顕微鏡対物レンズ２０は、高い開口数の顕微鏡対物レンズである。
【０１６５】
本発明の分析器の毛細管フローセル１８の一実施形態は、図４に示す。図４に示すように、連続波電磁放射源１２（図３）からの２つのビーム３２，３４は、予め定めた距離（例えば、約１００μｍ）だけ離れたターゲット上に光学的に集光される。ビーム３２，３４は、サンプルが充填された毛細管フローセル１８の長さに対して垂直である。ビーム３２，３４は、特定の検出ラベルを励起するように選択された予め定めた波長で動作する。
【０１６６】
分析器１０（図３）の複数の取り調べ空間３８，４０は、個々のビーム３２，３４の直径、及び／又は選択した個々のビーム３２，３４の切片(segment)によってそれぞれ決定される。取り調べ空間３８，４０は、適切なサンプル濃度で、それぞれの観測期間中に１つの粒子だけが各取り調べ空間内に存在するように、それぞれ設定される。ビーム３２，３４は、本発明の範囲から逸脱しないように、別の直径を有してもよいが、一実施形態では、各ビームは約５μｍの直径を有する。
【０１６７】
サンプルには、推進力が印加される。一実施形態では、推進力は圧力である。幾つかの実施形態では、推進力は、粒子を電気泳動的に移動するためにサンプルに印加される電界である。幾つかの実施形態では、推進力、例えば、圧力および電界の組合せが用いられる。電気泳動条件下で、同程度の電荷および質量の粒子は、ほぼ同じ速度でセル１８の中を移動する。
【０１６８】
粒子がビーム３２，３４を通過する際、各蛍光粒子が１つのフォトン励起によって励起される。１秒より短い時間で、励起された粒子は緩和し、検出可能な光を発生する。励起−発光サイクルは、取り調べ空間３８または４０を通過する際、分析器１０（図３）が各粒子につき数万個のフォトンを検出できるように、ビームを通過するのに要する長さで、各粒子ごとに何回も繰り返される。
【０１６９】
蛍光粒子によって発生したフォトンは、粒子（または分子複合体）が１つの検出器の取り調べ空間から第２検出器の取り調べ空間へ通過する時間を示す時間遅延を伴って、両方の検出器２６（図３）に記録される。
【０１７０】
フォトン強度は、検出器２６によって記録される。検出器２６で検出された信号は、自由に選択可能な時間チャネル幅を持つ、均等かつ任意の時間セグメントに分割される。各セグメントに含まれる信号の数が確定する。統計的分析の１つまたは幾つかの組合せが、粒子の存在について評価される。こうして、粒子が、確率論的な背景ノイズから弁別される。
【０１７１】
本発明の分析器５０の共焦点配置は、図５に示している。２つの連続波電磁放射源１２からのビーム３２，３４は、単一の顕微鏡対物レンズ５２によって結合され、毛細管フローセル１８の内部に、２つの取り調べ空間（例えば、図４に示す取り調べ空間３８，４０）を形成する。
【０１７２】
レーザ光を反射して、蛍光を通過させるダイクロイックミラー５４が、蛍光をレーザ光から分離するために用いられる。検出器２６の前方にある追加のフィルタ５６は、検出器での非蛍光を除去している。
【０１７３】
（推進力）
粒子は、推進力によって取り調べ空間の中を移動する。幾つかの実施形態では、粒子を移動させるための推進力は、圧力である。幾つかの実施形態では、圧力は、ポンプ、エア圧力源、真空源、遠心分離機、またはこれらの組合せによって供給される。幾つかの実施形態では、圧力は、ポンプによって供給される。幾つかの実施形態では、推進力は、電気運動力である。磁気力（例えば、磁気粒子の運動を制御するため）または光学力を使用してもよい。力の組合せを用いてもよい。
【０１７４】
（圧力）
例えば、ポンピングを用いて粒子を移動する場合、２つの取り調べ空間での粒子観測の間の時間遅延は、均等で予測可能なものであり、即ち、時間オフセットは予め決定でき、粒子をノイズから弁別するのに役立つ。他の推進力、例えば、電気泳動を用いた場合、オフセットを予測するのはより困難である。サンプル中の複数の種は、多様な速度で移動するようになるためであり、これらは電気泳動移動度によって決定される。幾つか実施形態では、圧力は、ポンプを用いてサンプルを移動するために供給される。
【０１７５】
適切なポンプは、先行技術で知られており、例えば、ＨＰＬＣ等の応用に、サイベックス社(Scivex, Inc.)によって製作されたものである。より少量をポンピングするために（例えば、サンプル濃度が制限されない場合）、米国特許第５０９４５９４号、第５７３０１８７号、第６０３３６２８号、第６５３３５５３号などに記載されたマイクロ流体ポンプが使用でき、これらは、ナノリットルまたはピコリットルの範囲の流体容積をポンプできる装置を開示している。好ましくは、サンプルと接触するポンプ内部の材料全部が、高い不活性材料、例えば、ポリエーテルエーテルケトン（ＰＥＥＫ）、溶融シリカ、サファイアなどで作成される。
【０１７６】
標準ポンプには種々のサイズがあり、適当なサイズのものが、予想されるサンプルサイズおよびフロー要件に適合するように選択できる。幾つかの実施形態では、サンプル分析用およびシステムの流水洗浄用に、別個のポンプが用いられる。分析ポンプは、例えば、約０．０００００１ｍＬ〜約１０ｍＬ、または、約０．００１ｍＬ〜約１ｍＬ、または、約０．０１ｍＬ〜約０．２ｍＬ、または、０．００５、０．０１、０．０５、０．１もしくは０．５ｍＬの容量を有してもよい。洗浄ポンプは、分析ポンプより大きな容量のものでもよく、例えば、約０．０１ｍＬ〜約２０ｍＬ、または、約０．１ｍＬ〜約１０ｍＬ、または、約０．１ｍＬ〜約２ｍＬ、または、０．０５、０．１、０．５、１、５もしくは１０ｍＬの容量のものである。
【０１７７】
これらのポンプサイズは、例示に過ぎず、当業者は、応用、サンプルサイズ、ポンプすべき流体の粘度、配管の寸法、フローレート、温度、およびこの分野で周知の他の要因に従ってポンプサイズが選択できることは理解するであろう。幾つかの実施形態では、システムのポンプは、ステップモータで駆動され、これは、マイクロプロセッサを用いて極めて正確に制御するのが容易である。
【０１７８】
好ましい実施形態では、洗浄および分析ポンプは、フロー方向を制御するための特別な逆止弁とともに、直列で使用される。配管は、分析ポンプが最大サンプルを引き上げる場合、サンプルがポンプ自体に届かないように、設計される。これは、分析ポンプと分析毛細管との間の配管のＩＤおよび長さを選択することによって、達成され、配管容積が分析ポンプのストローク容量より大きくなるようにしている。
【０１７９】
幾つかの実施形態では、粒子およびサンプルを移動するために、エア圧力が用いられる。エア圧力源およびこれらの制御はこの分野で知られている。
【０１８０】
（電気運動力など）
粒子の電気運動的な移動のために電界を発生するには、高電圧電源（不図示）が、電極、例えば、プラチナ電極を用いてサンプルに接続され、例えば、１つの電極がサンプル毛細管の各端部に配置できる。約１０〜約１０００Ｖ／ｃｍの範囲の電圧が適切であろう。
【０１８１】
電気運動力は、他の推進力とともに組合せてもよい。例えば、追加の力は、サンプル内の全ての粒子の速度を同じ程度に変更するために使用できる。幾つかの実施形態では、追加の力は、異なるタイプの粒子間、または粒子と結合したラベルと結合していないラベルの間を区別する方法を提供する。追加の力をサンプルに印加する方法の一例は、上述のような、ポンプを用いた圧力（および真空）である。
【０１８２】
一実施形態では、シリンジポンプが用いられる。しかしながら、本発明の範囲を逸脱せずに、重力供給、容積移送式ポンプ、ローラ型ポンプなど何れかの制御可能な流体配給システムを用いて、圧力をサンプルに印加できる。
【０１８３】
流体フロー用の遠心力は、回転ディスク（不図示）など、取り調べ空間３８，４０と動作可能に連結された構成部品（不図示）を必要とする。
【０１８４】
これらの構成部品は、ディスクと一体に、または装着されるモジュールとして、ディスクと接触または内蔵するように搭載して組み立て可能である。
【０１８５】
一実施形態では、磁界中で磁性材料を選択的に保持することによって、磁気分離が用いられる。この技術は、磁気粒子を用いてラベル付けされた非磁性ターゲットにも適用できる。この技術の１つの応用では、ターゲット材料を磁気粒子に付着することによって、粒子がラベル付けされる。付着は、一般に、共役のための官能基を提供する粒子上のコーティングと共役である特定の結合パートナーとの粒子の会合による。
【０１８６】
当業者は、下記実施例で説明するように、こうした磁気粒子共役がこの分野で周知であると認識するであろう。キットでは、ニューイングランド・バイオラボ(New England Biolabs)（バーバリー、マサチューセッツ州）、チアゲン(Qiagen)（バレンシア、カリフォルニア州）から入手可能である。
【０１８７】
対象となる材料、あるいはターゲットは、磁気タグと連結して、流体中に浮遊しており、そして、取り調べ空間３８，４０へ導入するためにチャンバ（不図示）に供給される。チャンバを横断して供給される磁気傾斜の存在下で、磁気的にラベル付与されたターゲットは、チャンバ内で保持され、チャンバがマトリクスを含む場合は、マトリクスと会合する。
【０１８８】
磁気ラベルを有していない材料は、チャンバを通過する。そして、保持された材料は、磁界の強さを変えたり除去することによって、溶出される。磁界は、永久磁石または電磁石によって供給可能である。所望のターゲットサンプル材料に関する選択性は、磁気粒子と共役である特定の結合パートナーによって提供される。磁界が印加されるチャンバには、適切な磁化率の材料からなるマトリクスがしばしば設けられ、高い磁界傾斜を、チャンバ内のマトリクス表面に近接した部分に局所的に誘導する。
【０１８９】
他の実施形態では、サンプルは、電気泳動サンプルチャネルにサンプルを配置するなどによって、電気泳動にかけられる。サンプル流体内での粒子の移動度は、粒子の特性とともに変化する。電気運動力によって生成される移動速度は、単一粒子の相対電荷および質量によって決定される。粒子の移動は、電荷／質量タグなど、粒子に付着したラベルのタイプによって変化し得る。
【０１９０】
他の実施形態では、２つ又はそれ以上の粒子が存在する場合、少なくとも１つの粒子が少なくとも２つの取り調べ空間３８，４０の中を、他の粒子と反対の方向に移動することがある。従って、それぞれ検出可能にラベル付けされた粒子の電気泳動移動度が決定される。それぞれ検出可能にラベル付けされた粒子の電気泳動速度の決定に基づいて、複数の粒子を含むサンプル中の単一粒子が弁別可能になる。免疫学的検定または核酸ハイブリッド形成ラベリング技術との組合せでほぼ大部分の電気泳動分離技術が、本発明の場面で使用に適合し得る。
【０１９１】
粒子間の弁別するために、電気運動力は、他の推進力、例えば、圧力、真空、表面張力、重力および遠心力などと組合せ可能である。一実施形態では、２つ又はそれ以上の粒子が存在する場合、これらの力は、これらの異なる作用がサンプル中の別々の粒子に加わるように選択でき、その結果、少なくとも１つの粒子が、他の粒子と異なる速度で、少なくとも２つの取り調べ空間３８，４０の中を移動するようになる。
【０１９２】
粒子の速度は、流体フローと調和することができ、あるいは、少なくとも１つの粒子が流体フローとは逆平行に移動することができる。他の実施形態では、少なくとも１つの粒子が、流体フロー速度を超える逆平行速度を持つ。他の実施形態では、少なくとも１つの粒子が、流体フローに対して垂直な動きとなる。他の実施形態では、少なくとも１つの粒子が、流体フローに対して逆平行と垂直の組合せによる動きになる。
【０１９３】
（ＥＭ放射源）
外的ラベルまたは粒子の内的特性が、光相互作用するラベルまたは特性、例えば、蛍光ラベルまたは光散乱ラベルなど、である本発明の実施形態では、ラベル及び／又は粒子を照射するために、ＥＭ放射源が使用される。例えば、化学ルミネセンスラベルが用いられる他の実施形態では、必ずしも粒子の検出用のＥＭ源を利用する必要はない。蛍光励起用のＥＭ放射源が好ましい。
【０１９４】
図３と図５では、２つの連続波電磁放射源１２を示したが、本発明の範囲から逸脱せずに、１つだけの連続波電磁放射源を使用してもよいと理解すべきである。さらに、１つだけの連続波電磁放射源１２を使用した場合、供給源は、電磁放射を、任意の数の別々の取り調べ空間に向けるように、任意の数のビームに分けてもよい。
【０１９５】
図３に示した実施形態では、各取り調べ空間３８，４０は、別々の連続波電磁放射源１２を有する。図３と図５では、２つの供給源１２を示したが、本発明の範囲から逸脱せずに、任意の数の供給源を使用してもよい。幾つかの場合は、全ての連続波電磁放射源が同じ波長の電磁放射を発生する。他の実施形態では、別々の供給源は、異なる波長の電磁放射を発生する。別々の供給源の構成および取り調べ空間が設計可能である。例えば、一実施形態では、異なる発光波長を持つ２つ又はそれ以上の連続波電磁放射源は、同じ取り調べ空間を照射するために使用できる。この構成は、複数の取り調べ空間に拡張可能である。他の実施形態では、各取り調べ空間は、異なる波長の電磁放射を用いて照射される。当業者は、照射波長および取り調べ空間の多くの異なる組合せが、本発明の分析器とともに使用できると理解すべきである。
【０１９６】
本発明の範囲から逸脱せずに、他の供給源が使用でき、一実施形態では、供給源１２は、約２００と約１０００ｎｍの間の波長を発生する連続波レーザである。こうした供給源１２は、小型で耐久性があり、比較的安価であるという利点がある。さらに、これらは、他の抗原より大きな蛍光信号を発生する能力を有する。
【０１９７】
適切な連続波電磁放射源の具体例は、以下に限定されないが、アルゴン、クリプトン、ヘリウム−ネオン、ヘリウム−カドミウム型のレーザ、そして、波長可変ダイオードレーザ（赤から赤外領域）であり、いずれも周波数の２倍波の可能性を持つ。
【０１９８】
レーザは、これらの照射を中断するための電子的または機械的な装置、例えば、シャッタなどの付属品なしで、連続照射を提供する。
【０１９９】
ＬＥＤは、他の低価格で高い信頼性の照射源である。高輝度ｌＥＤおよび高い吸収断面および量子収量を持つ染料での近年の進歩は、ＬＥＤの単一粒子検出への応用可能性を支援する。
【０２００】
こうしたレーザは、単独でまたは他の光源、例えば、水銀アークランプ、元素アークランプ、ハロゲンランプ、アーク放電、プラズマ放電、発光ダイオード、またはこれらの組合せ、との組合せで使用できる。
【０２０１】
最適なレーザ強度は、単一染料の光ブリーチング(bleaching)特性および取り調べ空間を横切るのに必要な時間長さ（粒子の速度、取り調べ空間の間の距離、取り調べ空間の間のサイズなど）に依存する。最大信号を得るには、染料の高い割合で光ブリーチングを生じさせない最も高い強度で、サンプルを照射するのが望ましい。好ましい強度は、粒子が最後の取り調べ空間を横切る時間までに、染料のわずか５％しかブリーチングされないようにしたものである。
【０２０２】
一実施形態では、取り調べ空間３８，４０は、対応するビーム３２，３４の断面積および検出器の視野内のビーム切片によって決定される。本発明の一実施形態では、取り調べ空間３８，４０は、０．０２ｐＬと３００ｐＬの間である。本発明の一実施形態では、取り調べ空間３８，４０は、０．０２ｐＬと５０ｐＬの間である。他の実施形態では、取り調べ空間３８，４０は、約０．１〜約２５ｐＬの範囲にある。好ましくは、取り調べ空間は、約１ｐＬである。当業者は、取り調べ空間３８，４０は、分析器の最大性能のための選択できると理解すべきである。
【０２０３】
背景ノイズを最小化するために、極めて小さい取り調べ空間を示したが、大きな取り調べ空間は、低濃度サンプルが妥当な時間で分析できるという利点を有する。
【０２０４】
本発明の一実施形態では、取り調べ空間は、約１０００ｆＭ〜約１ゼプトモル（ｚＭ）の範囲の濃度で粒子の検出を可能するのに充分な大きさである。本発明の一実施形態では、取り調べ空間は、約１０００ｆＭ〜約１アトモル（ａＭ）の範囲の濃度で粒子の検出を可能するのに充分な大きさである。本発明の一実施形態では、取り調べ空間は、約１０ｆＭ〜約１アトモル（ａＭ）の範囲の濃度で粒子の検出を可能するのに充分な大きさである。
【０２０５】
多くの場合、大きな取り調べ空間は、追加の予備濃縮の装置または技術を使用せずに、約１ｆＭ未満の濃度で粒子の検出を可能する。当業者は、多くの適切な取り調べ空間サイズは、検出すべき粒子の輝度、背景ノイズのレベル、および分析すべきサンプルの濃度に依存することを認識するであろう。
【０２０６】
取り調べ空間３８，４０のサイズは、分析器の光学系を調整することによって、制限できる。一実施形態では、ビーム３２，３４の直径は、取り調べ空間３８，４０の容積を変えるように調整可能である。他の実施形態では、検出器２６の視野が可変である。こうして供給源１２および検出器２６は、単一粒子が取り調べ空間３８，４０内部で照射され、検出されるように調整可能である。
【０２０７】
他の実施形態では、検出器２６の視野を決定するスリット２２（図３）の幅が可変である。この構成は、取り調べ空間をほぼリアルタイムで変更することを可能とし、多かれ少かれ濃度調整したサンプルを補償して、２つまたはそれ以上の粒子が同時に取り調べ空間内にあるという低い確率を確保している。
【０２０８】
取り調べ空間への物理的制限は、固体壁によってもたらされる。一実施形態では、サンプル流体が毛細管内に含まれる場合、壁は、１つ又はそれ以上のセル１８壁である。一実施形態では、セル１８は、ガラス製であり、それ以外に、約２００〜約１０００ｎｍ以上の範囲の光に対して透明な他の物質、例えば、石英(quartz)、溶融シリカ、および有機材料、例えば、テフロン（登録商標）、ナイロン、プラスチック、例えば、ポリ塩化ビニル、ポリスチレン、ポリエチレン、またはこれらの組合せが、本発明の範囲を逸脱せずに使用できる。
【０２０９】
他の断面形状（例えば、矩形、円柱）が、本発明の範囲を逸脱せずに使用できるが、一実施形態では、毛細管フローセル１８は、四角断面を有する。他の実施形態では、取り調べ空間は、チップ（不図示）の中にエッチングされたチャネル（不図示）によって少なくとも部分的に規定してもよい。
【０２１０】
取り調べ空間３８，４０は、流体によって連結される。一実施形態では、流体は、水性(aqueous)である。他の実施形態では、流体は、非水性または、水性流体と非水性流体の組合せである。さらに、流体は、ｐＨ、イオン組成を調整するための薬剤、または篩分け(sieving)剤、例えば、可溶性のマクロ粒子またはポリマーまたはゲルなど、を含んでもよい。
【０２１１】
流体連結を一時的に遮断するために、弁または他の装置が取り調べ空間の間に存在してもよいことは想定される。一時的に遮断された取り調べ空間は、流体によって連結されると考えられる。本発明の他の実施形態では、取り調べ空間３８，４０は、希釈液体積内でサンプル材料の層状フロー、いわゆるシース(sheath)フローのサイズによって制約される。
【０２１２】
取り調べ空間３８，４０は、シースフロー単独で、または照射源の寸法または検出器の視野との組合せによって規定できる。シースフローは、下記に列挙したような数多く方法で構成できる。
【０２１３】
１．サンプル材料は、同心状の層流(laminar flow)において内側材料であり、希釈液体積は外側にある。
【０２１４】
２．希釈液体積は、サンプル体積の一方の側にある。
【０２１５】
３．希釈液体積は、サンプル材料の２つの側にある。
【０２１６】
４．希釈液体積は、サンプル材料の複数の側にあるが、サンプル材料を完全には包囲していない。
【０２１７】
５．希釈液体積は、サンプル材料を完全に包囲する。
【０２１８】
６．希釈液体積は、サンプル材料を同心状に完全に包囲する。
【０２１９】
７．サンプル材料は、不連続な液滴中での内側材料であり、希釈液体積は、サンプル材料の各液滴を完全に包囲する。
【０２２０】
当業者は、ある場合には、分析器が、３つ，４つ，５つ，６つまたはそれ以上の別々の取り調べ空間を含むであろうことは認識するであろう。
【０２２１】
（検出器）
一実施形態では、光（例えば、紫外、可視または赤外の範囲の光）は、検出される電磁放射である。検出器２６は、例えば、蛍光粒子からのフォトンバーストの振幅および持続期間を捕捉し、これらを電子信号に変換することが可能である。ＣＣＤカメラ、ビデオ入力モジュールカメラ、ストリーク(Streak)カメラなどの検出装置が、切れ目ない信号を伴う像を生成するために使用できる。
【０２２２】
他の実施形態では、連続信号を生成する、例えば、ボロメータ、フォトダイオード、フォトダイオードアレイ、アバランシェフォトダイオード、光電子増倍管などの装置が使用できる。上述した検出器の他の組合せも使用できる。一実施形態では、アバランシェフォトダイオードが、フォトン検出用に用いられる。
【０２２３】
取り調べ空間３８，４０と対応する検出器２６の間に特定の光学系を用いて、発生電磁放射についての幾つかの別々の特性、発光波長、発光強度、バーストサイズ、バースト期間、および蛍光偏光などが検出できる。
【０２２４】
当業者は、各取り調べ空間３８，４０では、１つ又はそれ以上の検出器２６が構成可能であり、そして、単一の検出器２６は、上記した発生電磁放射の特性の何れかを検出するように構成可能であると理解すべきである。
【０２２５】
いったん、粒子がラベル付けされて検出可能になり（または、粒子が、固有の特性を検出可能なように処理する場合）、本発明の範囲を逸脱せずに、この分野で知られた何れか適切な検出機構が使用でき、例えば、連続信号を生成する、ＣＣＤカメラ、ビデオ入力モジュールカメラ、ストリーク(Streak)カメラ、ボロメータ、フォトダイオード、フォトダイオードアレイ、アバランシェフォトダイオード、光電子増倍管、およびこれらの組合せが使用できる。
【０２２６】
一実施形態では、アバランシェフォトダイオードが、フォトン検出用に用いられる。電磁放射の異なる特性、例えば、発光波長、発光強度、バーストサイズ、バースト期間、蛍光偏光、およびこれらの組合せなど、が検出できる。
【０２２７】
（計数および弁別）
ここで説明する方法は、粒子が取り調べ空間を１つずつ通過する際、粒子の数え上げを可能にする。サンプルの濃度は、設定した時間長さで、計数した粒子の数および取り調べ空間を通過するサンプルの体積から決定できる。
【０２２８】
取り調べ空間がサンプル流の断面全体を包含している場合、設定した時間長さで、計数した粒子の数および取り調べ空間を通過するサンプルの体積だけが、サンプルの濃度を計算するために必要である。
【０２２９】
取り調べ空間がサンプル流より小さい場合、粒子の濃度は、標準濃度の制御サンプルを用いて生成した標準曲線からの補間により決定できる。
【０２３０】
他の実施形態では、粒子の濃度は、測定した粒子を内部粒子標準と比較することによって、決定できる。サンプル希釈を知れば、開始サンプルでの粒子の濃度を計算できる。
【０２３１】
検出した粒子からのデータ分析は、相互相関を含む。一実施形態では、フォトン信号は、直接に相互相関がとられる。この場合、少なくとも２つの取り調べ空間からサンプルにより発光した蛍光信号（フォトン）は、少なくとも２つの検出器によって検出される。
【０２３２】
検出器で個々に検出された信号は、それぞれ予め選択した時間長さ（ビン幅(bin width)）を有する任意の時間セグメント（ビン(bin)）に分割される。本発明の範囲から逸脱せずに、他のビン幅を用いてもよいが、一実施形態では、ビン幅は、約１０μｓ〜約５ｍｓの範囲に選択される。好ましいビン幅は、１ｍｓである。
【０２３３】
各セグメントに含まれる信号の数は、確定する。第１検出ユニットから各時間セグメントに関して、第２検出ユニットの選択した範囲のセグメントでの相互相関分析が行われる。相互相関分析の結果についての少なくとも１つの統計的分析が行われ、及び／又は、該分析は閾値分析にかけられる。前記統計的分析または幾つかの統計的分析の少なくとも１つの組合せが、粒子の存在について評価される。こうして、少なくとも２つの検出器チャネルでの相関信号の存在に基づいて、粒子が、確率論的および背景のノイズから弁別される。
【０２３４】
一実施形態では、検出した信号は、最初、ノイズレベルを決定するために分析され、データの相互相関に先だって、信号は、閾値を超えて選択される。一実施形態では、ノイズレベルは、多数のビンに渡って信号を平均化することによって、決定される。他の実施形態では、背景レベルは、平均ノイズレベル、または二乗平均平方根(root-mean-square)ノイズから決定される。他の場合、典型的ノイズ値または統計的値が選ばれる。多くの場合、ノイズは、ポアソン分布に従うと予想される。
【０２３５】
閾値は、真の信号（ピーク、こぶ(bump)、粒子）をノイズから弁別するために決定される。閾値を選択する際、ランダムノイズから誤りの正の信号の数が最小化され、拒否される真の信号の数が最小化されるように、注意しなければならない。閾値を選択する方法は、ノイズレベルを超える固定した値を決定することと、ノイズ信号の分布に基づいて閾値を計算することとを含む。
【０２３６】
一実施形態では、閾値は、背景レベルを超えた固定した数の標準偏差で設定される。ノイズのポアソン分布を仮定すると、この方法を用いて、実験の時間経過に渡って誤りの正の信号の数を推定できる。
【０２３７】
そして、２つの検出器から識別される信号について相互相関分析が行われる。相互相関をとった信号の時間オフセットは、対応する検出器の間の推移を提供し、従って、検出器間の距離に基づいて、粒子の速度、例えば、電気泳動速度が決定される。
【０２３８】
幾つかの場合、該時間オフセットが既知の時間オフセットに対応することによって、粒子は検出される。他の場合、個数(population)分布により決定される未知のオフセットによって、粒子は検出される。
【０２３９】
他の実施形態では、取り調べ空間の相対配置または検出される波長で区別される２つ以上の検出器、例えば、３個，４個，５個，６個または６個以上の検出器からのデータについて相互相関分析が実施可能である。この場合、別個である検出器の組合せからのデータについて、相互相関分析が実施可能である。例えば、別々の波長発光（Ｒ，Ｇ，Ｂ）をそれぞれ検出する３個の検出器が、それぞれ２つの取り調べ空間にある場合、Ｒ１はＲ２と相互相関がとられ、Ｇ１はＧ２と相互相関がとられ、Ｂ１はＢ２と相互相関がとられ、単一検出器によって検出される波長発光を持つ粒子に関して時間オフセットが得られる。
【０２４０】
相互相関分析の他の組合せも、例えば、Ｒ１はＧ１と相互相関がとられ、Ｒ１はＢ１と相互相関がとられ、Ｇ１はＢ１と相互相関がとられるという、オーバーラップ設定が実施可能である。これらの相互相関分析の結果、二重ラベル付けした粒子の周波数を示すであろう。相互相関分析の異なる組合せは、速度およびラベリング（色）に基づいて粒子を弁別するために、相互に使用できる。さらに、複数ペアの相互相関分析を用いると、混合物内の単一粒子の特性についてより正確な決定が得られる。
【０２４１】
他の実施形態では、検出器からのデータについて、別個である場所及び／又は波長の何れの組合せについて、相互相関分析が行われるように、分析方法が採用される。
【０２４２】
こうして当業者は、粒子（染料タグなど）からの電磁放射、または粒子（電荷／質量または磁気のタグなど）の移動度を変更できるラベルの組合せを採用することによって、複数の粒子が混合物内で識別可能であることを認識するであろう。
【０２４３】
ここで説明した方法は、複数の粒子を含むサンプル中で、少なくとも１つの粒子を単独で弁別可能にする。複数の粒子は、微粒子、核酸（例えば、単鎖の、二重鎖のＤＮＡ、ＲＮＡ、およびこれらのハイブリッド）、蛋白質（例えば、ペプチド、ポリペプチド、蛋白質類）、有機および無機の分子（例えば、代謝産物、サイトカイン、ホルモン、神経伝達物質、化学または生物の反応の生成物など）、有機体（例えば、ウイルス、細胞）などである。
【０２４４】
これに関して、複合粒子を含むサンプルは、複数の微粒子、複数の核酸粒子、複数の蛋白質粒子、複数の有機及び／又は無機分子の粒子、複数の細胞及び／又はウイルス、またはこれらの種々の組合せなどである。
【０２４５】
こうして、サンプル中の、（ｉ）核酸、微粒子、有機／無機の分子、または蛋白質、（ｉｉ）核酸と微粒子、（ｉｉｉ）核酸と蛋白質、（ｉｖ）蛋白質と微粒子、（ｖ）蛋白質とと有機／無機の分子、（ｖｉ）核酸と有機／無機の分子、（ｖｉ）核酸、微粒子、蛋白質および上記の組合せを含む任意の粒子が、細胞／ウイルスと弁別可能である。
【０２４６】
該方法は、サンプル中のターゲット粒子を増幅する必要性を排除する。
【０２４７】
上述した粒子に加えて、複合体を含む粒子は、例えば、ラベルとハイブリッド化(hybridized)した核酸、抗体−抗原複合体、リガンド−レセプタ複合体、酵素−基質複合体、蛋白質−核酸複合体であり、これらの方法を用いて弁別可能である。
【０２４８】
幾つかの実施形態では、本発明の分析器または分析器システムは、検体(analyte)、例えば、１ナノモル、１ピコモル、１フェムトモル、１アトモルまたは１ゼプトモル未満のレベルのバイオマーカー、を検出できる。
【０２４９】
幾つかの実施形態では、分析器または分析器システムは、検体または複数の検体、例えば、バイオマーカー、の濃度変化を検出でき、例えば、バイオマーカーが、サンプル中に１ナノモル、１ピコモル、１フェムトモル、１アトモルまたは１ゼプトモル未満の濃度で存在して、各サンプルのサイズが、約１００、５０、４０、３０、２０、１０、５、２、１、０．１、０．０１、０．００１、０．０００１μｌ未満である場合、一方のサンプルから他方のサンプルへ、約、０．１、１、２、５、１０、２０、３０、４０、５０、６０または８０％未満の濃度変化を検出できる。
【０２５０】
幾つかの実施形態では、分析器または分析器システムは、検体が約１ピコモル未満の濃度で存在し、各サンプルのサイズが約５０μｌ未満である場合、第１サンプルから第２サンプルへ、約２０％未満の濃度変化を検出できる。
【０２５１】
幾つかの実施形態では、分析器または分析器システムは、検体が約１００フェムトモル未満の濃度で存在し、各サンプルのサイズが約５０μｌ未満である場合、第１サンプルから第２サンプルへ、約２０％未満の濃度変化を検出できる。
【０２５２】
幾つかの実施形態では、分析器または分析器システムは、検体が約５０フェムトモル未満の濃度で存在し、各サンプルのサイズが約５０μｌ未満である場合、第１サンプルから第２サンプルへ、約２０％未満の濃度変化を検出できる。
【０２５３】
幾つかの実施形態では、分析器または分析器システムは、検体が約５フェムトモル未満の濃度で存在し、各サンプルのサイズが約５０μｌ未満である場合、第１サンプルから第２サンプルへ、約２０％未満の濃度変化を検出できる。
【０２５４】
幾つかの実施形態では、分析器または分析器システムは、検体が約５フェムトモル未満の濃度で存在し、各サンプルのサイズが約５μｌ未満である場合、第１サンプルから第２サンプルへ、約２０％未満の濃度変化を検出できる。
【０２５５】
幾つかの実施形態では、分析器または分析器システムは、検体が約１フェムトモル未満の濃度で存在し、各サンプルのサイズが約５μｌ未満である場合、第１サンプルから第２サンプルへ、約２０％未満の濃度変化を検出できる。
【０２５６】
（分析器システム）
ここで説明する単一粒子分析器に加えて、本発明は、単一粒子分析器に加えて、サンプリングシステムと、サンプル回収システムと、サンプル調製システムと、フローレートなどの分析パラメータを制御するためのコンピュータと、及び／又は、コンピュータ及び／又は生データの分析およびこの分析結果を報告するための報告装置を含むデータ分析および報告システムとを含み得る分析器システムも提供する。
【０２５７】
幾つかの実施形態では、分析器システムは、複数のサンプルを自動的にサンプリングして、サンプル容器と第１取り調べ空間との間の流体通路を提供可能であるサンプリングシステムと、単一分子を検出可能である分析器とを含み、該分析器は、（ｉ）電磁放射を発生する電磁放射源と、（ｉｉ）電磁放射源から発生した電磁放射を受けるように位置決めされた前記第１取り調べ空間と、（ｉｖ）第１取り調べ空間と動作可能に連結して、粒子の第１電磁放射特性を測定する第１電磁放射検出器とを含む。
【０２５８】
幾つかの実施形態では、該分析器は、上述したような単一粒子を検出能力を持つ第２取り調べウインドウをさらに含む。
【０２５９】
（サンプリングシステム）
幾つかの実施形態では、本発明の分析器システムは、サンプルの部分標本(aliquot)を、分析用の単一粒子分析器の中に導入するためのサンプリングシステムを含む。サンプルを導入できる任意の機構が使用できる。サンプルは、液体をチューブに押し込むように、ポンプからの真空またはサンプルへ印加される圧力を用いて、あるいはサンプルをサンプルチューブに導入するように機能する他の任意の機構を用いて、引き上げ可能である。
【０２６０】
一般に、必ずしも必要でないが、サンプリングシステムは、既知のサンプル量のサンプルを、単一粒子分析器の中に導入する。粒子の存在または不在あるいは粒子が検出される幾つかの実施形態では、サンプルサイズの正確な知識は重大でない。
【０２６１】
好ましい実施形態では、サンプリングシステムは、単一のサンプルまたは複数のサンプルについての自動化したサンプリングを提供する。
【０２６２】
既知の量のサンプルがシステムに導入される実施形態では、サンプリングシステムは、約０．０００１、０．００１、０．０１、０．１、１、２、５、１０、２０、３０、４０、５０、６０、７０、８０、９０、１００、１５０、２００、５００、１０００、１５００または２０００μｌより多い分析用サンプルを提供する。
【０２６３】
幾つかの実施形態では、サンプリングシステムは、約２０００、１０００、５００、２００、１００、９０、８０、７０、６０、５０、４０、３０、２０、１０、５、２、１、０．１、０．０１、０．００１μｌより少ない分析用サンプルを提供する。
【０２６４】
幾つかの実施形態では、サンプリングシステムは、約０．０１〜１５００μｌ、約０．１〜１０００μｌ、約１〜５００μｌ、約１〜１００μｌ、約１〜５０μｌ、または約１〜２０μｌの分析用サンプルを提供する。
【０２６５】
幾つかの実施形態では、サンプリングシステムは、約５μｌ〜２００μｌ、約５μｌ〜１００μｌ、または約５μｌ〜５０μｌの分析用サンプルを提供する。
【０２６６】
幾つかの実施形態では、サンプリングシステムは、約１０μｌ〜２００μｌ、約１０μｌ〜１００μｌ、または約１０μｌ〜５０μｌの分析用サンプルを提供する。
【０２６７】
幾つかの実施形態では、サンプリングシステムは、約０．５μｌ〜約５０μｌの分析用サンプルを提供する。
【０２６８】
幾つかの実施形態では、サンプリングシステムは、約１、２、３、４、５、６、７、８、９、１０、１５、２０、２５、３０、３５、４０、４５、５０、６０、７０、８０、９０、１００、１５０、２００、５００、１０００または２０００μｌの分析用サンプルを提供する。
【０２６９】
幾つかの実施形態では、サンプリングシステムは、約５０μｌの分析用サンプルを提供する。幾つかの実施形態では、サンプリングシステムは、約２５μｌの分析用サンプルを提供する。幾つかの実施形態では、サンプリングシステムは、約１０μｌの分析用サンプルを提供する。
【０２７０】
サンプリングシステムは、実際に分析されるより大きいサンプルサイズを提供してもよい。例えば、サンプリングシステムは、約２５μｌ、約２０μｌ、約１５μｌ、または約１０μｌを引き上げて、そのうち約１〜約５μｌだけが分析される。
【０２７１】
幾つかの実施形態では、サンプリングシステムは、サンプルごとに変化し得るサンプルサイズを提供する。これらの実施形態では、サンプルサイズは、ここで説明したサンプルサイズのいずれか１つであってもよく、必要ならば、サンプルあるいはサンプルセットごとに変えてもよい。
【０２７２】
サンプリングシステムのサンプル量の精度およびサンプル間の量の精度は、分析に必要ならば、手元にある。幾つかの実施形態では、サンプリング量の精度は、使用するポンプによって決定され、典型的には、サンプル量の約５０、４０、３０、２０、１０、５、４、３、２、１、０．５、０．１、０．０５、または０．０１％未満のＣＶ値によって表される。
【０２７３】
幾つかの実施形態では、サンプリングシステムのサンプル間の精度は、約５０、４０、３０、２０、１０、５、４、３、２、１、０．５、０．１、０．０５、または０．０１％未満のＣＶ値によって表される。
【０２７４】
幾つかの実施形態では、サンプリングシステムの内部分析(intra-assay)精度は、約１０、５、１、０．５、または０．１％未満のＣＶ値によって表される。
【０２７５】
幾つかの実施形態では、サンプリングシステムの内部分析精度は、約５％未満のＣＶ値を示す。
【０２７６】
幾つかの実施形態では、サンプリングシステムの分析物間(interassay)精度は、約１０、５、または１％未満のＣＶ値によって表される。
【０２７７】
幾つかの実施形態では、サンプリングシステムの分析物間(interassay)精度は、約５未満のＣＶ値を示す。
【０２７８】
幾つかの実施形態では、サンプリングシステムは、低いサンプル残物(carryover)を提供し、サンプル間で追加の洗浄ステップを要しない点で好都合である。幾つかの実施形態では、サンプル残物は、約１、０．５、０．１、０．０５、０．０４、０．０３、０．０２、０．０１、０．００５、または０．００１％未満である。幾つかの実施形態では、サンプル残物は、約０．０２％未満である。幾つかの実施形態では、サンプル残物は、約０．０１％未満である。
【０２７９】
幾つかの実施形態では、サンプラーは、サンプルループを提供する。これらの実施形態では、複数の粒子が配管に連続的に引き込まれ、それぞれバッファの「プラグ(plug)」によって他から分離される。サンプルは、典型的には、他の後に一回読まれ、その間では洗浄しない。洗浄は、ループの最後に１回行われる。マイクロタイター(microtiter)プレートの別々のウエルにある各プラグを回収することができる。
【０２８０】
サンプリングシステムは、標準の分析設備、例えば、９６個のウエルのマイクロタイタープレートまたは、好ましくは３８４個のウエルプレートとともに使用するように適合可能である。
【０２８１】
幾つかの実施形態では、システムは、９６個のウエルプレート位置決め具(positioner)と、サンプルチューブをウエル中に出し入れする機構、例えば、Ｘ，Ｙ，Ｚ軸に沿った運動を提供する機構とを含む。
【０２８２】
幾つかの実施形態では、サンプリングシステムは、複数のサンプリングチューブ、例えば、マイクロタイタープレート上に１列８個から「少しずつ吸う(sip)」複数のチューブを提供する。
【０２８３】
幾つかの実施形態では、複数のチューブからの全てのサンプルが１つの検出器で分析され、他の実施形態では、複数の単一分子検出器をサンプルチューブに連結してもよい。
【０２８４】
サンプルは、サンプリングシステムによるサンプリングに先だって、プレートのウエル中のサンプルについて実施される操作を含むステップにより、調製してもよく、あるいはサンプルは分析器システム内で調製してもよく、あるいは両方の組合せでもよい。
【０２８５】
（サンプル回収）
本発明の分析器および分析システムの実施形態の特に有用な１つの特徴は、サンプルを消費することなく分析できることである。これは、サンプル材料が制限されている場合、特に重要である。サンプル回収は、別の分析を行ったり、再分析するのを可能にする。サンプルサイズが制限されたり、及び／又はサンプルを再分析する能力が望ましい応用、例えば、法医学、ドラッグ検査、臨床診断の応用へのこの特徴の利点は、当業者に明らかとなろう。
【０２８６】
こうして、幾つかの実施形態では、本発明の分析器システムは、さらに、分析後のサンプル回収のためのサンプル回収システムを提供する。これらの実施形態では、該システムは、機構および方法を含み、これによりサンプルは分析器に引き入れられ、分析されて、そして、例えば、同じ経路で、サンプルホルダ、例えば、サンプルチューブに戻される。
【０２８７】
サンプルは破壊されず、他の弁や他の配管に進入しないため、汚染されないままである。さらに、サンプル経路での材料全てが高い不活性で、例えば、ＰＥＥＫ、溶融シリカまたはサファイアであるため、サンプル経路からの汚染がほとんどない。ステップモータ制御のポンプ（特に、分析ポンプ）の使用は、引き上げて、押し戻される体積の正確な制御を可能にする。
【０２８８】
これは、洗浄バッファによる希釈もほとんどない、サンプルの完全またはほぼ完全な回収を可能にする。幾つかの実施形態では、分析後、約５０％、６０％、７０％、８０％、８５％、９０％、９５％、９６％、９７％、９８％、９９％、９９．５％、または９９．９％より大きいサンプルが回収される。
【０２８９】
幾つかの実施形態では、回収したサンプルは希釈されない。幾つかの実施形態では、回収したサンプルは、約１．５倍、１．４倍、１．３倍、１．２倍、１．１倍、１．０５倍、１．０１倍、１．００５倍、または１．００１倍未満で希釈される。
【０２９０】
サンプリング及び／又はサンプル回収のため、サンプル容器から分析器へ液体サンプルを輸送するための任意の機構が使用できる。幾つかの実施形態では、分析毛細管の入口端は、サンプル容器、例えば、テストチューブやサンプルウエルの中に浸漬したり、廃棄容器の上方で保持される、短い長さの配管、例えば、ＰＥＥＫ配管を装着した。洗浄の際、前回のサンプルを装置から清掃するために、この配管は、洗浄廃棄物を捕捉する廃棄容器の上に位置決めされる。
【０２９１】
サンプルを引き込む場合、チューブは、サンプルウエルまたはテストチューブの中に置かれる。典型的には、サンプルは、素早く引き込まれ、そして、ゆっくり押し出しながら、サンプル内の粒子を観測する。
【０２９２】
代替として、幾つかの実施形態では、引き込みサイクルの少なくとも一部でサンプルはゆっくり引き込まれ、サンプルをゆっくり引き込みながら、分析してもよい。これに、サンプルの迅速な戻りと迅速な洗浄が続く。幾つかの実施形態では、サンプルは、内向き（引き込み）サイクルおよび外向き（押し出し）サイクルの両方で分析してもよく、これは、例えば、小さい希釈サンプルの計数統計を改善したり、結果などを確認できる。
【０２９３】
サンプルを節約するのが望ましい場合、そこから来た同じサンプルウエルまたは他のウエルに押し戻すことができる。サンプルを節約するのが望ましくない場合、配管は廃棄容器上に位置決めされる。
【０２９４】
（サンプル調整システム）
サンプル調整は、分析用生サンプルを調整するために必要なステップを含む。これらのステップは、例として、遠心分離、ろ過、蒸留、クロマトグラフィー等の分離ステップ、濃縮、細胞融解、ｐＨ変更、バッファの追加、希釈液の追加、試薬の追加、加熱または冷却、ラベルの追加、ラベルの結合、照射を用いた架橋結合、結合していないラベルの分離、不活性化、及び／又は介入化合物の除去、およびサンプルを単一粒子分析器による分析用に調整するのに必要な他の何れかのステップ、の１つ又はそれ以上を含むことができる。幾つかの実施形態では、血液は、血漿または血清を分離するために処理される。追加のラベリング、結合していないラベルの除去、及び／又は希釈ステップ、血漿または血清サンプルについて行ってもよい。
【０２９５】
この分野で知られているように、例えば、ラベルが１つ又はそれ以上の粒子に追加されるサンプル調整は、同種または異種フォーマット(format)で行ってもよい。同種フォーマットでは、結合していないラベルはサンプルから除去されない。幾つかの実施形態では、対象となる粒子は、対象となる粒子と結合する、ラベル付けした抗体の追加によってラベル付けされる。
【０２９６】
異種フォーマットでは、結合していないラベル除去のため、１つ又はそれ以上のステップが追加される。幾つかの実施形態では、例えば、対象となる粒子を固定化するための捕捉抗体を用いる分離ステップも用いられる。
【０２９７】
こうして、幾つかの実施形態では、同種調整は、下記ステップを含む。１）対象となる粒子を含むのが疑わしいサンプルを追加すること、２）検出（例えば、ラベル付け）抗体を追加すること。
【０２９８】
幾つかの実施形態では、異種調整は、下記ステップを含む。１）捕捉抗体を追加すること、２）洗浄、３）阻止、４）対象となる粒子を含むのが疑わしいサンプルを追加すること、５）洗浄、６）検出（例えば、ラベル付け）抗体を追加すること、７）洗浄、８）結合した分子を遊離させること（方法に依存するが、中和を要することがある）。
【０２９９】
幾つかの実施形態では、分析器システムは、単一粒子分析器による分析用のサンプルを提供するのに必要な幾つかまたは全てのプロセスを実施するサンプル調整システムを含む。このシステムは、サンプル調整のための上記ステップの何れかまたは全てを行ってもよい。
【０３００】
幾つかの実施形態では、サンプルは、分析器システムのサンプル調整システムによって、部分的に処理される。こうして幾つかの実施形態では、サンプルは、分析器システムの外部、例えば、遠心分離により、部分的に処理され、そして、サンプル調整システムによって、例えば、バッファ等との混合によるサンプルのラベリングのために、分析器システムの内部で部分的に処理される。
【０３０１】
幾つかの実施形態では、血液サンプルが分析器システムの外部で処理され、血清または血漿サンプルを供給し、これは分析器システムに導入され、さらにサンプル調整システムによって処理され、対象となる粒子をラベル付けし、必要に応じて、結合していないラベルを除去する。
【０３０２】
幾つかの実施形態では、分析器システムは、分析すべきサンプルの完全な調整、例えば、血液サンプル、唾液サンプル、尿サンプル、脳脊髄液サンプル、リンパ液サンプル、ＢＡＬサンプル、生体組織検査サンプル、法医学的サンプル、バイオテロサンプルなどの完全な調整、をシステムに提供するサンプル調整システムを提供する。幾つかの実施形態では、分析器システムは、該サンプル調整の幾つかまたは全てを提供するサンプル調整システムを提供する。
【０３０３】
幾つかの実施形態では、初期サンプルは、分析器システムによってさらに処理される血液サンプルである。
【０３０４】
幾つかの実施形態では、分析器システムによってさらに処理される血清または血漿サンプルである。血清または血漿サンプルは、例えば、対象となる粒子に結合されるラベルと接触させることによって、さらに処理され、そして、該サンプルは、結合していないラベルの除去とともに、または除去しないで使用してもよい。
【０３０５】
幾つかの実施形態では、サンプル調整が、分析器システムの外部、または分析器システムのサンプル調整コンポーネントで、１つ又はそれ以上のマイクロタイタープレート、例えば、９６個ウエルプレートなど、で行われる。
【０３０６】
試薬、バッファなどの貯蔵は、配管またはこの分野で周知である他の適切な構造によって、プレートのウエルとの断続的な流体通路の中とすることができる。
【０３０７】
サンプルは、９６個ウエルプレートまたはチューブの中に別個に用意してもよい。
【０３０８】
サンプル分離、ラベル結合、必要ならば、ラベル分離のステップは、１つのプレート上で実施してもよい。
【０３０９】
幾つかの実施形態では、調整した粒子はプレートから遊離して、サンプルは、サンプル分析システムの中にサンプリングするためのチューブ内に移動する。
【０３１０】
幾つかの実施形態では、サンプル調整の全てのステップが、１つのプレート上で行われ、分析システムは、サンプルをプレートから直接に取得する。
【０３１１】
本実施形態は、９６個ウエルプレートについて説明するが、１つ又はそれ以上のサンプルを収容し、サンプル調整に適した任意の容器が使用できると理解されよう。例えば、３８４個または１５３６個のウエルの標準マイクロタイタープレートを使用できる。より一般には、
【０３１２】
幾つかの実施形態では、サンプル調整システムは、約５個、１０個、２０個、３０個、４０個、５０個、６０個、７０個、８０個、９０個、１００個、２００個、３００個、５００個、１０００個、５０００個、または１００００個より多いサンプルを保持し調整することができる。
【０３１３】
幾つかの実施形態では、複数のサンプルを、複数の分析器システムでの分析用にサンプリングしてもよい。こうして幾つかの実施形態では、２個のサンプル、または２個、３個、４個、５個、７個、１０個、１５個、２０個、５０個、または１００個より多いサンプルがサンプル調整システムからサンプリングされ、複数の分析器システムにおいて平行して走行する。
【０３１４】
マイクロ流体システムを、分析器システムの一部であるサンプル調整システムとして、サンプル調整用に使用してもよく、特に、検出がより少ないサンプルを必要とする高い粒子濃度を含むと疑わしいサンプルについてである。
【０３１５】
マイクロ流体操作の原理および技術は、この分野で知られている。例えば、米国特許第４９７９８２４号、第５７７００２９号、第５７５５９４２号、第５７４６９０１号、第５６８１７５１号、第５６５８４１３号、第５６５３９３９号、第５６５３８５９号、第５６４５７０２号、第５６０５６６２号、第５５７１４１０号、第５５４３８３８号、第５４８０６１４号、第５７１６８２５号、第５６０３３５１号、第５８５８１９５号、第５８６３８０１号、第５９５５０２８号、第５９８９４０２号、第６０４１５１５号、第６０７１４７８号、第６３５５４２０号、第６４９５１０４号、第６３８６２１９号、第６６０６６０９号、第６８０２３４２号、第６７４９７３４号、第６６２３６１３号、第６５５４７４４号、第６３６１６７１号、第６１４３１５２号、第６１３２５８０号、第５２７４２４０号、第６６８９３２３号、第６７８３９９２号、第６５３７４３７号、第６５９９４３６号、第６８１１６６８号、国際公開第ＷＯ９９５５４６１（Ａ１）号を参照。
【０３１６】
サンプルは、単一または複数の分析器システムでの使用のために、直列的または並列的に調整してもよい。
【０３１７】
好ましくは、サンプルはバッファを含む。バッファは、分析器システムの外部でサンプルと混合してもよく、またはサンプル調整機構によって供給してもよい。
【０３１８】
何れか適当なバッファが使用できるが、好ましいバッファは、低い蛍光バックグランドを有し、検出可能なラベル付け粒子に対して不活性で、作業ｐＨを維持できるものであり、推進力が電気運動力である実施形態では、電気泳動のために適切なイオン強度を有する。バッファ濃度は、何れの適当な濃度、例えば、約１〜約２００ｍＭの範囲にできる。
【０３１９】
対象となる分子の溶解性、機能性(function)、検出可能性を提供する限り、何れのバッファ系も使用できる。好ましくは、ポンピングを用いる応用では、バッファは、リン酸塩、グリシン、アセテート、クエン酸塩、酸味料(acidulate)、炭酸塩／重炭酸塩、イミダゾール、トリエタノールアミン、グリシンアミド、ホウ酸塩、ＭＥＳ、Ｂｉｓ−トリス(Tris)、ＡＤＡ、ａｃｅｓ、ＰＩＰＥＳ、ＭＯＰＳＯ、Ｂｉｓ−Ｔｒｉｓプロパン、ＢＥＳ、ＭＯＰＳ、ＴＥＳ、ＨＥＰＥＳ、ＤＩＳＰＯ、ＭＯＢＳ、ＴＡＰＳＯ、Ｔｒｉｚｍａ、ＨＥＰＰＳＯ、ＰＯＰＳＯ、ＴＥＡ、ＥＰＰＳ、Ｔｒｉｃｉｎｅ、Ｇｌｙ−Ｇｌｙ、Ｂｉｃｉｎｅ、ＨＥＰＢＳ、ＴＡＰＳ、ＡＭＰＤ、ＴＡＢＳ、ＡＭＰＳＯ、ＣＨＥＳ、ＣＡＰＳＯ、ＡＭＰ、ＣＡＰＳ、およびＣＡＢＳからなるグループから選択される。
【０３２０】
特に好ましいバッファは、０．１％のＴｗｅｅｎ２０を持つ、ｐＨ７．４のリン酸塩バッファの生理食塩水であるが、イミダゾールバッファの生理食塩水、ホウ酸塩バッファの生理食塩水、トリスバッファの生理食塩水も使用可能である。
【０３２１】
好ましくは、バッファは、Ｇｌｙ−Ｇｌｙ、ビシン(bicine)、トリシン(tricine)、２−モルホリン脂肪酸（ＭＥＳ）、４−モルホリンプロパンスルホン酸（ＭＯＰＳ）、および２−アミノ−２−メチル−ｌ−プロパノール塩酸塩（ＡＭＰ）からなるグループから選択される。
【０３２２】
特に好ましいバッファは、ｐＨ８．１の２ｎＭのトリス／ホウ酸塩であるが、トリス／グリシン(glycine)およびトリス／ＨＣｌも使用可能である。
【０３２３】
好ましくは、電気泳動を用いた応用では、バッファは、Ｇｌｙ−Ｇｌｙ、ビシン(bicine)、トリシン(tricine)、２−モルホリン脂肪酸（ＭＥＳ）、４−モルホリンプロパンスルホン酸（ＭＯＰＳ）、および２−アミノ−２−メチル−ｌ−プロパノール塩酸塩（ＡＭＰ）からなるグループから選択される。
【０３２４】
特に好ましいバッファは、ｐＨ８．１の２ｎＭのトリス／ホウ酸塩であるが、トリス／グリシン(glycine)およびトリス／ＨＣｌも使用可能である。
【０３２５】
双性イオン(zwitterions)は、電気泳動サンプル中に２Ｍまでの濃度で含んでもよい。これは、電気泳動システムの電流を増加させずに、毛細管表面との相互作用を最小化するように機能する。
【０３２６】
幾つかの応用では、バッファは、望ましくは、該方法の実施形態での使用のために、ふるい(sieving)マトリクスをさらに備える。
【０３２７】
何れか適当なふるいマトリクスが使用できるが、望ましくは、ふるいマトリクスは、低い蛍光バックグランドを有し、特に、検出可能なラベル付き粒子のサイズ依存のリタデーション(retardation)を提供できる。
【０３２８】
ふるいマトリクスは、任意の適当な濃度（例えば、約０．１％〜約１０％）で存在できる。任意の適当な分子量が使用できる（約１０００００〜約１０００万）。
【０３２９】
ふるいマトリクスの例は、ポリ（エチレンオキサイド）（ＰＥＯ）、ポリ（ビニルピロリドン）（ＰＶＰ）、直鎖ポリアクリルアミドおよび誘導体（ＬＰＡ）、ヒドロキシメチルプロピルセルロース（ＨＰＭＣ）、およびヒドロキシエチルセルロース（ＨＥＣ）などであり、これら全ては水に溶解し、希釈液濃度（０．３％ｗｔ／ｖｏｌ）で並外れて低い粘性を有する。
【０３３０】
さらに、これらのポリマー溶液は、これらのからみ合い(entanglement)閾値より上にあり、調整、フィルタリング、毛細管への充填が容易である。
【０３３１】
トリス／ホウ酸塩バッファへの０．２％ＬＰＡ（５００００００〜６００００００ｍｗ）の添加は、１分間の電気泳動分離で、ＩｇＧと１．１ｋｂの核酸断片の弁別を可能にした（下記の実施例７ａを参照）。
【０３３２】
幾つかの場合、測定可能な電磁特性が、ターゲット粒子の固有の性質によって生成される。他の場合は、対象となる粒子は、分析器を用いた検出に先立って、検出可能なラベルを用いてラベル付けしてもよい。
【０３３３】
検出可能なラベルは、例えば、発光性(luminescent)ラベルまたは光散乱性ラベルとすることができる。一実施形態では、検出可能なラベルは、発光性ラベルである。
【０３３４】
他の発光性ラベルが、本発明の範囲から逸脱せずに使用でき、有用な発光性ラベルは、蛍光ラベル、化学発光ラベル、生物発光ラベルなどである。さらに、蛍光クエンチング(quenching)も監視可能である。
【０３３５】
さらに、他の光散乱性ラベルが本発明の範囲から逸脱せずに使用できる。有用な光散乱性ラベルは、例えば、金、銀、プラチナ、セレンなどの金属、およびチタン酸化物などである。
【０３３６】
検出するためには、粒子は、電磁放射を発生可能にする必要がある。電磁放射は、粒子の内的性質または粒子の外的性質のいずれかである。
【０３３７】
内的性質の例は、蛍光、光散乱などあるが、粒子が、検出可能にする１つ以上の内的性質を有していてもよい。
【０３３８】
外的性質は、粒子に付着した場合、ラベルによって提供されるものである。
【０３３９】
ラベルは、粒子を取り調べ空間３８，４０の中に位置決めする前、その後または同時に付着する。
【０３４０】
好ましくは、検出手段は、蛍光ラベルである。蛍光ラベルの例は、文献「HANDBOOK OF FLUORESCENT PROBES AND RESEARCH PRODUCTS (R. Haugland, 9th Ed., Molecular Probes Pub. (2004))」で見つかる。
【０３４１】
検出可能なラベルは、粒子の内的性質および外的性質の何れかの組合せで生成してもよい。
【０３４２】
粒子をラベル付けする方法は、この分野の当業者に周知である。ラベルを粒子に付着することは、直接付着または結合パートナーの使用などの任意の知られた方法を採用することができる。
【０３４３】
幾つかの場合、ラベリングの方法は、不特定である。例えば、特定のヌクレオチドシーケンスに関係なく、全ての核酸をラベル付けする方法が知られている。他の場合、ラベリングは、ラベル付けされたオリゴヌクレオチドがターゲット核酸シーケンスと限定的に結合するように、特定のものである。
【０３４４】
本発明のラベルは、染料(dye)タグ、電荷タグ、質量タグ、量子ドットまたはビーズ、磁気タグ、光散乱性タグ、ポリマータグ、およびポリマと付着した染料などである。
【０３４５】
染料は、材料に色を付けたり、発光性または蛍光の発生を可能にする極めて大きいカテゴリーの化合物を含む。染料は、特定の波長で、光を吸収したり、光を発生してもよい。染料は、インターカレーションのものでも、または粒子に対して非共有もしくは共有で結合するものでもよい。染料自体が、副溝(minor groove)構造、十字形、ループ形または粒子の他の配座元素を検出するプローブのような、プローブを構成してもよい。
【０３４６】
染料は、ＢＯＤＩＰＹおよびＡＬＥＸＡ染料、Ｃｙ［ｎ］染料、ＳＹＢＲ染料、臭化エチジウムおよび関連する染料、アクリジンオレンジ、二量体のシアニン染料、例えば、ＴＯＴＯ、ＹＯＹＯ、ＢＯＢＯ、ＴＯＰＲＯ、ＰＯＰＯおよびこれらの誘導体、ビス−ベンジミド(benzimide)、オリグリーン(OliGreen)、ピコグリーン(PicoGreen)、および関連する染料、シアニン染料、フルオレセイン(fluorescein)、ＬＤＳ  ７５１、ＤＡＰＩ、ＡＭＣＡ、カスケードブルー(Cascade Blue)、ＣＬ−ＮＥＲＦ、ダンシル(Dansyl)、ジアルキルアミノクマリン、４’，５’−ジクロロ−２’，７’−ジメチトキシフルオレセイン、２’，７’−ジクロロフルオレセイン、ＤＭ−ＮＥＲＦ、エロシン(Eosin)、エリトロシン(Erythrosin)、フルオロセイン(Fluoroscein)、ヒドロキシコルマリン(Hydroxycourmarin)、イソスルファンブルー(Isosulfan blue)、リサミネローダミンＢ(Lissamine rhodamine B)、マラカイトグリーン(Malachite green)、メトキシコルマリン(Methoxycoumarin)、, ナフトフルオレセイン(Naphtho fluorescein)、ＮＢＤ、オレゴングリーン(Oregon Green)、ＰｙＭＰＯ、ピレン(Pyrene)、ローダミン(Rhodamine)、ロードルグリーン(Rhodol Green)、２’，４’，５’，７’−テトラブロモスルフォンフルオロセイン、テトラメチルローダミン、テキサスレッド(Texas Red)、Ｘ−ローダミン、ジオミック(Dyomic)染料シリーズ、アット−テク(Atto-tec)染料シリーズ、コルマリン(Coumarins)、フィコビリプロテイン(phycobilliproteins)（フィコエリトリン、フィコシアニン、アロフィコシアニン）、グリーン、イエロー、レッドおよび他の蛍光蛋白質、アップコンバート燐光体、および量子ドットなどである。
【０３４７】
当業者は、本発明の範囲内で使用できる他の染料を認識するであろう。
【０３４８】
これは、徹底的な列挙ではなく、使用可能な染料は、本発明のラベル付けした粒子の検出を可能にするために使用される、現在知られ又は将来知られる全ての染料を含む。
【０３４９】
蛍光粒子、蛍光共役抗体などの蛍光マーカーを有することによって、サンプルは、蛍光粒子によって吸収される光を用いて照射可能になり、発生した光は、光測定装置によって測定される。
【０３５０】
本発明で使用可能な光散乱性タグは、金、銀、セレンなどの金属、およびチタン酸化物などである。当業者は、他のマイクロ粒子またはビーズも光散乱性タグとして使用できることを認識するであろう。
【０３５１】
本発明のさらに他の実施形態では、ラベルが、電気泳動速度、及び／又は、電気泳動では分離できない同一または異なるサイズのターゲット粒子の分離に影響を及ぼす。
【０３５２】
こうしたラベルは、電荷／質量タグと称される。電荷／質量タグの付着は、ある意味で、これらの電気泳動移動度および分離に影響を与えるのに充分な程度に、ターゲット粒子の電荷と並進摩擦抗力との比率を変化させる。他の実施形態では、該ラベルは、電荷または質量、あるいは電荷と質量の組合せを変化させる。
【０３５３】
粒子と結合した電荷／質量タグは、電界中でのこれらの挙動の空間的な相違のため、または電界中でのこれらの挙動の速度の相違のため、結合していない粒子または結合していないタグと弁別可能である。
【０３５４】
多糖類(Polysaccharide)でコートした常磁性体のマイクロ粒子またはナノ粒子が、粒子をラベル付けするために使用できる。モルデイ(Molday)に付与された米国特許第４４５２７７３号は、参照によりここに全体が組み込まれ、これは磁性の鉄−デキストランビーズの調整を記載しており、生物学的材料への付着に適した粒子を調整する様々な方法を説明した概要を提供している。
【０３５５】
高い傾斜磁気分離方法で用いられる磁気粒子用のポリマーコーティングの説明は、ドイツ特許第３７２０８４４号および、ミルテンニ(Miltenyi)に付与された米国特許第５３８５７０７号で見つかり、両方とも参照により全体が組み込まれる。常磁性ビーズを調整するための方法は、米国特許第４７７０１８３号に記載されている。
【０３５６】
ビーズを粒子に付着するための正確な方法は、本発明の粒子にとって重要ではなく、この分野で多くの代替方法がある。付着は、一般に、粒子と、ビーズ上のコーティングと共役であり、相互作用のための官能基を提供する特定の結合パートナーとの相互作用による。
【０３５７】
抗体は、結合パートナーの例である。抗体は、高い親和性結合システムの１つのメンバー、例えば、ビオチン(biotin)と結合可能であり、粒子は、他のメンバー、例えば、アビジン(avidin)に付着する。
【０３５８】
一次抗体の種限定のエピトープ(epitopes)を認識する二次抗体、例えば、抗マウスＩｇ、抗ラットＩｇが、本発明でも使用可能である。
【０３５９】
間接結合方法は、様々な粒子とともに、単一磁気結合物体、例えば、抗体、アビジンなどの使用を可能にする。
【０３６０】
この技術の１つの応用では、コーエン(Cohen)によって記載されているように（Cohen et al. (1988) PNAS 85:9660-3）、ターゲット粒子は、磁気タグと結合でき、チャンバ（不図示）内の流体中に浮遊できる。
【０３６１】
チャンバを横切って供給される磁界の存在下で、磁気的にラベル付けされたターゲットは、チャンバ中に保持される。磁気ラベルを持たない材料は、チャンバを通過する。そして、保持された材料は、磁界を変化させたり、除去することによって、溶出できる。
【０３６２】
磁界が印加されるチャンバには、マトリクス表面に近い部分で、チャンバ内に局所的に高い磁界を誘導するために、適当な磁化率の材料からなるマトリクスがしばしば設けられる。これは、かなり弱く磁化した粒子の保持を可能にし、この手法は、高傾斜磁気分離と称される。
【０３６３】
本発明の他の実施形態では、粒子を検出可能にする外的性質が、少なくとも２つのラベルにより提供される。例えば、ターゲット粒子は、２つ又はそれ以上のラベルを用いてラベル付けされ、各ラベルは、他のラベルの発光と区別される１つ又はそれ以上の波長で検出した発光に起因して、区別される。この例では、粒子は、２つ又はそれ以上の波長で検出した発光の比率によって、自由なラベルと弁別される。
【０３６４】
他の例では、粒子は、２つ又はそれ以上のラベルを用いてラベル付けされ、少なくとも２つのラベルが同じ波長で発光する。この例では、粒子は、各粒子に付着した２つ、３つ又はそれ以上のラベルからの発光によって生成される検出した蛍光の強度に基づいて、弁別される。
【０３６５】
他の実施形態では、染料は、同じまたは重なった励起スペクトルを有するが、弁別可能な発光スペクトルを有する。
【０３６６】
好ましくは、染料は、実質的に異なる発光スペクトルを持つように、好ましくは、約１０ｎｍより大きく分離した発光最大値を持つように、より好ましくは、約２５ｎｍより大きく分離した発光最大値を持つように、さらにより好ましくは、約５０ｎｍより大きく分離した発光最大値を持つようにして選択される。
【０３６７】
機器の方法を用いて、２つの染料を差別化することが望ましい場合、種々のフィルタおよび回折格子が、個々の発光スペクトルを独立に検出可能にする。機器の差別化はまた、広いバンド幅より狭いバンド幅を持つ染料を選択することによって、増強できる。しかしながら、こうした染料は、高い増幅発光を有したり、積分した信号強度の損失が信号検出に有害である充分な濃度で存在する必要がある。
【０３６８】
一例では、第２ラベルは、第１ラベルの蛍光を消す(quench)かもしれず、その結果、二重ラベル付け粒子についての蛍光信号の損失をもたらす。適当な蛍光／クエンチ対の例は、５’６−ＦＡＭＴＭ／３’Ｄａｂｃｙｌ、５’Ｏｒｅｇｏｎ  Ｇｒｅｅｎ（登録商標）４８８−Ｘ  ＮＨＳ  Ｅｓｔｅｒ／３’Ｄａｂｃｙｌ、５’Ｔｅｘａｓ  Ｒｅｄ（登録商標）−Ｘ  ＮＨＳ  Ｅｓｔｅｒ／３’ＢｌａｃｋＨｏｌｅ  ＱｕｅｎｃｈｅｒＴＭ−１（インテグレーテッドＤＮＡテクノロジー社(Integrated DNA Technologies, Coralville, IA)）等である。
【０３６９】
他の例は、蛍光共鳴エネルギートランスファー（ＦＲＥＴ）のために、２つのラベルを使用してもよい。これは、２つの染料粒子の励起状態間の距離依存の相互作用である。
【０３７０】
この場合、励起は、ドナーからのフォトン放出無しでドナーからアクセプタへ移送される。ドナーおよびアクセプタ粒子は、近くに接近している必要がある（例えば、約１００Å以内）。
【０３７１】
適当なドナーとアクセプタ対は、フルオレセイン(fluorescein)／テトラメチルローダミン、ＩＡＥＤＡＮＳ／フルオレセイン、ＥＤＡＮＳ／ダブシル(dabcyl)、フルオレセイン／ＱＳＹ７（文献R. Haugland, "Molecular Probes," Ninth edition, 2004）、および当業者に知られた多くの他の他のもの等である。
【０３７２】
粒子は、検出及び／又は弁別を容易にするために、１種以上のラベル、例えば、染料タグおよび質量タグなどを用いてラベル付けしてもよい。例えば、蛋白質は、２つの抗体を用いてラベル付けしてもよく、一方は、ラベル無しで質量タグまたは質量／電荷タグとして機能し、他方は、染料タグを有する。
【０３７３】
そして、この蛋白質は、染料タグを持つ抗体のみに結合した同様なサイズの他方の蛋白質と、例えば、推進力（追加の結合抗体の増加した質量または質量／電荷によって生ずる）として電気泳動を用いた場合、その遅い速度で弁別される。
【０３７４】
ラベル付けした粒子を正確に検出するために、ラベル付けした粒子は、結合していないラベルと弁別する必要がある。これを達成する多くの方法は、当業者に知られている。
【０３７５】
例えば、同質分析物では、結合していないラベルは、分析に先立ってラベル付けした粒子から分離される。一実施形態では、分析物は同質分析物であり、結合していないラベルを含むサンプルは、電気泳動と単一粒子蛍光検出の組合せによって分析される。この場合、電気泳動条件は、ラベル付けした粒子と結合していないラベルとで別個の速度を提供するように選ばれる。
【０３７６】
核酸の非限定ラベリングは、一般に、特定のヌクレオチドシーケンスに関係無く、全ての核酸にラベル付けする。当業者は、核酸の一般的なラベリングのための種々の技術に精通している。
【０３７７】
こうした方法は、挿入色素、例えば、ＴＯＴＯ、臭化エチジウム、ヨウ化プロピジウム、配位複合体の形成用のＵＬＹＳＩＳキット、ラベルが容易に付着する化学反応性ヌクレオチド類似体の組み込み用、およびストレプトアビジン結合ラベルの付着のためのヌクレオチド類似体を含むビオチンの組み込み用のＡＲＥＳキット等である。ラベル付けしたヌクレオチド類似体の酵素的な組み込みは、当業者に周知の他の手法である。
【０３７８】
蛋白質を非限定的にラベル付けする技術も、当業者に周知である。蛋白質表面で幾つかの化学反応性アミノ酸、例えば、リシンなどの１級アミンが使用できる。
【０３７９】
さらに、ラベルは、蛋白質の炭水化物部分に添加できる。イソタイプの特定試薬が、抗体をラベリングするために開発されている（例えば、ゼノン(Zenon)ラベリング(Haugland, 2004)）。
【０３８０】
一実施形態では、混合物内の特定の粒子だけがラベル付けされる。特定のラベリングは、ターゲット粒子をラベル付けした結合パートナーと組合せることによって、達成できる。結合パートナーは、相補性結合表面を通じて、ターゲット粒子と限定的に相互作用を行う。
【０３８１】
パートナー間の結合力は、共有相互作用または非共有相互作用、例えば、疎水性、親水性、イオン、水素結合、ファンデルワールス力、または配位複合体形成などである。
【０３８２】
結合パートナーの例は、細胞角膜レセプタについての作用薬および拮抗薬、毒素(toxin)および毒液(venom)、抗体およびウイルスエピトープ、ホルモン（例えば、オピオイドペプチド、スイロイドなど）およびホルモンレセプタ、酵素および酵素基質、補助因子およびターゲットシーケンス、薬剤および薬剤ターゲット、オリゴヌクレオチドおよび核酸、蛋白質およびモノクローナル抗体、抗原および特定の抗体、ポリヌクレオチドおよびポリヌクレオチド結合蛋白質、ビオチンおよびアビジンまたはストレプトアビジン、酵素および酵素補助因子、レクチンおよび特定の炭水化物、等である。
【０３８３】
結合パートナーとして機能できる例示のレセプタは、天然由来のレセプタ、例えば、チロキシン結合グロブリン、レクチン、細胞表面で見つかる種々の蛋白質（分化クラスタまたはＣＤ粒子）などである。ＣＤ分子は、真核生物細胞の表面にある既知および未知の蛋白質を指す。例えば、ＣＤ４は、ヘルパーＴリンパ球を主に定義する分子である。
【０３８４】
一実施形態では、サンプルは、ターゲット粒子と反応する結合パートナーを用いてコートされた、ビーズまたはマイクロ粒子と反応する。
【０３８５】
ビーズは、サンプルの何れかの非結合コンポーネントから分離される。結合した粒子を含むビーズは、本発明の分析器によって検出される。
【０３８６】
蛍光染めされたビーズは、これらの方法のために特に好適である。例えば、 オリゴマーシーケンスでコートされた蛍光ビーズは、ターゲット相補性シーケンスと限定的に結合するようになり、適切な分離ステップの後、ターゲットシーケンスの検出を可能にする。
【０３８７】
一実施形態では、粒子を検出する方法は、結合パートナーとして、モノクローナル抗体を持つサンドイッチ分析物を使用する。一次抗体は、捕捉抗体として機能する表面に連結している。
【０３８８】
そして、サンプルが添加されると、抗体によって認識されるエピトープを有する粒子は、表面上の抗体と結合するであろう。結合していない粒子は、洗い流され、ほぼ限定的に結合した粒子だけを残す。
【０３８９】
そして、結合した粒子／抗体は、検出可能なラベルを含む検出抗体と反応できる。検出抗体と粒子の反応を可能にする培養の後、非限定的に結合した検出抗体は洗い流される。粒子および検出抗体は、表面から遊離可能になり、本発明の分析器で検出される。
【０３９０】
代替として、検出抗体だけを遊離して検出することができ、これにより粒子を間接的に検出できる。代替として、検出抗体と結合したラベルだけを遊離して検出することができ、これにより粒子を間接的に検出できる。
【０３９１】
一変形は、細胞レセプタによって認識されるリガンド(ligand)を採用するものである。この実施形態では、リガンドは、特定のレセプタを表す細胞を捕捉するために、表面に結合している。ラベル付けしたリガンドは、細胞をラベル付けするために用いられる。
【０３９２】
レセプタは、表面免疫グロブリンとすることができる。こうして限定的に結合した細胞の存在を決定できる。従って、レセプタに相補的な対象となるリガンドを表面に結合させると、こうしたリガンドについて特定の免疫グロブリンを有する細胞が検出できる。
【０３９３】
他の実施形態では、リガンドに対する抗体を表面に結合させて、リガンドを表面に非共有で付着させることができる。
【０３９４】
（データの収集、分析、報告）
【０３９５】
粒子から検出された信号を含むデータは、例えば、標準またはカスタムのソフトウエアを持つパーソナルコンピュータ（図１では示していない）を用いて、相互相関がとられ、例えば、サンプル中に存在する蛍光種ごとにピークを示す速度のヒストグラムを生成する。
【０３９６】
サンプルに電界が印加される一実施形態では、検出器間の各粒子の通過時間は、粒子の特徴的な電荷、サイズおよび形状に依存している。
【０３９７】
コンピュータは、分析器を動作させるため、例えば、フローレートを制御し、サンプリング、サンプル回収、サンプル調製などを行うために、使用してもよい。
【０３９８】
システムは、データ及び／又は分析結果を報告するためのデータ報告器を含んでもよい。当業者に知られた何れの方法も、この目的のために使用できる。
【０３９９】
生データ（例えば、粒子の数、相互相関データ、蛍光の波長、蛍光の強度など）はさらに、報告する前に、適切なソフトウエアによって分析してもよく、サンプル中の粒子の確からしい識別、濃度、検出した粒子の組合せ、正常、以上または特定の条件で関連した特定レベルと比較した検出粒子のレベル、１つ又はそれ以上の粒子の存在、不在及び／又は濃度に基づいた可能性ある診断、検出した粒子の可能性ある供給源、および報告前にデータ上で実行できる他の分析を示す。
【０４００】
適切な報告を提供する何れの機構も、データ報告器として使用できる。データ報告器の非限定的な例は、ビデオモニタ上のディスプレイ、印刷、リモートディスプレイまたは印刷のためのデータ伝送、例えば、インターネット、音声報告などなどである。
【０４０１】
（方法）
本発明の他の態様は、単一粒子を検出可能な少なくとも２つの取り調べ空間を持つ検出システムを用いて、個体から得られるサンプルについて分析を実施することを含む分析方法を提供するものであり、該分析は、サンプル中の粒子の存在または不在を決定することを含む。
【０４０２】
幾つかの実施形態では、個体は、植物や動物であり、幾つかの実施形態では、個体は人間である。
【０４０３】
検出システムは、こで説明する何れのものでもよい。幾つかの実施形態では、検出システムは、電磁放射源としてＣＷレーザを利用できる。
【０４０４】
幾つかの実施形態では、検出システムは、例えば、それぞれ約０．０２ｐＬと約３００ｐＬの間、または約０．０２ｐＬと約５０ｐＬの間、または約０．１ｐＬと約２５ｐＬの間の容積を有する２つの取り調べ空間を有する。幾つかの実施形態では、２つ以上の取り調べ空間を使用する。幾つかの実施形態では、３つ、４つ、５つ、６つ又はそれ以上の取り調べ空間を使用する。
【０４０５】
２つの取り調べ空間を持つ検出器の他の実施形態は、ここで説明するように、本発明の実施形態で使用してもよい。
【０４０６】
幾つかの実施形態では、サンプルは、複数の異なる粒子について分析される（マルチプレキシング）。幾つかの実施形態では、複数の個体からの複数の粒子が分析される。他の実施形態では、複数の個体からのサンプルが分析される。
【０４０７】
本発明は、診断、予後(prognosis)、治療状態（例えば、治療の進展及び／又は効果を監視すること）を決定することを含む分析方法、及び／又は、個体から取られたサンプル中の粒子の存在、不在及び／又は濃度に基づいた治療方法も提供するものであり、粒子の存在、不在及び／又は濃度は、２つの取り調べ空間を持つ単一粒子検出器を用いて決定される。
【０４０８】
ここで用いる「診断」は、病気または病理(pathology)への体質、または病気または病理の存在及び／又は重大性を決定するために、個体をスクリーンするテスト結果の使用を含み、さらに病気または病理の体質や存在の欠損についての決定を含む。
【０４０９】
幾つかの実施形態では、分析は、サンプル中の複数タイプの粒子の存在、不在及び／又は濃度を決定することを含む。
【０４１０】
これらの方法は、さらに、診断、予後、治療状態、治療の監視及び／又は決定を、サンプルが得られた個体及び／又はこれらの代理人（ヘルスケア提供者など）へ報告することとを含む。
【０４１１】
単一粒子検出器は、分析器および分析器システムなど、ここで説明する何れのものでもよい。検出システムは、電磁放射源としてＣＷレーザを利用できる。
【０４１２】
幾つかの実施形態では、２つの取り調べ空間は、それぞれ約０．０２ｐＬと約３００ｐＬの間、または約０．０２ｐＬと約５０ｐＬの間、または約０．１ｐＬと約２５ｐＬの間の容積を有する。
【０４１３】
幾つかの実施形態では、２つ以上の取り調べ空間を使用する。幾つかの実施形態では、３つ、４つ、５つ、６つ又はそれ以上の取り調べ空間を使用する。
【０４１４】
図２は、本発明の方法の一実施形態を図示する。
【０４１５】
個体（例えば、人間）からのサンプルは、単一分子を検出可能な２つの取り調べ空間を持つ検出システムを用いて（幾つかの実施形態では、電磁放射源としてＣＷレーザを利用）分析され、分析結果が得られる。
【０４１６】
幾つかの実施形態では、その結果は、対象となる粒子の存在、不在及び／又は濃度の観点のものである。幾つかの実施形態では、その結果は、さらに、診断、予後、治療効果の決定、治療タイプの決定など提供するために、分析される。幾つかの実施形態では、報告は、個体または代理人へ連絡される。
【０４１７】
本発明はまた、コンピュータ分析によりデータ分析方法を提供する。
【０４１８】
データベースは、データベースの取り調べ空間を持つ少なくとも２つの単一粒子検出器を用いて実施したサンプルの分析結果を収納する。該分析は、サンプル中の粒子の存在、不在及び／又は濃度を決定することを含む。
【０４１９】
幾つかの実施形態では、分析は、サンプル中の複数のタイプの粒子の存在、不在及び／又は濃度を決定することを含む。
【０４２０】
サンプルは、ここで説明した供給源の何れかから得られる。幾つかの実施形態では、サンプルは、生物医学的研究、臨床試験や前臨床試験の研究、基礎研究などで得られる。
【０４２１】
単一粒子検出器は、ここで説明した実施形態のいずれでもよい。
【０４２２】
検出システムは、電磁放射源としてＣＷレーザを利用できる。
【０４２３】
幾つかの実施形態では、２つの取り調べ空間は、それぞれ約０．０２ｐＬと約３００ｐＬの間、または約０．０２ｐＬと約５０ｐＬの間、または約０．１ｐＬと約２５ｐＬの間の容積を有する。
【０４２４】
幾つかの実施形態では、２つ以上の取り調べ空間を使用する。幾つかの実施形態では、３つ、４つ、５つ、６つ又はそれ以上の取り調べ空間を使用する。
【０４２５】
ある態様において、本発明は、ディスプレイユニット、例えば、ビデオディスプレイまたは印刷ユニットを備えたユーザインタフェースを有する汎用コンピュータについての命令セットを収納するコンピュータ読み取り可能な保存媒体、例えば、ＣＤを提供するものであり、該命令セットは、２つの取り調べ空間を持つ単一粒子検出器を用いてサンプルの分析からの値を入力するためのロジック(logic)と、必要ならば、入力した値をデータベースと比較する比較ルーチンと、前記ディスプレイユニットを用いて、入力値及び／又は比較ルーチンの結果を表示するための表示ルーチン、とを備える。
【０４２６】
この態様の他の実施形態では、本発明は、ディスプレイユニット、例えば、ビデオディスプレイまたは印刷ユニットを備えたユーザインタフェースを有する汎用コンピュータのための命令セットを備えたコンピュータ間のインターネット経由で伝搬する電子信号または搬送波を提供するものであり、該命令セットは、２つの取り調べ空間を備え、単一分子を検出可能な検出システムを用いてサンプルの分析からの値を入力するためのロジック(logic)と、入力した値をデータベースと比較する比較ルーチンと、前記ディスプレイユニットを用いて、比較ルーチンの結果を表示するための表示ルーチン、とを備える。
【０４２７】
検出システムの感度およびロバスト性(robustness)のため、数多くのサンプルが、高い正確さおよび精度で、対象となる１つ又はそれ以上の粒子の存在、不在及び／又は濃度に関して、短時間で分析できる。
【０４２８】
本発明の方法は、例えば、研究の結果、例えば、以下に限定されないが、前臨床および臨床試験などの生物医学的研究の結果を、迅速、頑丈かつ高感度で決定するのに有用である。
【０４２９】
本発明の方法はまた、例えば、臨床診断、予後、監視および治療方法の決定においても有用である。
【０４３０】
これらの実施形態では、該方法は、さらに分析結果、または分析結果から決定された診断、予後、監視または治療を、サンプルが取られた個体またはこれらの代理人へ報告することとを含んでもよい。
【０４３１】
「個体」は、サンプルの何れかの供給源でもよく、典型的には生物学的サンプルである。
【０４３２】
実施形態では、個体は、有機体、好ましくは、動物、より好ましくは哺乳類、最も好ましくは人間である。動物は、家畜、スポーツ動物、ペット動物、研究動物、および人間などである。
【０４３３】
幾つかの実施形態では、個体は人間であり、人間は、幾つかの実施形態では、病理学的状態、例えば、伝染性または非伝染性の病気を有する疑いがあり、または１つ又はそれ以上の状態についてスクリーニングにかけられる患者である。
【０４３４】
幾つかの実施形態では、個体は、遺伝的変異や異常に関連した蛋白質または他のマーカーの状態及び／又は発現に対する遺伝的体質についてのスクリーニングされる
【０４３５】
幾つかの実施形態では、個体は、ウイルスまたは細菌の感染を持つ疑いがある人間である。幾つかの実施形態では、個体は、植物または他の有機体である。幾つかの実施形態では、個体は、非生物物質である。
【０４３６】
幾つかの実施形態では、本発明の方法は、個体から採取されたサンプルを分析することを含む。幾つかの実施形態では、サンプルを個体から採取するステップは、この方法に含まれる。
【０４３７】
幾つかの場合、例えば、研究応用では、個体全体、例えば、有機体全体または有機体グループ（例えば、バクテリアコロニー）がサンプルを構成してもよい。
【０４３８】
他の場合、より典型的には、サンプルは個体から採取した個体の一部である。サンプルは、ここで前述したいずれでもよい。
【０４３９】
こうして、例えば、サンプルは、生物学的流体、例えば、血液、血清(serum)、血漿(plasma)、気管支肺胞洗浄(bronchoalveolar lavage)液、尿(urine)、脳脊髄(cerebrospinal)液、肋膜(pleural)液、滑液(synovial fluid)、腹膜(peritoneal)液、羊水(amniotic fluid)、胃液(gastric fluid)、リンパ(lymph)液、間質(interstitial)液、組織ホモジェネート(homogenate)、細胞抽出物、唾液(saliva)、痰(sputum)、大便(stool)、生理学分泌物(secretions)、涙、粘液(mucus)、汗、乳、精液(semen)、精漿(seminal fluid)、膣(vaginal)分泌物、潰瘍(ulcers)や他の表面の発疹、水疱(blisters)、膿瘍(abscesses)からの液、良性、悪性および疑わしい組織の生体組織検査(biopsies)を含む組織抽出物、または、対象となる粒子を含むことがある他の何れかの身体要素である。
【０４４０】
幾つかの実施形態では、サンプルは、血液サンプルである。幾つかの実施形態では、血漿サンプルである。幾つかの実施形態では、血清サンプルである。
【０４４１】
存在、不在及び／又は濃度が決定されるサンプル中の粒子は、ここで説明するようなものである。ここで説明した何れのタイプの粒子も、本発明の方法によって検出でき、前述した目的およびより詳しく後述する目的のために使用できる。
【０４４２】
幾つかの実施形態では、粒子は、分子、超分子(supramolecular)複合体、オルガネラ(organelles)、有機体、細胞、およびこれらの組合せである。
【０４４３】
幾つかの実施形態では、１つ又はそれ以上の粒子は、有機体、例えば、ウイルス、バクテリア、真菌細胞、動物細胞、植物細胞、真核生物細胞、原核生物細胞、古代バクテリア(archeobacter)細胞、およびこれらの組合せ、などである。
【０４４４】
幾つかの実施形態では、有機体は、例えば、ヘルペスウイルス、ポックスウイルス、トガウイルス、フラビウイルス、ピコルナウイルス、オルトミクソウイルス、パラミクソウイルス、ラブドウイルス、コロナウイルス、アレナウイルス、レトロウイルスなどのウイルスである。
【０４４５】
幾つかの実施形態では、粒子は、大腸菌、緑膿菌、エンテロバクタ・クローエカ(Enterobacter cloacae)、黄色ブドウ球菌、大便連鎖球菌、肺炎桿菌、ネズミチフス菌、表皮ブドウ球菌、セラチア−マルセスセンス、ウシ結核菌、メチシリン耐性黄色ブドウ球菌、尋常変形菌などのバクテリアである。
【０４４６】
幾つかの実施形態では、１つ又はそれ以上の粒子は、アミノ酸、ペプチド、蛋白質、ヌクレオチド、オリゴヌクレオチド、核酸、ＤＮＡ、ＲＮＡ、単糖類、二糖類、オリゴ糖類、炭水化物、脂質、ホルモン、サイトカイン、リンフォカイン、毒液、毒素、天然由来薬剤、合成薬剤、汚染物、アレルゲン、影響粒子、成長因子、代謝中間物、基質、ファルマコフォア、無機分子、有機分子、およびこれらの組合せからなるグループから選択される。
【０４４７】
幾つかの実施形態では、サンプルは、検出システムへの導入前に処理される。幾つかの実施形態では、サンプルは、処理無しで検出システムへ導入される。これらの実施形態では、サンプルは、追加の処理無しで検出可能である。あるいは、サンプルは、システムでの分析に先立って検出システム内で処理してもよい。
【０４４８】
処理は、導入の前または後で、ここで説明したようなものでよい。幾つかの実施形態では、サンプル処理は、該粒子に限定した蛍光ラベル付き抗体を用いて粒子をラベリングすることを含む。
【０４４９】
幾つかの実施形態では、単一サンプル中の複数の粒子は、複数の蛍光ラベル付き抗体を用いてラベル付けされ、それぞれが対象となる特定タイプの粒子に限定的である。幾つかの実施形態では、ラベル付けされた粒子はバイオマーカーである。
【０４５０】
バイオマーカーは、以下に限定されないが、炎症、細菌感染、病理学的状態用マーカー、発現マーカー、発生マーカーなどである。幾つかの実施形態では、存在、不在及び／又は濃度が検出される粒子は、細菌感染用マーカーである。
【０４５１】
細菌感染用マーカーの例は、脊髄細胞で発現するトリガリングレセプタ(Triggering Receptor Expressed on Myeloid cells)（ＴＲＥＭ−１）とすることができ、これは体液中で見つかり、バクテリアまたは菌類よる感染を示すマーカーである。サンプルは、蛍光ラベル付き抗ＴＲＥＭの抗体を用いて、導入前または導入後に処理される。
【０４５２】
本発明の分析器および分析器システムは、マルチプレキシング(multiplexing)、即ち、サンプル中の１つ以上のタイプの検出に、特に好適である。
【０４５３】
サンプルは、１）サンプルを複数のサンプルに分割し、それそれを１つ又はそれ以上のタイプの粒子に関して分析すること、２）異なる粒子について異なるラベルを使用すること、例えば、異なる粒子について、異なるラベル色、数、強度など、３）例えば、電気泳動において、異なる粒子の異なる移動度を利用すること、を含む方法によって、多重処理(multiplexed)される。
【０４５４】
幾つかの実施形態では、複数タイプの粒子は、単一サンプル中で分析される。
【０４５５】
単一サンプル中での粒子のタイプの数は、１つ、２つ、３つ、４つ、５つ、６つ、７つ、８つ、９つ、１０つ、１１つ、１２つ、１３つ、１４つ、１５つ、１６つ、１７つ、１８つ、１９つ、２０つ、２５つ、３０つ、４０つ、７５つ、または１００つより多くてもよい。
【０４５６】
粒子のタイプの数は、２００つ、１００つ、５０つ、４０つ、３０つ、２０つ、１９つ、１８つ、１７つ、１６つ、１５つ、１４つ、１３つ、１２つ、１１つ、１０つ、９つ、８つ、７つ、６つ、５つ、４つ、または３つより少なくてもよい。
【０４５７】
幾つかの実施形態では、粒子のタイプの数は、約２〜約２０、または約２〜約５、または約２〜約１０、または約１０〜約２０である。粒子のタイプを相互に弁別する方法はここで説明している。
【０４５８】
特に、方法は、組合せラベル信号強度（例えば、異なる粒子での異なる数のラベル）、ラベル識別（例えば、異なる粒子での異なるレベル）、ラベル移動度（例えば、推進力が電気運動力である場合、異なる粒子の異なる移動度）、またはこれらの組合せを用いてもよい。
【０４５９】
本発明の方法は、共通の会合(association)を有し、またはサンプル中で所望の情報、即ち「パネル」を提供する、複数タイプの粒子の存在、不在及び／又は濃度の検出を含む。
【０４６０】
ここで用いる「パネル」は、その存在が本発明の分析物によって検出できる粒子グループを含む。
【０４６１】
粒子は、本発明のシステムによってこれらの検出を可能にしたり、検出するためにラベリングを必要とする固有の特性を有してもよい。
【０４６２】
こうして、本発明の方法は、粒子パネルの１以上のメンバーの存在、不在及び／又は濃度の検出のため、サンプルを適切な複数のラベルと接触させることを含むことができる。
【０４６３】
こうした粒子パネルは、例えば、バイオテロ分析サンプル、医療検診、診断、予後、監視、及び／又は治療選択、生物医学研究、法医学、農業分析、工業的応用において、有用である。
【０４６４】
例えば、パネルは、特定のタイプの診断、例えば、感染有機体パネル、心臓疾患、癌や特定タイプの癌、糖尿病、関節炎、アルツハイマー病などの病気のためのマーカーパネルと関連付けてもよい。あるいは、種々のシステムの機能を評価するには、例えば、内分泌物パネルである。パネルは、バイオテロと関連付けてもよく、例えば、可能性あるバイオテロ有機体や毒素のパネルである。パネルは、医療スクリーニングにおいて有用であり、例えば、特定の病気または病理学的状態に関連し、または正常または過常な状態と関連した、特定の遺伝的多型または遺伝的変種と関連した蛋白質のパネルである。パネルは、予後と関連付けてもよく、例えば、特定タイプの癌と関連付けたマーカーパネルは、癌の一部または全てを根絶する治療の後、癌の再発及び／又は進行を決定するために使用できる。
【０４６５】
パネルは、血液サンプルのスクリーニングにおいても有用であり、スクリーニングを行うべき血液について、多くの感染性物質及び／又は抗体を含んでもよい。
【０４６６】
同様に、多くの濫用物質、環境物質、獣医学的に重大な物質を検出するために、単一サンプルを本発明の方法で分析してもよい。
【０４６７】
本発明の利点は、ある症候群を有する疑いがある個体について、この症候群の原因物質を同時に検出するために使用可能なテストパネルの組み立てを可能にする。パネルが有用である他の分野は、研究である。
【０４６８】
種々のタイプの使用のために、パネル中に用いられる例示のマーカーグループを図２８に示し、後述している。
【０４６９】
バイオテロのサンプル分析用パネルは、当業者に知られているように、種々の薬品(agency)脅威リストにある１つ又はそれ以上の３０個の病原体および毒素を含むことができる。公衆衛生人員は、疑わしいサンプル中にある病原体の大部分をめったに見ないため、これらを迅速に識別することは困難である。
【０４７０】
さらに、多くの病原体感染は、感染した患者で直ちに症状を示さず、数日という長さで遅れた症状の発症があり、病気を制御し、患者を治療するという選択肢に制約がある。
【０４７１】
現在の脅威リストにある複数の病原体または毒素を、迅速に検出し識別可能な実用的な監視ネットワークの欠落は、バイオテロを封じる能力において多大な欠点になる。
【０４７２】
「保護／警告のための検出(Detect to Protect/Warn)」プログラムで動作するバイオ脅威薬品センサは、好ましくは、１）１〜２時間の時間ウインドウ内でバイオ脅威薬品を検出可能であり、出来事に応答する充分な時間を可能にし、２）維持コストが極めて低く、必要ならば、連続的な監視を可能にし、３）偽陽性をほとんど排除する充分な選択性を有することである。
【０４７３】
米国バイオ−ウオッチプログラムは、エネルギー省、環境保護局（ＥＰＡ）、米国保健社会福祉省の疾病管理センターが関与している。結局、このプログラムは、１２０以上の米国都市で、生物攻撃を検出し、２４時間内で攻撃を報告する能力を有することになる。
【０４７４】
バイオ−ウオッチプログラムは、自律ペンタゴン検出システム（ＡＰＤＳ：Autonomous Pathogen Detection System）を利用しており、ファィルキャビネットの大きさの機械が、空気を採取し、テストを行い、その結果を報告する。ＡＰＤＳは、フローサイトメータ(cytometer)およびリアルタイムＰＣＲ増幅検出器に、サンプル回収、サンプル調製、流体工学を組み込んで、複数の病原体及び／又は毒素を同時に検出可能である、コンパクトで、自律的に動作する機器を提供する。
【０４７５】
該システムは、固定した場所用に設計され、そこでは、空気サンプルを連続的に監視し、特定の生物薬品の存在を自動的に報告する。ＡＰＤＳは、地下鉄システム、輸送ターミナル、大型オフィス複合施設、コンベンションセンターを狙いとし、単一サンプル中で１００に達する異なる薬品および対照(controls)を測定する能力を提供する。
【０４７６】
バイオ検出器の最新の進化であるＡＰＤＳ−ＩＩは、ビーズ捕捉免疫学的検定と、複数の生物学的偽物の同時識別のためのコンパクトなフローサイトメータを使用している。
【０４７７】
本発明は、ＡＰＤＳシステムと同じ要件に限定されず、より迅速に安価で正確に同じ検出を提供することができる。
【０４７８】
さらに、本発明は、医薬、医療検査、診断、予後、監視、及び／又は治療選択、生物医学研究において、他に多くの応用を有する。
【０４７９】
幾つかの実施形態では、本発明は、規制された薬剤および物質の検出、治療服用量の監視、健康状態、移植目的のためのドナー適性、妊娠（例えば、絨毛性ゴナドトロピンまたはα−フェトプロテイン）、病気の検出、例えば、エンドトキシン、癌抗原、病原体などに、使用可能である。
【０４８０】
幾つかの実施形態では、本発明は、化学および生物学的化合物および治療薬剤を検出するように、当業者によって適応可能であり、以下に限定されないが、抗自己免疫欠損症候群物質、抗癌物質、抗生物質、抗ウイルス物質、酵素、酵素基質、酵素抑制剤、神経毒、オピオイド、催眠剤、抗ヒスタミン剤、トランキライザ、抗痙攣剤、筋弛緩物質および抗パーキンソン物質、抗痙攣および筋収縮物質、縮瞳および抗コリン作用物質、免疫抑制物質（例えば、シクロスポリン(cyclosporine)）、抗緑内障溶質、抗寄生生物及び／又は抗原生動物溶質、抗高血圧物質、解熱および消炎剤（例えば、非ステロイド消炎性薬剤）、局部麻酔薬、眼科、プロスタグランジン類、抗うつ剤、抗精神病物質、鎮吐剤、造影剤、特定ターゲット剤、神経伝達物質、蛋白質、細胞応答調整剤、などを検出する。
【０４８１】
蛋白質は、幅広い治療学および診断学で対象となり、例えば、細胞群、血液型、病原体、病原体への免疫応答、免疫複合体、糖類、レクチン、天然由来レセプタなどの検出などである。
【０４８２】
幾つかの実施形態では、例えば、感染病または炎症の臨床診断用のマーカーのパネルが用いられる。
【０４８３】
サンプルは、ラベル付けされ、単一サンプル中で多くの感染物質、例えば、以下に限定されないが、バクテリア、ウイルス、真菌、マイコプラズマ、リケッチア、クラミジア、プリオンおよび原虫、に関連した抗原や抗体を検出し、そして、自己免疫疾病に関連した自己抗体についての分析、性感染症の物質についての分析、肺疾患、胃腸障害、心臓血管疾患、神経疾患、筋骨格疾患、皮膚疾患などに関連した検体についての分析、を行う。
【０４８４】
臨床診断用のパネルは、特定疾患または病理学状態、例えば、炎症用マーカーに関連した状態の存在についての他のマーカーを含んでもよい。
【０４８５】
例えば、敗血症の診断用に、下記診断マーカーの種々の組合せが使用でき、例えば、炎症バイオマーカーＴＲＥＭ−１、炎症バイオマーカーＩＬ−６とＩＬ−８、真菌感染バイオマーカー、大腸菌、例えば、複数の特定の菌株についての１つ以上の病原体マーカー、黄色ブドウ球菌、例えば、複数の特定の菌株についての１つ以上の病原体マーカー、口そうカンジダ、例えば、複数の特定の菌株についての１つ以上の病原体マーカー、エンテロバクター、例えば、複数の特定の菌株についての１つ以上の病原体マーカー、そして、他の臨床マーカー、必要ならば、負の対照(control)などである。
【０４８６】
幾つかの実施形態では、臨床診断は、敗血症の存在または不在の決定、例えば、ＴＲＥＭ−１、肺サンプル用には、肺炎（例えば、人工呼吸器の患者）の存在または不在の決定のための１つだけのマーカーに基づくものでもよい。
【０４８７】
診断は、血漿、血清またはＢＡＬサンプルを用いて行ってもよい。診断は、分析したサンプルから得られる値と、正常および異常（例えば、罹患した）人々についての値との比較に基づくものでもよい。
【０４８８】
幾つかの実施形態では、市中肺炎の診断のためのマーカーパネルを使用してもよく、これらは、下記の何れかまたは全ての組合せである。例えば、炎症バイオマーカーＴＲＥＭ−１、炎症バイオマーカーＩＬ−６とＩＬ−８、炎症バイオマーカーＩＬ−１０とＩＬ−１２、必要に応じてＩＬ−１８、ウイルス感染バイオマーカーＳＡＡ、肺炎連鎖球菌、例えば、複数の特定の菌株についての１つ以上の病原体マーカー、ＲＳ(Respiratory Syncytial)ウイルス、例えば、複数の特定の菌株についての１つ以上の病原体マーカー、ヘモフィルス、例えば、複数の特定の菌株についての１つ以上の病原体マーカー、マイコプラズマ、例えば、複数の特定の菌株についての１つ以上の病原体マーカー、そして、他の臨床マーカー、必要ならば、負の対照(control)などである。
【０４８９】
例えば、バクテリア病原体用のパネルが、当業者に明らかとなろう。文献（Dunbar et al. 2003. J Microbiol Methods 53:245-52）を参照。
【０４９０】
感染疾病の検出および診断は、しばしば複数の抗体についてのテストを必要とする。従って、特定の抗体は、下記の組合せの検出用のパネルを用いて、評価してもよく、例えば、アデノウイルス、百日咳菌、カンピロバクター感染菌、クラミジア肺炎菌、トラコーマ病原体、コレラトキシン、コレラトキシンｂ、クロストリジウム・フィリフォルメ(Clostridium piliforme)（チザー病）、サイトメガロウイルス、ジフテリアトキシン、エクトロメリアウィルス、ＥＤＩＭ(Epidemic diarrhea of infant mice)、エンセファリトゾーン症虫道、エプスタイン・バーＥＡ、エプスタイン・バーＮＡ、エプスタイン・バーＶＣＡ、ＨＢＶコア、ＨＢＶエンベローブ、ＨＢＶ表面（Ａｄ）、ＨＢＶ表面（Ａｙ）、ＨＣＶコア、ＨＣＶ  ＮＳ３、ＨＣＶ  ＮＳ４、ＨＣＶ  ＮＳ５、ヘリコバクター・ピロリ、Ａ型肝炎、Ｄ型肝炎、ＨＥＶ  ｏｒｆ２  ３ＫＤ、ＨＥＶ  ｏｒｆ２  ６ＫＤ、ＨＥＶ  ｏｒｆ３  ３ＫＤ、ＨＩＶ−１  ｇｐ１２０、ＨＩＶ−１  ｇｐ４１、ＨＩＶ−１  ｐ２４、ＨＰＶ、ＨＳＶ−１  ｇＤ、ＨＳＶ−１／２、ＨＳＶ−２  ｇＧ、ＨＴＬＶ−１／２、インフルエンザＡ型、インフルエンザＡ型Ｈ３Ｎ２、インフルエンザＢ型、ドノバン・リーシュマニア、ライム病、リンパ球性脈絡髄膜炎ウイルス、Ｍ肺炎、Ｍ肺結核、微小ウイルス、流行性耳下腺炎、肺マイコプラズマ、パラインフルエンザウイルス１、パラインフルエンザウイルス２、パラインフルエンザウイルス３、パルボウイルス、マウス肺炎ウィルス、ポリオウイルス、ポリオーマウイルス、レオウイルス−３、ＲＳＶ、風疹、麻疹、センダイウイルス、Ｔクルージ(cruzi)、Ｔ淡そう球  １５ｋｄ、Ｔ淡そう球  ｐ４７、テタヌストキシン、タイラー・マウス脳脊髄炎ウイルス、トキソプラズマ、水痘帯状ヘルペスなどである。
【０４９１】
イソタイプのパネルが、検出、特徴付け、抗体免疫不全疾患の類似、例えば、多重の骨髄腫、ＨＩＶ感染、実質性器官の腫瘍、または慢性肝炎などに、有用である。
【０４９２】
こうしたパネルは、特に、特定の病気、例えば、応答者／不応答者の状態、増加または異常なアレルギー、自己免疫疾患、ＧＩ疾患、悪性腫瘍、胸部症候、または再発バクテリア感染、に関連した種々のＩｇＧ欠損など、において全てのレベルの一定のイソタイプのものを測定するのを求める研究者にとって有用である。
【０４９３】
パネルは、例えば、ＩｇＡ、ＩｇＥ、ＩｇＧ１、ＩｇＧ２アルファ、ＩｇＧ２ベータ、ＩｇＧ３、ＩｇＭ、および軽鎖（カッパまたはガンマ）、の組合せを含んでもよい。
【０４９４】
臨床医および研究者に有用な、複数の異なるプロテインキナーゼのホスホ−トランスフェラーゼ活性を検出するために、基質蛋白パネルは、ＡＴＰと混合してもよく、例えば、異なる色コードの抗体、例えば、ビオチン化レポーター抗体、および共役ストレプトアビジン−フィコエリトリン、と接触してもよい。そして、各反応は、ただ１つのラベルによって検出できる。
【０４９５】
パネルは、例えば、Ａｋｔ、Ａｋｔ／ＰＫＢ（トータル）、Ａｋｔ／ＰＫＢｐＳ４７３、ＡＴＦ２（Ｔｈｒ７１）、Ｅｒｋ−２、Ｅｒｋ１（Ｔｈｒ２０２／Ｔｙｒ２０４）、Ｅｒｋ１／Ｅｒｋ２（Ｔｈｒ２０２／Ｔｙｒ２０４）、Ｅｒｋ２（Ｔｈｒ２０２／Ｔｙｒ２０４）、ＧＳＫ−３ベータ、ＩｋａｐｐａＢ−アルファ  ｐＳ３２、ＩｋａｐｐａＢ−アルファ  トータル、ＪＮＫ（ｐＴｐＹ１８３／１８５）、ＪＮＫトータル、ＪＮＫｐ（Ｔｈｒ１８３／Ｙ１８２）、ＭＡＲＫＡＰ  Ｋ２、ｐ３８（トータル）、ｐ３８  ＭＡＰＫ  ｐＴ１８０／ｐＹ１８２、ｐ５３（トータル）、ｐ５３  ｐＳ１５、ＰＫＢ−アルファ、ＰＫＣ、ＳＡＰＫ１ａ／ＪＮＫ２、ＳＡＰＫ４、ＳＴＡＴ１ｐＹ７０１、ＳＴＡＴ１トータル、ＳＴＡＴ３（Ｔｙｒ７０５）、ＺＡＰ−７０などの組合せを含むものでもよい。
【０４９６】
システムは、変性タンパク、例えば、特定の抗体を用いた修飾によるリン酸化蛋白質、を検出してもよい。システムは、１つ又はそれ以上のタイプの個別分子の１つ又はそれ以上の修飾を検出できる。
【０４９７】
正常および、癌などの組織改造を含む疾病状態を検出するために、マトリクス・メタロプロテイナーゼ（ＭＭＰ）の酵素ファミリーのパネルが有用であり、ＭＭＰ−１、ＭＭＰ−１２、ＭＭＰ−１３、ＭＭＰ−２、ＭＭＰ−３、ＭＭＰ−７、ＭＭＰ−８、ＭＭＰ−９を含んでもよい。
【０４９８】
他のパネルは、癌バイオマーカー、例えば、アルファ−フェトプロテイン、ＰＳＡ、癌抗原１２５、癌胚抗原の組合せや、心臓病マーカー、例えば、クレアチンキナーゼ−ＭＢ、エンドセリン１、ＰＡＰ、ＴＩＭＰ−１や、アルツハイマー病用のマーカーのパネルを含む。
【０４９９】
アレルゲンのパネル、例えば、マルチ−検体アレルギーテストの応用では、例えば、アレルゲン限定の抗体用のターゲットとして機能する異なるアレルゲンを使用してもよく、、第２ラベル分子が、抗ヒトＩｇＥを用いて、反応を終了させる。
【０５００】
こうしたパネル用の例示のアレルゲンは、アルテルナリア属（モールド）、バミューダグラス、猫のふけ、卵の白身、ミルク、ダニのプテルノイシヌス(Pternoyssinus)、山スギ(Cedar)、ブタクサ、オオアワガエリおよび小麦（食品）などを含む。
【０５０１】
同様な手順が用いられ、例えば、自己免疫抗体を検出するために、ＡＳＣＡ、ベータ２ミクログロブリン、動原体(Centromere)Ｂ、クロマチン、ＥＮＡプロファイル４（ＳＳＡ、ＳＳＢ、Ｓｍ、ＲＮＰ）、ＥＮＡプロファイル５（ＳＳＡ、ＳＳＢ、Ｓｍ、ＲＮＰ、Ｓｃｌ−７０）、ＥＮＡプロファイル６（ＳＳＡ、ＳＳＢ、Ｓｍ、ＲＮＰ、Ｓｃｌ−７０、Ｊｏ−１）、ヒストン、ヒストンＨ１、ヒストンＨ２Ａ、ヒストンＨ３、ヒストンＨ４、ＨＳＰ−２７  ｐＳ８２、ＨＳＰ−２７トータル、ＨＳＰ−３２、ＨＳＰ−６５、ＨＳＰ−７１、ＨＳＰ−９０ａ、ＨＳＰ−９０ｂ、Ｊｏ−１、ＰＣＮＡ、ＰＲ３、ＰＲ３（ｃＡＮＣＡ）、リボソームＰ、ＲＮＰ、ＲＮＰ−Ａ、ＲＮＰ−Ｃ、ＳＣＦ、Ｓｃｌ−７０、血清アミロイドＰ、ＳＬＥプロファイル８（ＳＳＡ、ＳＳＢ、Ｓｍ、ＲＮＰ、Ｓｃｌ−７０、Ｊｏ−１、リボソームＰ、クロマチン）、Ｓｍ、スミス(Smith)、ＳＳＡ、ＳＳＢ、ストレプトリジンＯ、ＴＰＯなどの抗原を用いる。
【０５０２】
血管形成（例えば、人間の血管形成）の分析のために、さらに他のパネルを用いてもよく、例として、ＩＬ−８、ｂＦＧＦ、ＶＥＧＦ、アンギオゲニン、およびＴＮＦの組合せを含んでもよい。 
【０５０３】
細胞活性化（例えば、人間の細胞活性化）の分析のために、他のパネルを用いてもよく、例として、ＩＬ−８、βＦＧＦ、ＶＥＧＦ、アンギオゲニン、およびＴＮＦの組合せであり、Ｂ細胞の活性化（例えば、人間のＢ細胞活性化）のためのパネルは、例として、ＣＤ７９ｂ（Ｉｇβ３）、ＢＬＮＫ、Ｂｔｋ、Ｓｙｋ、およびＰＬＣγの組合せを含んでもよく、Ｔ細胞の活性化（例えば、人間のＴ細胞活性化）のためのパネルは、例として、ＴＣＲｚ、ＳＬＰ−７６、ＺＡＰ−７０、Ｐｙｋ２、Ｉｔｋ、およびＰＬＣγの組合せを含んでもよい。
【０５０４】
炎症マーカー（例えば、人間の炎症）のためのパネルは、例えば、Ｉｌ−８、ＩＬ−１β、ＩＬ６、ＩＬ１０、ＴＮＦ、ＩＬ−１２ｐ７０、そして、他のサイトカインや当業者に明らかとなるバイオマーカーの組合せを含んでもよい。
【０５０５】
ケモカイン（例えば、人間のケモカイン）のためのパネルは、例えば、ＩＬ−８、ＲＡＮＴＥＳ、ＫＣ（マウス）、モノカイン誘導インターフェロン−γ、単球−化学誘引物質プロテイン−１、マクロファージ炎症性プロテイン−１α、マクロファージ炎症性プロテイン−１β、インターフェロン−γ誘導プロテイン１０の組合せを含んでもよい。
【０５０６】
アポトーシス（例えば、人間のアポトーシス）のためのパネルは、例えば、開裂ＰＡＲＰ、Ｂｃｌ−２、活性カスパーゼ−３プロテインの組合せを含んでもよい。
【０５０７】
人間の過敏症毒素(anaphylotoxins)のためのパネルは、例えば、過敏症毒素Ｃ４ａ、３ａ、５ａの組合せを含んでもよい。
【０５０８】
アレルギーメディエータ（例えば、人間のアレルギーメディエータ）のためのパネルは、例えば、ＩＬ−３、ＩＬ−４、ＩＬ−５、ＩＬ−７、ＩＬ−９（マウス）、ＩＬ−１０、ＩＬ−１３（マウス）、エオタキシン（ＣＣＬ１１）顆粒球刺激因子、顆粒球マクロファージコロニー刺激因子の組合せを含んでもよい。
【０５０９】
研究および診断の両方のために、サイトカインは、多くの状態、病気、病理学などのマーカーとして有用であり、幾つかの異なるパネルに含まれてもよい。
【０５１０】
現在、１００以上のサイトカイン／ケモカインが存在しており、その調和または非調和規則は、臨床的な対象となる。特定の疾患プロセスをサイトカインレベルの変化と相関させるために、理想的な手法は、複数のサイトカイン用の各サンプルを分析する必要がある。
【０５１１】
マーカーパネルに現在使用され、本発明の方法および組成物で用いられるパネルで使用できる例示的なサイトカインは、以下に限定されないが、ＢＤＮＦ、ＣＲＥＢ  ｐＳ１３３、ＣＲＥＢトータル、ＤＲ−５、ＥＧＦ、ＥＮＡ−７８、イオタキシン(Eotaxin)、脂肪酸結合プロテイン、ＥＧＦ−ベーシック、Ｇ−ＣＳＦ、ＧＣＰ−２、ＧＭ−ＣＳＦ、ＧＲＯ−ＫＣ、ＨＧＦ、ＩＣＡＭ−１、ＩＦＮ−アルファ、ＩＦＮ−ガンマ、ＩＬ−１０、ＩＬ−１１、ＩＬ−１２、ＩＬ−１２  ｐ４０、ＩＬ−１２  ｐ４０／ｐ７０、ＩＬ−１２  ｐ７０、ＩＬ−１３、ＩＬ−１５、ＩＬ−１６、ＩＬ−１７、ＩＬ−１８、ＩＬ−１アルファ、ＩＬ−１ベータ、ＩＬ−１ｒａ、ＩＬ−１ｒａ／ＩＬ−１Ｆ３、ＩＬ−２、ＩＬ−３、ＩＬ−４、ＩＬ−５、ＩＬ−６、ＩＬ−７、ＩＬ−８、ＩＬ−９、ＩＰ−１０、ＪＥ／ＭＣＰ−１、ＫＣ、ＫＣ／ＧＲＯａ、ＬＩＦ、リンフォトキシン、Ｍ−ＣＳＦ、ＭＣＰ−１、ＭＣＰ−１（ＭＣＡＦ）、ＭＣＰ−３、ＭＣＰ−５、ＭＤＣ、ＭＩＧ、ＭＩＰ−１アルファ、ＭＩＰ−１ベータ、ＭＩＰ−１ガンマ、ＭＩＰ−２、ＭＩＰ−３ベータ、ＯＳＭ、ＰＤＧＦ−ＢＢ、ＲＡＮＴＥＳ、Ｒｂ（ｐＴ８２１）、Ｒｂ（トータル）、Ｒｄ  ｐＳｐＴ２４９／２５２、Ｔａｕ（ｐＳ２１４）、Ｔａｕ（ｐＳ３９６）、Ｔａｕ（トータル）、組織因子、ＴＮＦ−アルファ、ＴＮＦ−ベータ、ＴＮＦ−ＲＩ、ＴＮＦ−ＲＩＩ、ＶＣＡＭ−１、ＶＥＧＦなどを含む。
【０５１２】
パネルはまた、内分泌マーカー、例えば、糖尿病または甲状腺マーカーのために設計してもよく、臨床的研究所において、またはライフサイエンス研究者にとって有用である。
【０５１３】
例示の内分泌マーカーは、アジポネクチン(Adiponectin)、アミリン、Ｃ−ペプチド、カルシトニン、ＣＲＦ、ＦＧＦ−９、ＧＬＰ−１、グルカゴン、成長ホルモン、インスリン、レプチン、リポプロテイン、レシスチン(Resistin)、Ｔ３、Ｔ４、ＴＢＧ、チログロブリン、ＴＳＨなどを含む。
【０５１４】
代謝マーカーも、研究または臨床応用にとって有用であり、アポリポプロテインＡ−１、アポリポプロテインＡ−Ｉ、アポリポプロテインＡ−ＩＩ、アポリポプロテインＢ、アポリポプロテインＣ−ＩＩ、アポリポプロテインＣ−ＩＩＩ、アポリポプロテインＥ、ベータ２グリコプロテイン、コラーゲン型１、コラーゲン型２、コラーゲン型４、コラーゲン型６、グルタチオン−Ｓ−トランスフェラーゼ、膵島細胞、ｔＴＧ（セリアック病）などを含む。
【０５１５】
臨床的研究所および研究者は、例えば、対象となる複対立遺伝子を検出することによる組織型別(tissue typing)のため、しばしば複数の核酸シーケンスの同時取り調べを必要とする。適切なパネルは、ＨＬＡクラスＩとＩＩ、ＨＬＡクラスＩ単一抗原抗体、グループ１、ＨＬＡクラスＩ単一抗原抗体、グループ２、ＰＲＡクラスＩ、ＰＲＡクラスＩとＩＩ、ＰＲＡクラスＩＩ、ＳＳＯクラスＩ  ＨＬＡ−Ａ、ＳＳＯクラスＩ  ＨＬＡ−Ｂ、ＳＳＯクラスＩ  ＨＬＡ−Ｃ、ＳＳＯクラスＩＩ  ＤＰ、ＳＳＯクラスＩＩ  ＤＱＢ１、ＳＳＯクラスＩＩ  ＤＲＢ１、ＳＳＯクラスＩＩ  ＤＲＢ３，４，５の組合せを含んでもよい。
【０５１６】
妊娠パネルは、妊娠個体における、例えば、ヒト絨毛性ゴナドトロピン、Ｂ型肝炎表面抗原、風疹ウイルス、アルファ  フェトプロテイン、３’エストラジオール、および対象となる他の物質のためのテストを備えてもよい。
【０５１７】
本発明の分析器の感度は、いままでにないマーカーおよびマーカーパネルの設計および実施を可能にするものであり、腫瘍や遺伝的異常などの異常なレベルのマーカーの存在に関する単に簡単な肯定／否定の答えだけではなく、例えば、状態の発症などの早期の決定など、より洗練された分析、およびマーカーの正常な範囲と個体で見つかるレベルとのより正確な比較をも決定できると理解されよう。
【０５１８】
現在の分析方法は、対応した潜在的な病理学的状態が、治療が有効でないか、または僅かに有効なだけである段階に到達した場合、しばしばマーカーの検出のみを可能にする。例えば、多くの癌に関する現在の検出レベルは、癌がかなり進行したレベルでのみしか検出が可能でない。
【０５１９】
本発明の方法は、早期の検出だけでなく、正常個体で存在するものの、異常に高くまたは低いレベルで病理学の存在を示すマーカーについて、正常個体に関するベースラインレベルの確立を可能にする。
【０５２０】
従って、本発明は、１つ又はそれ以上のバイオマーカーの検出及び／又は定量化に基づいて、病気または病理学の早期検出の方法を含む。
【０５２１】
典型的には、個体、例えば、人間からの血液、血漿または血清サンプルなどのサンプル中のバイオマーカーの濃度は、正常または異常である値と比較される。分析器および分析器システムは、検出および診断で現在用いられているものよりかなり低い程度、例えば、現在、定量化可能なレベルの０．１、０．０１、０．００１または０．０００１倍程度で、正常および病気の人々の両方についてのバイオマーカーのレベルを決定するために、用いてもよい。
【０５２２】
こうして、データベースは、所定の状態について正常または異常なレベルについて作成することができ、個体はスクリーニングされて、該状態は、以前では可能であったものよりかなり早期に検出されるようになる。
【０５２３】
代替として、データベースは、正常または異常な値に関して既存のものでもよいが、現在の方法は、マーカーについての個体の値が正常な範囲にあるか否かを決定するためのルーチンベースで、充分な感度での個体スクリーニングについては実用的でない
【０５２４】
例えば、サンプル中のＩＬ−６濃度決定のための多くの現在の方法は、約５ｐｇ／ｍｌの濃度までのＩＬ−６のみを検出できる。ＩＬ−６の正常範囲は、約１〜約１０ｐｇ／ｍｌである。よって、現在の方法は、正常範囲の上側部分にあるＩＬ−６を検出できるに過ぎない。
【０５２５】
これに対して、本発明の分析器および分析器システムは、約０．１ｐｇ／ｍｌ未満、あるいは正常範囲の値の１／１０より低い濃度までのＩＬ−６の検出を可能にする。
【０５２６】
こうして、本発明の分析器および分析器システムにより、より広範でより繊細なデータベースが、バイオマーカー、例えば、ＩＬ−６について作成可能になり、正常範囲の内側および外側にあるバイオマーカーについスクリーニングが可能になり、早期検出が可能になる。
【０５２７】
こうした本発明の早期検出方法は、１つ又はそれ以上のバイオマーカーが存在または発見でき、あるいは状態の発症または進行と相関してデータベースの値が得られる、何れの病気または状態の検出についても使用できる。
【０５２８】
一例として、癌の診断は、腫瘍の成長、例えば、腫瘍自体の可視化のおおまかな測定の使用にしばしば依存する。これは、不正確であり、あるいは、例えば、現在の方法による実用的な臨床設定において、これらが検出可能になる前の高いレベルに到達する必要がある。
【０５２９】
検出の段階では、腫瘍は、転移前に診療行為(intervention)が生じないような充分なサイズにまでしばしば成長する。例えば、Ｘ線による肺癌の検出は、直径１ｃｍより大きい腫瘍を要し、ＣＴスキャンでは２〜３ｍｍより大きいものを要する。
【０５３０】
代替として、腫瘍成長のバイオマーカーが使用できる。腫瘍は、バイオマーカーが現在の臨床技術にアクセス可能なレベルで検出可能になる時間までに、しばしば早く進行する。
【０５３１】
さらに、診療行為（例えば、腫瘍を収縮させたり除去するための手術、化学療法または放射線）の後、残存した病気が、更なる診療行為が成功しそうにない段階まで進行するまで、癌が再発したかを決定するのに充分な感度で、腫瘍マーカーを測定することがしばしば不可能になる。
【０５３２】
本発明の分析器、システムおよび方法を用いれば、例えば、転移の低い可能性により、診療行為が成功するであろう段階で、腫瘍成長の発症および腫瘍成長の再発の両方を検出することができる。
【０５３３】
よって、本発明は、１）以前から存在していたバイオマーカーに関して、病気の診断または監視に有用な極めて低いレベルでスクリーニングを行う方法、２）上記１）で発見されたり、現に知られているバイオマーカーの検出に基づいて、現在可能なものよりかなり低いレベルで、病気の発症についてのスクリーニングを行う方法、３）病気の再発などの影響を検出するための、現在可能なものより、かなり高い能力でもって、治療の方針または実験的治療の有用性を監視する方法、を提供する。
【０５３４】
これらは、状態の存在、不在、進展の見込み、または進行の程度について、個体をテストするための方法を含む。状態は、病理学的なものでも、非病理学的なもの（例えば、加齢、妊娠）でもよい。
【０５３５】
例示の病理学的状態は、一般的な病理学的状態、例えば、糖尿病、心臓病、関節炎、癌など多くの特定な病理学的状態と関連した炎症などを含む。
【０５３６】
病理学的状態はまた、以下に限定されないが、癌、炎症状態、及び／又は自己免疫疾患、心臓血管疾患、胃腸障害、皮膚疾患、神経疾患、遺伝的障害、感染病、加齢、アレルギーなどを含む、より多くの特定の状態も含む。
【０５３７】
癌は、以下に限定されないが、肺、胃、膵臓、食道、卵巣、乳房、前立腺、膀胱、結腸、直腸の癌を含む。
【０５３８】
該方法は、本発明の分析器または分析器システムを用いて、１つ又はそれ以上マーカーについて個体からのサンプルを分析することを含み、分析器または分析器システムは、１ナノモル、１ピコモル、１フェムトモル、１アトモルまたは１ゼプトモル未満のレベルのマーカーを検出できる。
【０５３９】
幾つかの実施形態では、分析器または分析器システムは、バイオマーカーが、１ナノモル、１ピコモル、１フェムトモル、１アトモルまたは１ゼプトモル未満の濃度で存在して、サンプルのサイズが、約１００、５０、４０、３０、２０、１０、５、２、１、０．１、０．０１、０．００１、０．０００１μｌ未満である場合、一方のサンプルから他方のサンプルへ、約０．１、１、２、５、１０、２０、３０、４０、５０、６０または８０％未満のマーカー濃度変化を検出できる。
【０５４０】
幾つかの実施形態では、分析器または分析器システムは、検体が約１ピコモル未満の濃度で存在し、各サンプルのサイズが約５０μｌ未満である場合、第１サンプルから第２サンプルへ、約２０％未満の濃度変化を検出できる。
【０５４１】
幾つかの実施形態では、分析器または分析器システムは、検体が約１００フェムトモル未満の濃度で存在し、各サンプルのサイズが約５０μｌ未満である場合、第１サンプルから第２サンプルへ、約２０％未満の濃度変化を検出できる。
【０５４２】
幾つかの実施形態では、分析器または分析器システムは、検体が約５０フェムトモル未満の濃度で存在し、各サンプルのサイズが約５０μｌ未満である場合、第１サンプルから第２サンプルへ、約２０％未満の濃度変化を検出できる。
【０５４３】
幾つかの実施形態では、分析器または分析器システムは、検体が約５フェムトモル未満の濃度で存在し、各サンプルのサイズが約５０μｌ未満である場合、第１サンプルから第２サンプルへ、約２０％未満の濃度変化を検出できる。
【０５４４】
幾つかの実施形態では、分析器または分析器システムは、検体が約５フェムトモル未満の濃度で存在し、各サンプルのサイズが約５μｌ未満である場合、第１サンプルから第２サンプルへ、約２０％未満の濃度変化を検出できる。
【０５４５】
幾つかの実施形態では、分析器または分析器システムは、検体が約１フェムトモル未満の濃度で存在し、各サンプルのサイズが約５μｌ未満である場合、第１サンプルから第２サンプルへ、約２０％未満の濃度変化を検出できる。
【０５４６】
該方法はさらに、状態の存在、不在または進行の程度を決定するために、検体から得られた値を、バイオマーカーに関する既知の値と比較することを含む。該方法はさらに、比較の結果を個体に知らせたり、あるいは、前記比較に基づいて、治療の方針、予後または診断を決定することを含むことができる。
【０５４７】
幾つかの実施形態では、該方法は、個体からの複数のサンプルを分析することを含み、これらはしばしば連続した時間に渡って採取されものであり、そして、テストされる特定の状態についてマーカー濃度の変化の程度及び／又は変化レートを決定することと、その程度及び／又は変化レートを、正常値及び／又は異常値と比較することを含む。
【０５４８】
状態の存在、不在または進行を決定する際に高機能なレベルを増加させる場合、絶対的な値および変化レートなども用いてもよいと理解されるであろう。
【０５４９】
一例において、本発明は、個体の肺癌の存在、不在または進行をスクリーニングする方法を提供する。
【０５５０】
幾つかの実施形態では、個体は、肺癌について高いリスクにある人間であってもよく、こうした個体は、例えば、喫煙や職業上の被爆、例えば、アスベスト被爆などによる肺の発癌性物質に曝された個体、そして、約５０年、５５年、６０年、６５年、７０年または８０年の年齢の個体、または、既存の肺癌または他の癌についての治療を受けている個体などを含む。
【０５５１】
本発明は、１ナノモル、１ピコモル、１フェムトモル、１アトモルまたは１ゼプトモルのレベルでマーカーを検出できる分析器を用いて、肺癌及び／又は１つ又はそれ以上の特定タイプの肺癌、例えば、小細胞癌など、の１つ又はそれ以上のマーカーに関して、個体からの痰(sputum)、ＢＡＬ、血液、血清または血漿サンプルを分析することを含む。
【０５５２】
幾つかの実施形態では、検出レベルは、１ピコモル未満である。
【０５５３】
幾つかの実施形態では、分析器または分析器システムは、バイオマーカーが、１ナノモル、１ピコモル、１フェムトモル、１アトモルまたは１ゼプトモル未満の濃度で存在して、サンプルのサイズが、約１００、５０、４０、３０、２０、１０、５、２、１、０．１、０．０１、０．００１、０．０００１μｌ未満である場合、一方のサンプルから他方のサンプルへ、約０．１、１、２、５、１０、２０、３０、４０、５０、６０または８０％未満のマーカー濃度変化を検出できる。
【０５５４】
幾つかの実施形態では、分析器または分析器システムは、バイオマーカーが約１ピコモル未満の濃度で存在している場合、約５μｌ未満のサンプルセットにおいて約２０％未満の濃度変化を検出できる。
【０５５５】
該方法はさらに、個体での肺癌の存在、不在または進行の程度を決定するために、分析で得られた値を、バイオマーカーに関する既知の値と比較することを含む。該方法はさらに、比較の結果を個体に知らせたり、あるいは、前記比較に基づいて、治療の方針、予後または診断を決定することを含むことができる。
【０５５６】
幾つかの実施形態では、ある時間に渡って同じ個体から得られたバイオマーカーのレベルについての値を相互に比較することと、上述のように、肺癌についての診断、予後、見込みの程度、進行の程度を決定することとを含む。
【０５５７】
さらに、本発明の方法は、例えば、治療の結果及び／又は治療のテストの成果を決定するために、パネルの発見および使用の感度を増加させることができる。
【０５５８】
例えば、癌組織を削減または除去する方法を必要とする癌の治療において、癌がどれぐらいの速さでいつ再発するかを知るのに有用である。
【０５５９】
本方法の感度は、こうした情報を、再発のかなり早期の段階で、かなり高い精度で入手可能になり、病状の再発でより早期の段階でアクションをとることができる。
【０５６０】
これは、当然ながら、以前は正常な個体での病気の発症のスクリーニングについても同様である。
【０５６１】
さらに、本発明の分析器および方法についての感度およびマルチプレキシングにより、種々のタイプの臨床、研究、農業および工業の応用について、本発明の方法の使用が可能になる。
【０５６２】
こうして、バイオマーカーのパネルは、スクリーニングおよび他の研究応用で使用されるように、反復性のある分析物のために設計することができる。分析の感度が、今まで生物医学的研究で用いられていたものより大幅に高いためであり、今まで可能であったものよりはるかに低いレベルでマーカーの変化を検出することができ、そして新しいバイオマーカーを発見し使用することが可能になる。
【０５６３】
幾つかの実施形態では、以前は使用されていない新しいバイオマーカーがバイオマーカーのパネルにおいて使用でき、あるいは、低い感度のレベルで以前使用していたバイオマーカーが、本発明のパネルにおいて使用できる。
【０５６４】
従って、幾つかの実施形態では、本発明の方法は、個体からのサンプルを、２つの取り調べ空間を持つ単一粒子検出器で分析することを含み、少なくとも１、２、３、４、５、６、７、８、９、１０、１５、２０、３０、４０、５０１００、または１００以上のタイプの粒子が検出可能であり、もし存在すれば、単一サンプル中で、１ｎＭ、１ｐＭ、１００ｆＭ、１０ｆＭ、５ｆＭ、４ｆＭ、３ｆＭ、２ｆＭ、１ｆＭ、０．５ｆＭ、０．１ｆＭ、０．０１ｆＭ、０．００１ｆＭ、０．０００１ｆＭ、０．００００１ｆＭ、または０．０００００１ｆＭ未満の感度で検出可能である。
【０５６５】
粒子の個々のタイプは、異なる検出レベルを有ししてもよい。
【０５６６】
本発明の方法は、増加した感度およびサンプルを多重処理する能力を提供することから、この方法で必要なサンプルのサイズは、相応に減少させることができる。
【０５６７】
本発明の幾つかの実施形態では、サンプルは生物学的流体であり、例えば、体液（例えば、血清）であり、サンプルサイズは、１０００、５００、２００、１００、７５、５０、４０、３０、２０、１０、５、４、３、２、１、０．１、０．０１、０．００１、または０．０００１μｌ未満にできる。
【０５６８】
こうしたサンプルで分析できる粒子の異なるタイプの数は、１つ、または１、２、３、４、５、６、７、８、９、１０、１５、２０、３０、４０、５０、１００、または１００以上でもよい。
【０５６９】
幾つかの実施形態では、サンプルサイズは、約１μｌ〜約５００μｌ、約１０μｌ〜約２００μｌ、約１０μｌ〜約１００μｌ、約１０μｌ〜約５０μｌ、または約５０μｌであり、分析される粒子タイプの数は、約１〜約５０、約１〜約２０、または約１〜約１０である。
【０５７０】
幾つかの実施形態では、サンプルの分析は、一定時間間隔で生ずる。
【０５７１】
幾つかの場合、分析は、約１日内、または約１２、８、４、２、１、０．５、０．４、０．３、０．２、０．１、０．０５、０．０１、または０．０１未満の時間内で行われる。
【０５７２】
ある実施形態では、本発明は、２つの取り調べ空間を持つ単一粒子検出器を用いて、複数のサンプルを分析する方法を提供するものであり、各サンプルは、平均で１時間未満、０．５時間未満、０．２時間未満、または０．１時間未満、または５、４、３、２、１、０．５、または０．１分未満で分析される。
【０５７３】
一実施形態では、本発明は、２つの取り調べ空間を持つ単一粒子検出器を用いて、臨床サンプルを分析する方法を提供するものであり、各サンプルは、平均で１時間未満、０．５時間未満、または０．１時間未満で分析される。
【０５７４】
一実施形態では、本発明は、個体が病気を患っているか否かを決定する方法を提供するものであり、２つの取り調べ空間を持つ単一粒子検出器を用いて、バイオマーカーの存在、不在または濃度について、個体からのサンプルを分析することを含み、サンプルの分析は、２時間未満、１時間未満、０．５時間未満、０．２５時間未満、０．１時間未満、または０．０１時間未満で行われる。
【０５７５】
該方法はまた、個体からのサンプルを取得すること、及び／又は分析の結果を個体に報告することを含む。
【０５７６】
一実施形態では、本発明は、分析の結果を、サンプルが採取された個体またはその代理人に報告することを含む方法を提供するものであり、２つの取り調べ空間を持つ単一粒子検出器を用いて、ＴＲＥＭ−１の存在、不在または濃度について個体からのサンプルを分析することを含み、サンプルの分析は、１時間未満で行われる。
【０５７７】
粒子の存在、不在または濃度の検出は、サンプルが採取された個体、またはサンプルが採取された個体のためのヘルス職業介護者に報告される。
【０５７８】
幾つかの実施形態では、診断、予後、監視、及び／又は提案された治療方針が、粒子の存在、不在または濃度に基づいて行われる。
【０５７９】
幾つかの実施形態では、診断、予後、監視、及び／又は提案された治療方針は、サンプルが採取された個体、または代理人、サンプルが採取された個体のためのヘルス職業介護者に報告される。
【０５８０】
本発明の方法は、研究者またはヘルス職業者など個人に、研究または臨床または前臨床のトライアルを評価するための情報を提供する能力をも提供することは理解されよう。
【０５８１】
例えば、遺伝情報および病気と決定遺伝子の突然変異との関連の入手可能性は、研究および臨床の分析の豊富な分野を生成している。
【０５８２】
遺伝情報（即ち、遺伝変異性を決定するための核酸の分析）およびプロテオミクス(proteomic)情報（即ち、遺伝変異性の発現を決定するための実際の蛋白質の分析）の両方は、研究および臨床の設定において有用である。
【０５８３】
一般に、決定遺伝子の突然変異についての情報に基づく研究または診断の方法は、ポリメラーゼ連鎖反応（ＰＣＲ）およびその変形の使用を必要としていた。
【０５８４】
本発明の感度は、核酸の増幅の必要性なしで、核酸または蛋白質またはその両方から突然変異の事象の検出を可能にする。
【０５８５】
さらに、多くの蛋白質の存在、不在及び／又は濃度での変化は、その発現は特定の遺伝的構成に関連しており、及び／又は病理学的状態は、本発明の方法によって容易に検出できるものであり、例えば、病理学的状態での影響に関してテストされる薬品の影響について、迅速で敏感なスクリーニングを可能にする。
【０５８６】
多くの異なるマーカー、例えば、蛋白質は、同時に検出してもよく、及び／又は、単一サンプル中で定量化してもよい。
【０５８７】
本発明の追加の工業的および環境的な応用は、プロセス制御、環境モニタリングおよび食品安全を行うことを含む。
【０５８８】
例えば、土壌、水、空気などの環境源や、廃棄流、水資源、供給ライン、生産ロットなどの工業源からのサンプルは、汚染について分析できる。確からしい汚染の例は、殺虫剤、石油製品、工業副産物、有機体などである。
【０５８９】
同じ汚染物質の多くは、食品供給に懸念され、特に、穀類中の菌、肉類、猟鳥獣類(game)、製品または日用製品の中のバクテリアなどの有機体である。
【０５９０】
工業的応用は、生物学的反応などの発酵媒体の品質制御、または醸造などの食品発酵プロセスを含む。
【０５９１】
更なる態様において、本発明は、ビジネスを行う方法を提供する。一実施形態では、本発明は、サンプルの分析結果を得るために、２つの取り調べ空間を持つ、単一粒子（例えば、単一の分子）を検出可能な検出器の団体(entity)による使用と、前記結果を報告することと、結果の報告について団体への支払いとを備えるビジネスを行う方法を提供する。
【０５９２】
幾つかの実施形態では、検出器は、ここで説明した実施形態の何れでもよい。
【０５９３】
幾つかの実施形態では、該団体は、ＣＬＩＡ(Clinical Laboratory Improvement Amendments)研究所である。幾つかの実施形態では、該団体は、ＣＬＩＡ研究所ではない。サンプルは、単一粒子検出器によって分析可能なサンプルの何れのタイプでもよい。
【０５９４】
幾つかの実施形態では、サンプルは、個体からのものである。この個体は、ここで説明したような何れのタイプの個体でもよい。
【０５９５】
幾つかの実施形態では、個体は、スクリーニング、診断、予後、監視及び／又は治療方法の決定が望まている患者（例えば、動物や人間）である。
【０５９６】
幾つかの実施形態では、個体は、臨床試験または前臨床試験の研究に参加している個体（例えば、動物や人間）である。
【０５９７】
幾つかの実施形態では、サンプルは、例えば、生物医学的研究、農業的研究、工業的研究、教育的研究、バイオテロ研究などの研究プロジェクトの一部である個体からのものである。
【０５９８】
幾つかの実施形態では、支払いは、結果の報告を受け取る個人、例えば、ヘルスケア職業者、及び／又は、サンプルが採取された個人によって、分析を実施する団体、例えば、ＣＬＩＡ研究所に対して行ってもよく、あるいは、支払いは、サンプルが採取された個人によって、分析を実施する団体からの報告を受け取る個人、または団体自体、またはその両方もしくはこれらの組合せに対して行ってもよい。
【０５９９】
他の実施形態では、本発明は、ビジネスを行う方法を提供するものであり、個体からのサンプルの分析結果を得るために、２つの取り調べ空間を持つ、単一粒子を検出可能な検出器のヘルスケア提供者による使用と、前記結果を個体またはこれらの代理人に報告することと、前記結果報告について個体による支払いとを備える。
【０６００】
（実施例）
下記実施例は、例として提供されものであり、残る開示を限定するものではない。
【０６０１】
ＤＮＡ断片、粒子、蛋白質、ウイルス、核酸と結合したオルガネラをポンプ供給して、電気泳動にかけた。
【０６０２】
データは、次のように分析した。フォトンを収容する隣接ビン(bin)を、分析ソフトウエアを用いて粒子から導出されるフォトンバーストにグループ分けした。
【０６０３】
電気泳動を利用する実験について、粒子導出のフォトンバーストは相互相関をとって、これらの電気泳動速度（２つの検出器での検出時間オフセット）を決定した。
【０６０４】
（実施例１：ＤＮＡ断片の検出−電気泳動速度および希釈曲線）
Ａ６４７を用いてラベル付けした７．２ｋｂのＤＮＡ断片を使用して、核酸の電気泳動を示した。Ｍ１３ｍｐ１８ＲＦＩ  ＤＮＡ（ニューイングランドバイオラボ社(New England Biolabs, Beverly, MA)を、ＳｍａＩによって単一の制限酵素認識部位(single restriction)において消化した(digest)した。
【０６０５】
得られた７．２ｋｂの断片は、ＵＬＹＳＩＳ（登録商標）核酸ラベリングキット（モレキュラープローブ社(Molecular Probes, Inc., Eugene, OR)）を用いて、製造者の指示に従って、アレクサフルオル６４７(AlexaFluor647)でラベル付けした。
【０６０６】
アレクサフルオルでラベル付けしたＤＮＡの濃度は、２６０ｎｍでの吸収度から決定した。アレクサフルオルの濃度は、６５０ｎｍでの吸収度から決定した。
【０６０７】
ラベリングの程度は、ＤＮＡ粒子当たり１９０個の染料(dye)であった。原液から階段希釈(serial dilution)を行って、０．０３と１００ｆＭの間の濃度範囲に作成した。
【０６０８】
各サンプルは、本発明で説明した分析器に投入して、４分間、電気泳動にかけた。
【０６０９】
０および０．１ｆＭのＤＮＡを持つサンプルの粒子相互相関のヒストグラムプロットの例を、図６に示す。
【０６１０】
０．１ｆＭでは、９個の粒子のピークが１４２ｍｓで検出され、一方、バックグランドサンプルは、−７８ｍｓで１個の粒子を有していた。
【０６１１】
検出した粒子の数と、１００ｆＭまでのサンプル濃度との間は、線形関係を示した。
【０６１２】
（実施例２：バイオマーカー用のサンドイッチ分析試料）
最近の報告は、ＴＲＥＭ−１を、バクテリアまたは菌の感染のバイオマーカーとして確立した（文献（Bouchon et al. (2000) J. Immunol. 164:4991-5; Colonna (2003) Nat. Rev. Immunol. 3:445-53; Gibot et al. (2004) N. Engl. J. Med. 350:451-8; Gibot et al. (2004) Ann. Intern. Med. 141:9-15.）を参照）。
【０６１３】
ＴＲＥＭ−１用の分析試料は、サンドイッチ分析試料フォーマットを用いて開発した（個々の分子検出用のサンドイッチ分析試料、米国仮特許出願第６０／６２４７８５号）。ＴＲＥＭ−１用の分析試料試薬は、Ｒ＆Ｄシステム社(R&D Systems, Minneapolis, MN)から商業的に入手可能である。
【０６１４】
分析評価は、９６個のウエルプレート中で行った。モノクローナル抗体は、捕捉試薬として使用した。他のモノクローナル抗体またはポリクローナル抗体は、検出のために使用した。検出抗体は、アレクサフルオル６４７(AlexaFluor647)（登録商標）でラベル付けした。
【０６１５】
分析手順は、下記のとおりであった。
１．プレートを捕捉抗体でコートして、５回洗浄。
２．１％ＢＳＡ、ＰＢＳの５％蔗糖でブロック。
３．希釈ターゲットを血清に添加し、培養して、５回洗浄。
４．検出抗体を添加し、培養して、５回洗浄。
５．０．１Ｍのグリシン  ｐＨ２．８を添加し、プレートから、結合した試料成分を遊離。
６．処理プレートから検出プレートへサンプルを移し、サンプルのｐＨを中性とし、単一粒子分析器システムで走らせる。
【０６１６】
図７は、分析試料を用いて生成したＴＲＥＭ−１の標準曲線を示す。分析試料は、１００〜１５００フェムトモルの測定範囲で線形であった。Ｒ＆Ｄシステム社からのＥＬＩＳＡ試料は、最近、導入された。これらのＥＬＩＳＡ試料について報告された標準曲線は、６０〜４０００ｐｇ／ｍｌの間である。
【０６１７】
この実施例は、我々が、標準曲線において１００ｆＭ（４．７ｐｇ／ｍｌ）をルーチンで測定可能であることを示唆しており、約１０倍以上の感度を可能にしている。
【０６１８】
ＩＬ−６の検出用に構成されたサンドイッチ分析試料も、商業的に入手可能な試薬（Ｒ＆Ｄシステム社）を用いて開発した。
【０６１９】
手順は、ターゲット希釈および捕捉抗体ペアがＲ＆Ｄシステム社によって説明したものである点以外は、ＴＲＥＭ−１に関して上述したものとほぼ同じである。検出抗体は、アレクサフルオル６４７を用いてラベル付けしたＲ＆Ｄシステム社の抗体であった。
【０６２０】
分析試料は、ＩＬ−６の検出を０．５ｐｇ／ｍｌ未満で可能にした（図８Ａと図８Ｂ）。検出の限界は、０．０６ｐｇ／ｍｌと計算された。この感度レベルは、０．５と１０ｐｇ／ｍｌの間の範囲にあるＩＬ−６の通常レベルの検出に優れている。
【０６２１】
ＩＬ−６を含む商業的に入手可能な多重処理した分析試料と比較して、このシステムは、検出レベルで著しい改善を提供する。
【０６２２】
Ｒ＆Ｄシステム社の分析と比較して、検出限界はほぼ同じ（図８Ｃ）であるが、このシステムは、マルチプレキシングの利点を提供し、増幅ステップに依存しない。これらの２つは、Ｒ＆Ｄシステム社の分析では必要である。
【０６２３】
単一粒子分析器システムは、分子の全体(ensemble)測定を行うもののと比べて、低い濃度溶液で個々の分子を計数することによって定量化が行われる点で、ＥＬＩＳＡデータと相違する。フォーマットは、後者よりもより正確である。
【０６２４】
（実施例３：ビーズベースの分析評価）
上述した２つの分析試料は、同じマイクロタイタープレートのフォーマットを使用しており、プラスチック表面がターゲット分子を固定化するために用いられる。
【０６２５】
結合していない部分から結合の分離を達成するために、単一粒子分析器システムは、マイクロ粒子またはビーズを用いて溶液中で行われる試料評価と互換性がある。
【０６２６】
図９は、甲状腺刺激ホルモン（ＴＳＨ）を検出する、ビーズベースの分析評価の結果を示す。このデータは、サンドイッチ分析試料が、ビーズベースのフォーマットに直接に移送可能で、該システムで使用可能であることを示す。
【０６２７】
超常磁性のストレプトアビジンのマイクロビーズ（ミルテンニバイオテク社(Miltenyi Biotec, Auburn, CA)）を、ビオチン化抗ＴＳＨ捕捉抗体を用いてコートした。
【０６２８】
０〜２００ｆＭのＴＳＨの希釈は、リン酸緩衝生理食塩水の中で過剰なマイクロビーズを用いて、４℃での培養によって捕捉した。
【０６２９】
捕捉したＴＳＨを持つマイクロビーズは、高い傾斜磁気分離コラムで回収し洗浄した（ミルテンニバイオテク社）。
【０６３０】
ビーズは、コラムから除去して、アレクサフルオル６４７（モレキュラープローブ社(Molecular Probes, Inc., Eugene, OR)）を用いてラベル付けした抗ＴＳＨ検出抗体を用いて、２時間、３７℃で培養した。
【０６３１】
捕捉ＴＳＨと結合した検出抗体を持つビーズは、回収して、リン酸緩衝生理食塩水を用いて洗浄し、コラムから除去した。
【０６３２】
ビーズは、５０〜２００フェムトモルＴＳＨの測定範囲で線形な応答を生成する粒子分析システムで走らせた（図９）。
【０６３３】
（実施例４：人間血清中のターゲット蛋白質の検出）
血清中のターゲットを検出するために、上述したものと同様なサンドイッチ分析試料を開発した。
【０６３４】
この分析試料では、既知の量のＴＳＨを、１０％の人間血清を含有するサンプルに添加した。ＴＳＨに限定的なラベル付けした抗体を添加し、結合していないラベルを除去し、サンプルを単一粒子分析器システムで走らせた。
【０６３５】
その結果は、図１０に示すように、添加したＴＳＨ全てが分析において回収された。
【０６３６】
（実施例５：サブｆＭ濃度の核酸ポリマーの検出）
３ＤＮＡ（登録商標）デンドリマー(dendrimer)は、多く分岐し、相互連結した核酸粒子からなる粒子である。ジェニスフェア社（Genisphere Inc., Hatfield, PA）から入手した、Ａ６４７でラベル付けした４層のデンドリマーを、粒子の電気泳動を示すために用いた。
【０６３７】
製造者は、デンドリマーは、２０ｎｇ／μｌの濃度で、デンドリマー当り約３７５染料を用いてラベル付けした、約３７０００のデオキシヌクレオチドを含むと明記する。これらの製造者仕様を、サンプルのモル濃度を計算するために用いた。
【０６３８】
原液から階段希釈を行って、０．０３と３３ｆＭの間の濃度範囲に作成した。各サンプルは、本発明で説明した分析器に投入して、４分間、電気泳動にかけた。
【０６３９】
０および０．０３ｆＭのデンドリマーを持つサンプルについて、粒子相互相関のヒストグラムプロットの例を、図１１に示す。
【０６４０】
０．０３ｆＭでは、全部で１７．６個の粒子が１６３ｍｓおよび２２７ｍｓのピークで検出され、一方、バックグランドサンプルは、１１９ｍｓで１個の粒子を有していた。
【０６４１】
検出した粒子の数と、３３ｆＭまでのサンプル濃度との間は、線形関係を示した。
【０６４２】
０および０．０３ｆＭのサンプルについて、隣接フォトンバーストの相互相関の結果の例を図１２に示す。後者は、フォトンのピークが２０６ｍｓで検出され、一方、バックグランドサンプルは０個の検出フォトンを有することを示した。
【０６４３】
（実施例６：ＢＳＡの検出−ＳＤＳ電気泳動および希釈曲線）
蛋白質の電気泳動を示すために、Ａ６４７でラベル付けしたウシ血清アルブミン（ＢＳＡ）を用いた。ＢＳＡは、製造者の指示に従って、Ａ６４７カルボン酸（のスクシンイミジルエステルを用いて共有結合でラベル付けした（モレキュラープローブ社Molecular Probes, Inc., Eugene, OR)）。
【０６４４】
共役でないアレクサフルオルは、マイクロコン(Microcon)ＹＭ−３０膜（ミリポール社Millipore Corporation, Bedford, MA)）の限外ろ過によって、蛋白質から分離した
【０６４５】
Ａ６４７ラベル付けＢＳＡの濃度は、２８０ｎｍでのアレクサフルオルの関与について補正して、２８０ｎｍでの吸収度から決定した。アレクサフルオルの濃度は、６５０ｎｍでの吸収度から決定した。ラベリングの程度は、蛋白質粒子当り１．９個のアレクサフルオルであった。
【０６４６】
原液から階段希釈を行って、０．０３と３０ｆＭの間の濃度範囲に作成した。
【０６４７】
各サンプルは、本発明で説明した分析器に投入して、４分間、電気泳動にかけた。
【０６４８】
０および１０ｆＭの蛋白質を持つサンプルの粒子相互相関のヒストグラムプロットの例を、図１３に示す。
【０６４９】
１０ｆＭでは、３０個の粒子のピークが４２７ｍｓで検出され、一方、バックグランドサンプルは、２５０ｍｓと６００ｍｓで４個の粒子を有していた。
【０６５０】
検出した粒子の数と、３０ｆＭまでのサンプル濃度との間は、線形関係を示した。
【０６５１】
（実施例７：ウイルスの検出−電気泳動移動度）
ウイルスの検出を示すために、Ｍ１３Ｋ０７をＡ６４７ゼノン(Zenon)ラベル付け抗ＧＰ８抗体と結合した。
【０６５２】
抗ＧＰ８抗体は、ゼノン（登録商標）ＩｇＧラベリングキット（モレキュラープローブ社Molecular Probes, Inc., Eugene, OR)）を用いて、室温で５分間でラベル付けした。
【０６５３】
３．７ｐＭのＭ１３Ｋ０７ニューイングランド・バイオラボ(New England Biolabs, Beverly, MA)を、１１０ｐＭのラベル付けした抗ＧＰ８抗体とともに、１ｘＰＢＳ中で、４℃で夜通し培養した。
【０６５４】
ラベル付けしたファージは、反応物をＳ−４００ＨＲスピンコラムに２回かけることによって、自由な抗体から精製した。
【０６５５】
Ｓ−４００コラムからの溶出液は希釈し、本発明で説明した分析器に投入して、４分間、電気泳動にかけた。
【０６５６】
粒子相互相関のヒストグラムプロットの例を、図１４に示す。ウイルス粒子の移動度は、電流の関数で増加した。また、ウイルスの濃度は、各条件で同じであったが、４分間で検出した粒子の数は、最も遅いサンプル（１μＡ）で最小であり、予想より高い速度で増加した。
【０６５７】
（実施例８：バクテリアおよびウイルスの検出）
免疫学的検定を用いて、バクテリアやウイルスなどの有機体全体を測定するために、分析試料を開発した。
【０６５８】
図１５は、微生物を検出するために使用した分析結果を示す。大腸菌Ｋ１２  ＪＭ１０９を検出するために、ビーズベース分析試料を用いた。細胞は、アレクサフルオル６４７（登録商標）と共役した抗体（ウサギポリクローナル）とともに、１時間、室温で培養した。
【０６５９】
バクテリア懸濁液を０．２ミクロンフィルタを通して遠心分離し、細胞に結合した抗体から、結合していない抗体を分離した。
【０６６０】
細胞を８回洗浄し、遊離バッファ（０．１Ｍ  グリシン  ｐＨ２．８）中に再懸濁させ、１０分間培養した。遊離溶液は、フィルタを通して遠心分離し、中和し、粒子分析システムで走らせた。
【０６６１】
ウイルスの検出に関して、希釈した原液からのＭ１３ファージ粒子（ニューイングランド・バイオラボ(New England Biolabs, Beverly, MA)）は、室温での培養により、マイクロタイタープレートのウエルと受動的に結合したような分析試料を用いた。ウエルは、吸引し、３０分間、ブロックした。
【０６６２】
抗Ｍ１３抗体は、ゼノン（登録商標）（モレキュラープローブ社）を用いてラベル付けし、１０００ｎｇ／ｍｌでウエルに添加した。プレートは、１時間培養し、洗浄し、結合した材料は０．１Ｍ  グリシン  ｐＨ２．８を用いて遊離し、中和し、単一粒子分析器システムで走らせた。
【０６６３】
図１５のデータを生成するために用いた分析評価は、バックグランドを低減し、検出を最大化し、または分析時間を最小化するように最適化した。最適化は、より低い検出限界を可能とし、２時間で結果が得られた。
【０６６４】
大腸菌をモデルとして選択することの理論的根拠は、抗体の入手可能性と検出の分析評価である。
【０６６５】
大腸菌は、よく研究され、その鎖が主に抗原型に基づいて区別される多様な有機体である。このことは、特徴付けを通じて、現在では７００を超える数である多くの抗原型を区別するために開発された多数の抗体に反映されている(www.textbookofbacteriology.net)。
【０６６６】
これは、分析評価開発にとって利点と欠点の両方である。利点は、選択すべき多くの候補の抗体が存在することであり、高い品質のものを見つける可能性が高い。欠点は、特殊性の問題を極めて注意深く処理する必要になることである。
【０６６７】
理想的には、対象となる抗原型だけを検出し、他のものは検出しない抗体ペアを選択できる。現実には、捕捉及び／又は検出抗体は、対象となる鎖と限定的に反応し、他の鎖とほとんど相互花脳しない抗体プールで構成する必要がある。
【０６６８】
特別に懸念されるものは、臨床サンプルのどこにでも存在し、ありふれた汚染物質である非病原性の鎖である。最善の抗体をうまく選択することは、冗長でルーチンの選別プロセスが必要になる。
【０６６９】
本発明の分析器および分析器システムの高いスピードは、この選別プロセスの完了を劇的に容易にする。
【０６７０】
抗体プールを用いた場合、各抗体の濃度をバランスさせて、それぞれ関連した鎖の均一な検出を提供するようにする。
【０６７１】
非病原性の大腸菌鎖との相互反応性をテストするのに加えて、相互反応性を、他の病原体、例えば、ブドウ球菌、エンテロバクター、カンジダ、シュードモナス鎖などについて調査する。これらの他の病原体を限定的に検出する分析試料が開発されている。
【０６７２】
臨床試験が行われるときおよび一定の前に、各分析試料が、そのターゲット病原体を限定的に検出し弁別することを確保するために、広範な相互反応性テストが行われる。
【０６７３】
血液サンプル中のバクテリア濃度は、活性敗血症を持つ患者からのサンプル中であっても低いことは予想される。各バクテリアは、その限定的抗体について多くの結合部分を含むため、分析試料が「ビルトイン」増幅を有する場合であっても、追加の増幅ステップが必要になるかもしれない。
【０６７４】
追加の信号増幅ステップは、これらの免疫学的検定で可能であり、本発明の分析器による検出と互換性があることは説明した。増幅は、検出抗体と共役したアルカリ性ホスファターゼの酵素活性によって達成される。例えば、ストレプトアビジンと共役したアルカリ性ホスファターゼ(Roche, Basel, Switzerland)は、固定化したビオチンと結合する。
【０６７５】
結合していない酵素を除去するために洗浄した後、非蛍光性アルカリ性ホスファターゼ基質が添加され、サンプルともに数分間培養する。共役の抗体酵素によって生成した蛍光物質の個々の分子は、分析機器で計数する。
【０６７６】
このタイプのモデル実験では、アルカリ性ホスファターゼは、０〜１５０分子／２００μｌの既知の濃度に希釈し、そして、基質（９Ｈ−（１，３−ジクロロ−９，９−ジメチルアクリジン−２−ＯＮＥ−７−ｙｌ）リン酸、ジアンモニウム塩［ＤＤＡＯ−リン酸塩、モレキュラープローブ社］）と反応させ、蛍光物質に開裂させた。
【０６７７】
この反応は、３７℃、６０分間、培養した。この反応はを停止し、ここで説明した２−取り調べ空間分析器で走らせた。
【０６７８】
図２９は、各酵素濃度での計数した蛍光物質分子の数を示す。２００μｌサンプルからは、１０個より少ない酵素分子か検出された。
【０６７９】
この基本的な方法論は、直接的なバクテリアまたはウイルス検出が、関連する臨床測定にとって敏感でない場合、または分析の感度を、以前では特徴付けしていない領域まで拡張したい場合に、採用される。
【０６８０】
信号のこの酵素増幅は、上述したように、個々のバクテリアを検出するためにも使用でき、あるいは、酵素−リガンド共役が結合可能であり、結合してない酵素−リガンドは除去されたり不活性になるような任意の検体を検出するためにも使用できる。
【０６８１】
血液中の大腸菌を検出するために、血液サンプル中の大腸菌が、培養成長したバクテリアと同じように行動するように、試薬および条件が定義され、正確な濃度測定は標準曲線から決定できる。
【０６８２】
分析評価は、生育可能および生育不能ま有機体の両方を検出するようになるため、分析評価は、培養によって示されるものより多数のターゲットの有機体の存在を明らかにできる。
【０６８３】
患者サンプル中での治療用抗生物質の存在は、該システムを用いたバクテリア検出に影響を及ぼすとは予想していない。血液は、バクテリアターゲットへの分析抗体の結合を干渉し得る多くの分子を含む。所望の結合反応を最大化し、他の全てを最小化する条件を定義することは重要である。
【０６８４】
（実施例９：質量タグを用いたラベリングが、蛋白質複合体の電気泳動速度をシフトさせる）
ストレプトアビジンラベル付けＰＢＸＬ−３（ＰＢＸＬ−３／ＳＡ）（マルテック・バイオサイエイス社(Martek Biosciences Corp., Columbia, MD)）は、ビオチンラベル付けした１ｋｂのＰＣＲ断片（ｂ−ＮＡ）と組み合わせて、結合相互作用の検出を示した。
【０６８５】
等モル濃度のＰＢＸＬ−３／ＳＡおよびｂ−ＮＡ（８００ｐＭ）を、室温で少なくとも１時間、１０ｎＭトリス中で培養し、０．１％カゼイン加水分解物を持つ０．５ｍＭのＥＤＴＡ  ｐＨ８．１をキャリアとした。
【０６８６】
ＰＢＸＬ−３／ＳＡ単独、およびビオチン無し（ＮＡ）で同じ１ｂの断片をもつＰＢＸＬ−３／ＳＡの対照培養も行った。
【０６８７】
培養に続いて、サンプルは１００００倍に希釈し、最終濃度を２ｍＭトリスで８ｆＭ、０．１ｍＭのＥＤＴＡ    ｐＨ８．１とした。サンプルは、本発明で説明した分析器に投入して、４分間、電気泳動にかけた。
【０６８８】
粒子相互相関のヒストグラムプロットの例を、図１６に示す。核酸の不在では、オルガネラ（ＰＢＸＬ−３／ＳＡ）３６８でのピークとして移動した（パネルＡ）。
【０６８９】
核酸と結合すると、より早く移動し、２９４ｍｓのピークシフトが見られた（パネルＢ）。
【０６９０】
４０９ｍｓでのピークとして移動するオルガネラ中で得られる反応物中のその存在（ビオチンタグ無し）により、核酸がオルガネラと結合すると、シフトだけが発生した（パネルＣ）。
【０６９１】
（実施例１０：移動度による２つの粒子の弁別−ふるい無しの電気泳動）
ウイルスと核酸の弁別を示すために、Ｍ１３Ｋ０７をＡ６４７ゼノン(Zenon)ラベル付け抗ＧＰ８抗体と結合した。抗ＧＰ８抗体は、３倍過剰のゼノンＡ６４７を用いて、室温で５分間ラベル付けした。
【０６９２】
３．７ｐＭのＭ１３Ｋ０７（ニューイングランド・バイオラボによって報告されたプラーク形成ユニットに基づく）を、１１０ｐＭのラベル付け抗ＧＰ８抗体とともに、１ｘＰＢＳ中で室温で１時間培養した。反応物を４℃で一晩保存した。
【０６９３】
ラベル付けしたファージは、反応物をＳ−４００ＨＲスピンコラムに２回かけることによって、自由な抗体から精製した。
【０６９４】
溶離したサンプルは、１００００倍希釈し、本発明で説明した分析器に投入して、４分間、電気泳動にかけた。
【０６９５】
核酸サンプルは、Ｍ１３Ｋ０７から派生した１ｋｂのＰＣＲ断片であり、Ａ６４７でラベル付けされていた。全てのサンプルは、８ｆＭの全体濃度で走らせた。
【０６９６】
粒子相互相関のヒストグラムプロットの例を、図１７に示す。ＰＣＲ核酸断片およびウイルス／抗体の組合せの両方が存在している場合、２つのピークが２４５ｍｓと２９６ｍｓに分解される（パネルＡ）。
【０６９７】
ラベル付けした核酸単独は、３０２ｍｓでのピークで移動した（パネルＢ）。抗体と結合したウイルス単独は、２２２ｍｓでのピークで移動した（パネルＣ）。
【０６９８】
（実施例１１：移動度による２つの粒子の弁別−直鎖ポリアクリルアミドを用いたＳＤＳ電気泳動）
Ａ６４７でラベル付けしたＩｇＧおよび１．１ｋｂのＰＣＲ部分のサンプルを、１８ｍＭトリス、１８ｍＭグリシン、ｐＨ８．６、０．２％の直鎖ポリアクリルアミド（ＬＰＡ、５００００００〜６００００００ＭＷ）、０．０１％のドデシル硫酸ナトリウム、および、それぞれ１μｇ／ｍｌのウシ血清アルブミン（フィコルFicoll（登録商標））、およびポリビニルピロリドンで調製した。
【０６９９】
サンプルを、分析器毛細管にポンプ供給して、ポンプを停止し、電界を印加した（３００Ｖ／ｃｍ）。
【０７００】
粒子の相互相関を時間オフセットの関数で決定した。１分間データを回収し分析した。
【０７０１】
粒子相互相関のヒストグラムプロットの例を、図１８に示す。
【０７０２】
パネルＡは、Ａ６４７でラベル付けしたＩｇＧだけを２６ｆＭの濃度で含むサンプルは、７５ｍｓでの相互相関事象のピークを示したことを表し、ＩｇＧが２つの取り調べ空間を移動するのに必要な時間である。
【０７０３】
パネルＢは、Ａ６４７でラベル付けしたＰＣＲ部分だけを１０ｆＭの濃度で含むサンプルは、２２０ｍｓでの相互相関事象のピークを示したことを表し、ＰＣＲ部分が２つの取り調べ空間を移動するのに必要な時間である。
【０７０４】
パネルＣは、Ａ６４７でラベル付けしたＩｇＧおよびＰＣＲ部分を、それぞれ１３ｆＭおよび５ｆＭの濃度で含むサンプルは、一方が７５ｍｓ、他方が２１５ｍｓでの相互相関事象の２つのピークを示したことを表し、分析評価は、説明した分析条件下で、分析器においてこれらの異なる移動時間に基づいて、これらの２つ分子を弁別することが可能であることを示した。
【０７０５】
（実施例１２：粒子の間接検出−ターゲット分子から遊離したラベルの検出）
ビオチン化した抗甲状腺刺激ホルモン（ＴＳＨ）抗体を、ストレプトアビジンでコートした９６個のウエルプレートに固定し、余分な結合していない抗体を洗い流した。
【０７０６】
ＴＳＨ抗原およびＡ６４７ラベル付けした抗ＴＳＨ抗体を、１％のウシ血清アルブミン（ＢＳＡ）、０．１％のＴｗｅｅｎ（登録商標）２０を有するリン酸緩衝生理食塩水のウエルに添加した。
【０７０７】
プレートを撹拌で培養した。液体を吸引によって除去し、ウエルを３回洗浄した。Ａ６４７ラベル付け抗体は、０．１Ｍのグリシン−ＨＣｌ、ＰＨ２．８との培養により、ＴＳＨサンドイッチから解離した。
【０７０８】
自由なＡ６４７ラベル付け抗体を回収して希釈し、ＳＭＤによって分析した。
【０７０９】
遊離したラベルと元のターゲット粒子濃度との線形関係を、図１９Ａに示す。
【０７１０】
核酸のラベリングおよびラベルの遊離のために類似の方法が利用できることは、当業者によって理解されるであろう。マットレイ等(Matray et al.）は、蛋白質および核酸の両方についてラベリングおよびラベル遊離の方法を教示している(Matray, 2004)。当業者は、ターゲットの蛋白質および核酸から遊離したラベルの混合物の分離および弁別が、元のターゲットについてのものと本質的に同じであることを認識するであろう。
【０７１１】
図１９Ｂと図１９Ｃは、分析器を用いて、２つのラベルを弁別するための２つの可能な方法を示している。
【０７１２】
（実施例１３：強度による２つの粒子の弁別）
固有の蛍光性である蛋白質複合体(complex)ＰＢＸＬ−３は、核酸、Ａｌｅｘａ  Ｆｌｕｏｒ（登録商標）６４７を用いてラベル付けした線状化ｐＵＣ１９と比べて、単位時間当たり多くのフォトンを発生する。
【０７１３】
ｐＵＣ１９  ＤＮＡを、Ａｌｅｘａ  Ｆｌｕｏｒ（登録商標）６４７を用いて、ＵＬＹＳＩＳ（登録商標）核酸ラベリングキット（モレキュラープローブ社(Molecular Probes, Inc., Eugene, OR)）の手順に従ってラベル付けした。
【０７１４】
リン酸緩衝生理食塩水（ＰＢＳ）（１０ｍＭのリン酸ナトリウム、１５０ｍＭのＮａＣｌ、ｐＨ７．２）に、０．０１％カゼイン加水分解物（シグマ−アルドリッチ社(Sigma-Aldrich Corp., St. Louis, Missouri)）で補充して、蛋白質単独、核酸単独または両方の混合物からなる希釈系列（２．５、５、７．５、１０、２０ｆＭ）を作成するために用いた。サンプルは、１μＬ／分で、４分間ポンピングを行うことにより、分析器の中を移動させた。
【０７１５】
データは、平均バックグランドを超える４つの標準偏差より大きい検出信号の相互相関によって分析した。
【０７１６】
図２０Ａと図２０Ｂは、蛋白質複合体および核酸についての相互相関をとった信号のプロットを示す。経過時間の範囲は、ピーク内事象自体のみを示し（図２０Ａと図２０Ｂを参照）、異なる蛋白質複合体および核酸の特徴的な蛍光強度を強調するように限定した。
【０７１７】
５００個のフォトンの輝度レベルを、カットオフ点として選択し、蛋白質複合体については明るい強度のウインドウと、核酸については低い強度のウインドウを分離した。
【０７１８】
２つの分子種を弁別するこの手法を用いて、検出した事象の数を、蛋白質複合体および核酸の両方について濃度系列で測定した。
【０７１９】
標準曲線を、蛋白質複合体および核酸について両方の輝度ウインドウを用いてプロットし、そして曲線の傾斜を決定した。
【０７２０】
３つの異なる混合物において、蛋白質複合体および核酸をこれらの蛍光強度に基づいて弁別した。ＰＢＸＬ−３とｐＵＣ１９の混合物中で検出した分子の数を、標準曲線の傾斜に基づいて各成分の濃度を計算するために用いた。
【０７２１】
蛋白質および核酸についての測定した濃度と予測値との比較により、サンプル中で検出された分子の数を標準曲線と比較することによって、サンプル成分の濃度を決定できることを示す（図２０Ｃ）。
【０７２２】
さらに、分子の計数によって決定した濃度は、サンプルを調製するために用いた未希釈原液のマクロスケールの分光によって決定される濃度と極めて一致している。
【０７２３】
（実施例１４：単一粒子の性質を測定するための生物学的検定(bioassay)）
生物学的粒子に関して広く用いられる分析試料は、抗体を捕捉して検出するために結合する２つのエピトープ(epitopes)の同時存在を検出可能なサンドイッチＥＬＩＳＡ分析試料を含む。これらは、典型的は、２つのエピトープに制限されており、感度が低く（典型的にはｐＭまたはそれ以上）、単一のエピトープだけを持つ粒子を検出することができない。
【０７２４】
蛍光共鳴エネルギー転送（ＦＲＥＴ）方法は、競合分析評価においてしばしば用いられ、２つのエピトープの同時存在を検出するが、感度が低い。
【０７２５】
質量分光は、しばしば、大きな粒子を、分析用に充分な揮発性を持つ断片に分裂する必要があり、サンプル数全体について修正を平均化している。
【０７２６】
本発明のＳＭＤ分析器は、生物学的分析評価で使用可能な重要な利点、即ち、高い感度と、バルク状態ではなく、粒子または分子複合体を単独で測定する能力と、電気泳動速度に基づく粒子の弁別と、単一試料内で複数の波長を監視する能力とを提供する。
【０７２７】
これらの利点は、ターゲット粒子についての複数の電磁放射特性を検出し、そして、これらの電気泳動速度を決定するという分析器のユニークな機能的な能力によって達成される。
【０７２８】
（１４Ａ．サンドイッチ分析試料）
異種の分析フォーマットでは（図２１Ａ）、ターゲット粒子を含有するテスト溶液が、ターゲット粒子に限定的な抗体を用いてコートしたビーズと反応する。ターゲットは、ビーズ上で捕捉され、結合していない材料は洗い流される。
【０７２９】
そして、ビーズ−ターゲット複合体は、ターゲットに限定的に結合する蛍光タグとともに培養され、ラベル付けサンドイッチを生成する。
【０７３０】
本発明の分析器は、ラベル付けサンドイッチを検出し、その電気泳動速度を決定するために使用される。
【０７３１】
同種の分析フォーマットでは（図２１Ｂ）、ビーズ−ターゲット−ビーズ複合体を同じ方法で形成するが、結合していない材料を除去しない。
【０７３２】
ターゲットサンドイッチおよびタグ単独の異なる電気泳動速度は、これらを弁別するために用いる。
【０７３３】
（１４Ｂ．２色弁別）
第２の応用は、同種の分析フォーマットにおいて、単一ターゲット粒子上の２つのラベルの同時検出を利用する。この手法において、結合していないラベルは、ターゲットに結合したものから分離しない。
【０７３４】
サンプルは、第１取り調べ空間での第１発光波長についての検出器と、第２取り調べ空間での第２発光波長についての検出器とを有する本発明の分析器において、電気泳動にかけることが可能である。
【０７３５】
粒子は、両方の取り調べ空間で検出されるが、両方のラベルのスペクトル上の指紋を有する粒子だけが計数される。
【０７３６】
異なる電気泳動速度は、結合していないラベルと結合したラベルを弁別するために用いる。２色分析評価の例を、図２２Ａに示す。
【０７３７】
同種のサンドイッチ試料は、単一蛋白質粒子の翻訳後(post-translational)変異(modification)パターンを決定するために使用できる。
【０７３８】
変異に関して複数の可能性ある場所を持つ蛋白質粒子は、各変異について特定のラベルと反応する。各特定ラベルは、唯一の蛍光スペクトルを有する。反応混合物は、例えば、各取り調べ空間での複数の検出器を通過する電気泳動によって移動して、蛋白質ラベル付け複合体のスペクトル上の指紋（異なる波長のチャネルでのフォトンの比率）が記録される（図２６Ｂを参照）。さらに、種々のラベル付けした成分の電気泳動速度は、決定可能である。
【０７３９】
これは、単一チャネルにおいてターゲット粒子と結合していないラベルとの偶然の一致によるバックグランドを低減する。
【０７４０】
複数の検出器からのスペクトル上の指紋は、同じ粒子と結合した一対のラベルを識別し、従って、これは単一粒子に生ずる翻訳後変異に対応している。
【０７４１】
この手法は、単一粒子に関するデータを得るため、蛋白質集団の平均レベルの変異の測定より多くの情報を提供する。
【０７４２】
平均測定値は、単独で多様に変異した蛋白質同士を弁別できない。例えば、変異１を持つ１つの蛋白質と、変異２を持つ１つの蛋白質との混合物は、変異していない蛋白質と、平均的な変異レベルを得る方法による両方の変異を持つものとの組合せから区別できなくなる。本発明の分析器は、これらの粒子を明確に弁別可能である。
【０７４３】
こうして分析できる変異の例は、組み換え蛋白質および天然蛋白質のグリコシル化パターンの比較、単一蛋白質の複数部分でのリン酸化レベルの決定、蛋白質分解の熟成および蛋白質の分解(degradation)における前駆物質および生成物の同時検出、構造的成分の異なる組合せによって作成される異型蛋白質の比較、リン酸化状態との異型蛋白質の相関関係などの、変異の組合せ、などを含む。
【０７４４】
（１４Ｃ．作用試料／拮抗試料の結合）
第３の応用は、ラベルの結合に影響を与える物質の分析試料において、２つのラベル付けした粒子の検出を利用する。
【０７４５】
各粒子は、スペクトル上でユニークなラベルの組合せを用いてラベル付けする。
【０７４６】
結合に関して競合する作用物質および拮抗物質の存在下で、結合したラベルおよび結合していないラベルの割合が、各々または両方のラベルのスペクトル上の指紋を持つ粒子を計数することによって、決定される。この試料の例を図２２Ｂに示す。
【０７４７】
この試料に関する応用は、触媒および調節酵素サブユニット、転写因子を伴う核酸、リガンドを伴うレセプタ、およびこれらの基質を伴う酵素、の結合への影響に関する薬剤成分のスクリーニングなどを含む。
【０７４８】
（１４Ｄ．ＦＲＥＴを用いた競合分析評価）
１．ｃＡＭＰ試料  環状ＡＭＰ（ｃＡＭＰ）依存キナーゼ
【０７４９】
ｃＡＭＰの不在下で、触媒（Ｃ）および調製（Ｒ）サブユニットの不活性四量体（Ｃ２Ｒ２）として存在する。ｃＡＭＰが結合した場合、四量体は解離して、活性触媒サブユニットを遊離する。
【０７５０】
ｃＡＭＰ用の試料において、触媒および調製サブユニットは、一対のＦＲＥＴ蛍光団を用いてラベル付け可能である。例えば、調製サブユニットは、ドナー蛍光団を用いてラベル付け可能であり、触媒サブユニットは、アクセプタ蛍光団を用いてラベル付け可能である。
【０７５１】
ｃＡＭＰの不在下では、ドナーとアクセプタが近くに接近すると、エネルギーはドナーからアクセプタへ転送され、フォトンがアクセプタから発生する。
【０７５２】
ｃＡＭＰのが存在している場合、ドナーとアクセプタは近くに接近せず、アクセプタからフォトンは発生しない。
【０７５３】
本発明の分析器は、バルク測定に通常用いられるこの技術に対して、単一粒子レベルの検出感度を提供する。２色分析評価の例を図２２Ｃに示す。
【０７５４】
２．競合リガンド結合分析評価
レセプタ（Ｒ）およびリガンド（Ｌ）は、ドナーおよびアクセプタ蛍光団を用いてラベル付けできる。リガンドがレセプタと結合した場合、ドナーおよびアクセプタが近くに接近すると、フォトンがアクセプタから発生する。
【０７５５】
ラベル付けしていないリガンド（例えば、分析すべきサンプルから）の存在下では、ラベル付けリガンドは、レセプタから変位することができ、ドナーおよびアクセプタは近くに接近せず、アクセプタからフォトンは発生しない。
【０７５６】
ラベル付けしていないリガンドの既知の量と、フォトンを発生するアクセプタの数とを関連付けた較正曲線が作成できる。
【０７５７】
サンプル中のリガンドレベルは、較正曲線とフォトンを発生するサンプルアクセプタ粒子の数から推定できる。簡単なＦＲＥＴ分析評価の例を図２２Ｄに示す。
【０７５８】
３．作用物質／拮抗物質結合の分析評価
競合リガンド結合分析評価のように、レセプタ（Ｒ）およびリガンド（Ｌ）は、ドナーおよびアクセプタ蛍光団を用いてラベル付けできる。リガンドがレセプタと結合した場合、ドナーおよびアクセプタが近くに接近すると、フォトンがアクセプタから発生する。
【０７５９】
作用物質または拮抗物質の可能性ある結合のサンプルは、レセプタ−リガンド混合物に添加できる。
【０７６０】
サンプル中の作用物質は、レセプタと結合したラベル付きリガンドの量を増やし、増加した数のアクセプタ粒子がフォトンを発生する。サンプル中の拮抗物質は、フォトンを発生するリガンドの数を減少させる。
【０７６１】
この方法は、薬剤の発見および開発において可能性ある治療効果についての化合物ライブラリーをスクリーニングするために使用できる。
【０７６２】
本発明のＳＭＤ手法は、低い濃度で高い親和性相互作用をスクリーニングするのに、特に、有用である。競合ＦＲＥＴ分析評価の例を図２２Ｅに示す。
【０７６３】
４．酵素レート分析評価
加水分解酵素活性は、消光剤(quencher)および開裂部分の反対側にあるアクセプタ粒子を用いてラベル付けした基質を用いて分析可能である。
【０７６４】
無傷基質粒子（消光剤およびアクセプタが接近）の蛍光は、加水分解（消光剤およびアクセプタは接近しない）で変化する。例えば、ペプチド基質は、対象となるプロテアーゼについて開裂部分を含み、一端は蛍光消光剤を用いて、他端はアクセプタを用いてラベル付けできる。
【０７６５】
無傷基質ペプチドは、消光剤の接近に起因して、ほとんどフォトンを発生しない。
【０７６６】
開裂（生成物）したペプチドは、より多くのフォトンを発生する。蛋白質分解レートは、開裂ペプチド粒子の出現レートによって測定される。酵素ＦＲＥＴ分析評価の例を図２２Ｆに示す。
【０７６７】
本発明のＳＭＤ手法の利点は、数百または数千の粒子の活性の平均の全体測定ではなく、単一粒子に関して酵素活性の速度論(kinetics)が測定可能であることである。
【０７６８】
本発明の分析器は、結合パートナーが異なる色の蛍光団を用いてラベル付けされる同様な分析評価にも使用できることは、当業者に明らかとなろう。
【０７６９】
（実施例１５：単一ターゲット粒子の検出のためのラベリング方針）
当業者は、粒子の混合物中でこれらの検出または弁別を可能にするために、ターゲット粒子をラベリングするために多くの方針を採用できる。
【０７７０】
ラベルは、ラベルとターゲットの非限定または限定の相互作用を利用する方法など、知られた何れの手段で付着することができる。
【０７７１】
ラベルは、検出可能な信号を提供したり、または電界中の粒子の移動度に影響を及ぼすことができる。
【０７７２】
さらに、ラベリングは、直接的に、または結合パートナーを通じて達成できる。
【０７７３】
本発明で使用可能なラベリング方針の例は、以下のとおりである。
【０７７４】
１５Ａ．単一粒子検出（図２３を参照）
粒子は、１つの染料(dye)、１つの染料の複数の複製（図２３Ａ）または２つの染料もしくは２つの染料の複数の複製（図２３Ｂ）を用いてラベル付けが可能であり、別個の発光強度及び／又は発光波長に基づいて検出することができ、結合していないラベルと弁別可能である。
【０７７５】
１５Ｂ．１個より多い粒子の電磁特性による検出および弁別（図２４を参照）
１つの染料の複数の複製を用いてラベル付けした粒子は、より少ない数の同じ染料の複製を用いてラベル付けした粒子と、これらの発光強度に基づいて弁別可能である（図２４Ａ）。
【０７７６】
２つの染料を用いてラベル付けした粒子は、１つの染料だけを用いてラベル付けした粒子と、１つではなく２つの波長で発光することによって弁別可能である（図２４Ｂ）。
【０７７７】
２つの染料の１つ又は複数の複製を用いてラベル付けした粒子は、より少ない数の２つの染料の複製を用いてラベル付けした粒子と、２つの染料の別個の比率を測定することによって弁別可能である（図２４Ｃと図２４Ｄ）。
【０７７８】
異なる蛍光強度を有する２つの染料の１つ又は複数の複製を用いてラベル付けした粒子は、これらの発光波長に基づいて各粒子からの蛍光の全体強度での差によって弁別可能である（図２４Ｅ）。
【０７７９】
染料および電気泳動速度に影響を及ぼすラベルを用いてラベル付けした粒子は、移動度ラベルだけを用いてラベル付けした粒子と、これらの発光スペクトル及び／又は電気泳動速度に基づいて弁別可能である（図２４Ｆ）。
【０７８０】
１つの染料の１つ又は複数の複製を用いてラベル付けした粒子は、異なる染料の１つ又は複数の複製を用いてラベル付けした粒子と、２つの染料の電磁特性での差に基づいて弁別可能である（図２４Ｇと図２４Ｈ）。
【０７８１】
１５Ｃ．１個より多い粒子の電気泳動速度による検出および弁別（図２５を参照）
電気泳動速度に影響を及ぼすラベルを用いてラベル付けした粒子は、電気泳動速度に影響を及ぼす別個のラベルを用いてラベル付けした粒子と、これらの異なる電気泳動速度に基づいて弁別可能である（図２５Ａ）。
【０７８２】
染料用いてラベル付けした粒子は、電気泳動移動度に影響を及ぼすラベルを用いてラベル付けした、固有に検出可能な粒子と、これらの発光スペクトル及び／又は電気泳動速度に基づいて弁別可能である（図２５Ｂ）。
【０７８３】
（実施例１６：蛍光発光の特徴的強度による２つの粒子の弁別）
高い感度および粒子を単独で観察する能力は、単一粒子の変質レベルの分析に好都合となり得る。
【０７８４】
例えば、分解(degradation)が予定される蛋白質は、複数のユビキチンを用いてタグ付けできる。ユビキチンのための蛍光ラベルは、サンプルに添加可能であり、ターゲットと結合可能であり、電気運動力によって検出器を通過できる。
【０７８５】
電気泳動移動度は、自由ラベルを結合ラベルと弁別し、各粒子について検出されるフォトンの数は、蛋白質上のユビキチンタグの数に比例する。
【０７８６】
従って、この分析評価は、平均的な数だけでなく、単一蛋白質粒子当たりのユビキチンタグの数の分布に関する情報を提供する。可能性ある実験の例を、図２６Ａと図２６Ｂに示す。
【０７８７】
（実施例１７：蛍光偏光（ＦＰ）分析評価）
粒子は、蛍光団を用いてラベル付け可能である。ラベル付けした粒子を偏光した光で励起した場合、発光光も偏光し得る。発光光の偏光度は、ラベルの移動度および蛍光団の蛍光寿命の関数である。
【０７８８】
ラベル付け粒子がより大きなレセプタ粒子と結合し、その移動度が減少した場合、その偏光は増加する。
【０７８９】
ラベル−粒子−レセプタ対での変化は、競合リガンド結合、基質結合および酵素活性、例えば、蛋白質キナーゼなど、を含む種々の測定での検出システムとして使用できる。
【０７９０】
従来のＦＰ測定は、全てのサンプル粒子の偏光を全体で検出するものであり、制限されたダイナミックレンジに悩まされる。
【０７９１】
分析評価における偏光値の実用的な範囲は、典型的には、約１０と約３００ｍＰの間となる（Ｐは、励起面に対して平行（Ｆ１）および垂直（Ｆ２）である蛍光強度を測定することによって計算される偏光の単位である。Ｐ＝（Ｆ１−Ｆ２）／（Ｆ１＋Ｆ２））。この範囲の各端の部分での変化を検出することは困難である。
【０７９２】
本発明のＳＭＤ分析器は、平均的な偏光を提供するというより、高い偏光または低い偏光を有する粒子を１つずつ計数する。蛍光偏光による検出の例を、図２７に示す。
【０７９３】
（他の態様）
本発明を実用化する際、上述した詳細な説明は当業者に提供される。しかしながら、ここで説明し、請求項に記載した本発明は、ここで開示した特定の実施形態及び／又は態様による範囲に限定されない。これらの実施形態および態様は、本発明の幾つかの実施形態および態様の例示として意図しているからである。
【０７９４】
何れの均等な実施形態及び／又は態様は、本発明の範囲内であると意図している。
【０７９５】
実際、ここで図示し説明したものに加えて、本発明の開示の精神または範囲から逸脱せずに、上述した説明から本発明の種々の変形が当業者にとって明らかであろう。こうした変形もまた、添付した請求項の範囲内にあることを意図している、
【０７９６】
本発明またはその好ましい態様の要素を導入する場合、冠詞"a"、"an"、"the"、"said"は、１つ又はそれ以上の要素があることを意味するものと意図している。
【０７９７】
用語"comprising"、"including"、"having"は、包含を意図しており、列挙した要素以外に追加の要素が存在し得ることを意味する。
【０７９８】
（引用文献）
各単一の刊行物、特許、特許出願および他の引用文献が、全ての目的のために個別的に単独に参照により全体としてここに組み込まれべきと示したものと同じ程度で、本願における全ての刊行物、特許、特許出願および他の引用文献は、全ての目的のために参照により全体としてここに組み込まれる。
【０７９９】
ここでの文献引用は、本発明に対する先行技術の承認として解釈すべきでない。本発明の好ましい実施形態は、ここで図示し説明したが、こうした実施形態が例示だけとして提供されていることは当業者にとって自明であろう。
【０８００】
多くの変形、変化および置換が、本発明から逸脱することなく、当業者に生ずるであろう。
【０８０１】
ここで説明した本発明の実施形態への種々の代替が、本発明を実用化する際に採用できると理解すべきである。
【０８０２】
下記の請求項は、本発明の範囲を定義し、これらの請求項およびこれらの均等の範囲内の方法および構造は、これらによって網羅されることを意図している。
【図面の簡単な説明】
【０８０３】
【図１】本発明のサンプル分析システムの一実施形態の概略図。
【図２】本発明の方法の一実施形態の概略図。
【図３】本発明の一実施形態の単一粒子分析器の概略図。
【図４】本発明の一実施形態の単一粒子分析器のための毛細管フローセルの概略図。
【図５】共焦点配置を有する本発明の一実施形態の単一粒子分析器の概略図。
【図６】７．２ｋｂのＤＮＡ断片の電気泳動および希釈曲線。Ａ）バッファブランク中の粒子の相互相関分析。Ｂ）０．１ｆＭサンプル中の粒子の相互相関分析。Ｃ）相互相関によって検出された粒子とサンプル濃度との線形関係。
【図７】単一粒子分析器用に開発されたサンドイッチ分子免疫学的検定(immunoassay)で測定したＴＲＥＭ−１の標準曲線。分析物の線形範囲は、１００〜１５００ｆＭである。
【図８】ＩＬ−６についての標準曲線。Ａ）Ｒ＆Ｄシステムキットに従って希釈したＩＬ−６標準は、０．１と１０ｐｇ／ｍｌの間で線形応答を示した。Ｂ）１ｐｇ／ｍｌ以下のＩＬ−６標準曲線。Ｃ）２つの信号増幅ステップを用いる分析物について、Ｒ＆Ｄシステムの製品文献によるＩＬ−６についての標準曲線。
【図９】ビーズベースの分子免疫学的検定におけるＴＳＨ検出の標準曲線。ターゲット分子はビーズに捕捉され、検出抗体と結合した。ビーズは、ターゲットを固定するために使用し、結合していない材料は除去された。ビーズ／ターゲット複合体全体は、単一粒子分析器システムによって検出された。
【図１０】ＴＳＨを、人間の血清(serum)を１０％含有するサンプルに追加した。該サンプルは、ＴＳＨ用のサンドイッチ捕捉分析物中で使用し、単一粒子分析器システムで走らせた。この分析物では、回収は１０８％で計算した。
【図１１】デンドリマー(dendrimer)の電気泳動と希釈曲線。Ａ）バッファブランク中の粒子の相互相関分析。Ｂ）０．０３ｆＭサンプル中の粒子の相互相関分析。Ｃ）相互相関によって検出された粒子とサンプル濃度との線形関係。
【図１２】デンドリマー希釈曲線の電気泳動。Ａ）バッファブランク中のフォトンの相互相関分析。Ｂ）０．０３ｆＭサンプル中のフォトンの相互相関分析。
【図１３】ドデシル硫酸ナトリウムの存在下でのウシ血清アルブミン（ＢＳＡ）の電気泳動および希釈曲線。Ａ）バッファブランク中の粒子の相互相関で検出された粒子の生データ。Ｂ）１０ｆＭサンプル中の相互相関で検出された粒子。Ｃ）相互相関によって検出された粒子とサンプル濃度との線形関係。
【図１４】ウイルス粒子の移動度は、電流増加とともに増加する。
【図１５】微生物(microorganism)の検出。Ａ）大腸菌(E. coli)セルをラベル付けした抗体とともに培養して、特定の結合を行った。結合していない抗体を除去した後、結合抗体をセルから遊離させて測定した。Ｂ）ウイルス粒子をプレートに結合させ、ラベル付けした抗体とともに培養、洗浄し、結合ラベルを遊離させて測定した。
【図１６】質量タグ。オルガネラ(organelle)（ＰＢＸＬ−３）の電気泳動易動度は、核酸と結合した場合、シフトする。Ａ）ＰＢＸＬ−３単独では、３６８ｍｓのピークで移動する。Ｂ）核酸と結合したＰＢＸＬ−３は、２９４ｍｓのピークで移動する。Ｃ）核酸中に存在するが、拡散と結合していないＰＢＸＬ−３は、４０９ｍｓで移動する。
【図１７】ウイルスと核酸の弁別。両方とも、Ａｌｅｘａ  Ｆｌｕｏｒ（登録商標）６４７（「Ａ６４７」、インビトロゲン(Invitrogen)社（カールズバッド、カリフォルニア州）を用いてラベル付けした。Ａ）ウイルスの混合物で分析した２つのピーク。抗体を用いてコートタンパク質にラベル付けものとラベル付けした核酸。Ｂ）ラベル付けした核酸単独。Ｃ）抗体でラベル付けしたウイルス単独。
【図１８】ＳＤＳ電気泳動。蛋白質と核酸の弁別。両方とも、Ａ６４７を用いてラベル付けした。Ａ）Ａｂと結合した蛋白質単独。Ｂ）ラベル付けした核酸単独。Ｃ）ラベル付けＡｂと結合した蛋白質、ラベル付けした核酸の混合物での分析した２つのピーク。
【図１９】蛋白質ターゲットと核酸ターゲットから遊離したラベルの弁別。Ａ）蛋白質ターゲットから遊離したラベルの検出。甲状腺刺激ホルモン（ＴＳＨ）を９６個のウエルプレート上で固定し、Ａ６４７でラベル付けした抗ＴＳＨを用いてラベル付けした。結合していない試薬は、洗浄により除去した。Ａ６４７でラベル付けした抗体は、ＴＳＨから解離し、ＳＭＤで測定した。測定したＡ６４７の正味の粒子と元のＴＳＨ濃度の間で、線形関係が測定された。Ｂ）電気泳動移動度に基づいた、遊離したラベルの弁別の予想表現。Ｃ）これらの蛍光強度に基づいた、遊離したラベルの弁別の予想表現。
【図２０Ａ】蛍光強度に基づいた粒子の弁別。Ａ），Ｂ）両方の検出器での各粒子の検出についての輝度を、経過時間に対してプロットしている。プロットに示したドットは、単一分子でとった測定値を表す。Ｘ軸（経過時間）のスケールは、ピーク内の個々の分子を強調するように制限した。「暗い」分子ウインドウから「明るい」分子ウインドウを分割するために、５００個のフォトンのカットオフ値を用いた。ＰＢＸＬ−３分子は、ｐＵＣ１９分子より高い平均強度で発光する。
【図２０Ｂ】蛍光強度に基づいた粒子の弁別。Ａ），Ｂ）両方の検出器での各粒子の検出についての輝度を、経過時間に対してプロットしている。プロットに示したドットは、単一分子でとった測定値を表す。Ｘ軸（経過時間）のスケールは、ピーク内の個々の分子を強調するように制限した。「暗い」分子ウインドウから「明るい」分子ウインドウを分割するために、５００個のフォトンのカットオフ値を用いた。ＰＢＸＬ−３分子は、ｐＵＣ１９分子より高い平均強度で発光する。
【図２０Ｃ】Ｃ）分子計数によって決定されるようなＰＢＸＬ−３およびｐＵＣ１９の濃度は、希釈していないサンプルの分光によって決定されるような予測値と比較している。
【図２１】サンドイッチ分析物を用いた粒子の検出および弁別。Ａ）ターゲット蛋白質（Ｐ）がビーズ（Ｂ）と結合し、これらを検出可能にするためラベルとも結合している。パネルＡでの異種分析物の表現において、結合していないラベルはサンプルから除去され、ビーズ−ラベル−ターゲット複合体は、電気泳動にかけられる。Ｂ）パネルＢでの同種分析物の表現において、分離していないサンプルは、電気泳動にかけられ、ビーズ−ラベル−ターゲットは、結合していないラベルから弁別される。
【図２２ａ】二色(two-color)分析物を用いた粒子の検出および弁別の機構。ターゲット粒子（Ｔ）は、２つのラベル（Ｌ）と結合している。各ラベルは、別々に検出可能な波長で電磁放射を発生する。Ａ）サンプルは、電気泳動にかけられ、ターゲット粒子は、１つの色付ラベルだけを用いてラベル付けされた粒子、結合していないターゲット、および結合していないラベルから弁別される。Ｂ）ターゲット粒子は、それぞれ２つの異なるラベルを用いてラベル付けされ、ターゲットへのラベル付けされた粒子の１つの結合のための作用物質(agonist)または拮抗物質(antagonist)が添加される。サンプルは、電気泳動にかけられ、２つのラベルを持つ粒子は、競合者と結合した１つのラベルを持つ粒子、および結合していないラベルから弁別される。
【図２２ｂ】Ｃ）ＦＲＥＴアクセプタ（Ａ）を用いてラベル付けされた触媒（Ｃ）サブユニットの不活性四量体(tetramer)、および環式ＡＭＰ依存のキナーゼＡのＦＲＥＴドナー（Ｄ）を用いてラベル付けされた調節性(regulatory)（Ｒ）サブユニットは、波長２（λ２）で発光する。ｃＡＭＰの存在下で、四量体は解離し、単一のサブユニットは、波長１（λ１）で発光する。Ｄ）レセプタ（Ｒ）およびリガンド（Ｌ）は、ＦＲＥＴアクセプタ（Ａ）およびドナー（Ｄ）を用いてそれぞれラベル付けされ、互いに結合した場合、λ２で発光する。ラベル付けしたリガンドをラベル付けしていないリガンドで置換すると、結合していないラベル付けしたリガンドは、λ１で発光する。Ｅ）レセプタ（Ｒ）およびリガンド（Ｌ）は、ＦＲＥＴアクセプタ（Ａ）およびドナー（Ｄ）を用いてそれぞれラベル付けされ、互いに結合した場合、λ２で発光する。ラベル付けしたリガンドを競合者で置換し、レセプタ／リガンド結合を妨害すると、結合していないラベル付けしたリガンドは、λ１で発光する。Ｆ）無傷の基質粒子が、アクセプタ（Ａ）および消光剤(quencher)（Ｑ）を用いてラベル付けされると、発光は生じない。酵素を用いて基質を開裂し、ペアおよびアクセプタでラベル付けした断片を分離すると、発光するようになる。
【図２３】単一粒子検出のためのラベリング表現。Ａ）ターゲット粒子は、単一染料の少なくとも１つを用いてラベル付けされる。Ｂ）ターゲット粒子は、２つの異なる染料の少なくとも１つの粒子を用いてラベル付けされる。
【図２４】少なくとも２つの粒子の検出および弁別のためのラベリング表現。Ａ）単一染料の異なる複合(multiple)でラベル付けした粒子。Ｂ）２つの異なる染料または２つの染料のいずれか１つでラベル付けした粒子。Ｃ），Ｄ）２つの染料でラベル付けした粒子。少なくとも１つは複合コピーに存在する。Ｅ）異なる蛍光強度を有する２つの染料の少なくとも１つを用いてラベル付けした粒子。Ｆ）染料または電気泳動速度に影響を与えるラベルでラベル付けした粒子。Ｇ），Ｈ）それぞれ１つの染料でラベル付けした粒子。
【図２５】電気泳動速度に基づいた検出および弁別のためのラベリング表現。Ａ）固有に検出可能なターゲット粒子は、電気泳動速度に影響を与える別個のラベルを用いてラベル付けされる。Ｂ）ターゲット粒子は、検出可能な染料タグまたは電気泳動速度に影響を与えるラベルを用いてラベル付けされる。
【図２６】蛍光発光の特性強度による２つの粒子の弁別の表現。Ａ）ターゲット粒子は、１つの染料の１つまたは複合コピーでラベル付けされ、粒子当りの結合した染料粒子の数に比例する蛍光発光の強度によって弁別される。Ｂ）ターゲット粒子は、２つの染料の１つまたは複合コピーでラベル付けされ、蛍光発光の合計強度または２つの異なる染料の強度の比率によって弁別される。
【図２７】蛍光偏光分析物の表現。染料でラベル付けしたターゲット粒子は、回転レートで決定される別個の蛍光偏光を有する。ラベル付けした粒子をレセプタに結合させると、回転レートを変化させ、そして、検出される粒子の蛍光偏光を変化させる。
【図２８Ａ】種々の条件での使用するマーカー、およびこれらの現在の検出限界。
【図２８Ｂ】種々の条件での使用するマーカー、およびこれらの現在の検出限界。
【図２９】２つの取り調べ空間分析器で走らせ、基質と反応したアルカリ性ホスファターゼ(phosphatase)の各濃度で計数した蛍光製品分子の数を示すグラフ表現。  本発明の新規な特徴は、添付の請求項で特別に述べている。本発明の特徴および利点のより良い理解は、例示の実施形態を説明している下記詳細な説明を参照することにより得られる。そこでは、本発明の原理および添付の図面が利用される。
【図１】
2008514955.tif 000002
【図２】
2008514955.tif 000003
【図３】
2008514955.tif 000004
【図４】
2008514955.tif 000005
【図５】
2008514955.tif 000006
【図６】
2008514955.tif 000007
【図７】
2008514955.tif 000008
【図８】
2008514955.tif 000009
【図９】
2008514955.tif 000010
【図１０】
2008514955.tif 000011
【図１１】
2008514955.tif 000012
【図１２】
2008514955.tif 000013
【図１３】
2008514955.tif 000014
【図１４】
2008514955.tif 000015
【図１５】
2008514955.tif 000016
【図１６】
2008514955.tif 000017
【図１７】
2008514955.tif 000018
【図１８】
2008514955.tif 000019
【図１９】
2008514955.tif 000020
【図２０Ａ】
2008514955.tif 000021
【図２０Ｂ】
2008514955.tif 000022
【図２０Ｃ】
2008514955.tif 000023
【図２１】
2008514955.tif 000024
【図２２ａ】
2008514955.tif 000025
【図２２ｂ】
2008514955.tif 000026
【図２３】
2008514955.tif 000027
【図２４】
2008514955.tif 000028
【図２５】
2008514955.tif 000029
【図２６】
2008514955.tif 000030
【図２７】
2008514955.tif 000031
【図２８Ａ】
2008514955.tif 000032
【図２８Ｂ】
2008514955.tif 000033
【図２９】
2008514955.tif 000034
【国際調査報告】
2008514955.tif 000035
2008514955.tif 000036
2008514955.tif 000037
2008514955.tif 000038